(57)【特許請求の範囲】
【請求項１】
互いに重ね合わせて結合される第１部材および第２部材が、その結合状態を封印連結部材により封印されて配設されるとともに、該封印連結部材を使用して第１部材および第２部材が再封印可能に構成された遊技機において、
前記第１部材に設けられて該第１部材における周辺部に連結部により連結された第１部材封印部と、前記第２部材に設けられた第２部材封印部とで封印部を形成し、
前記封印連結部材は、前記第１部材封印部と前記第２部材封印部とを連結して封印するとともに、封印時に前記第１部材封印部に固着する封印ピンであり、
前記第１部材封印部は、前記封印ピンを挿通させる筒状体であり、
前記封印ピンは、前記第１部材から前記第１部材封印部を前記周辺部との連結部において切除して封印を解除したとき、その外周に前記筒状体が固着して外径が拡大するものであり、
前記封印部が複数設けられ、前記封印ピンが各封印部に順次に使用されるものとして設定され、２番目以降の各封印部の前記筒状体の孔径が、拡大した封印ピンの外径に整合して順次拡大していることを特徴とする遊技機
【請求項２】
前記封印ピンは、第１係止部を有して前記第１部材側から第２部材側へ掛け渡され、第１係止部を第１部材封印部より後側の第２係止部に係止して封印状態を得るものであり、
前記複数のうちの最初の封印部では、前記封印ピンが、当該封印ピンが備える前記第１係止部を前記第２係止部に係止して封印状態を得ると共に、
２番目以降の各封印部では、直前の封印部の筒状体が備える係止部を、前記第２係止部に係止して封印状態を得るようにしたことを特徴とする請求項１に記載の遊技機。
【発明の詳細な説明】
【技術分野】
【０００１】
本発明は、スロットマシンその他の遊技機に関する。
【背景技術】
【０００２】
例えば遊技機のスロットマシンにおいては、筐体が、正面側に開口部をもつ箱形状の筐体本体と、その開口部を閉じ表側が演出表示面や操作レバー等を備える遊技面となっている前面扉とから構成される。前面扉には表示窓が設けられ、筐体本体内には表示窓から視認可能にリールが設置され、その駆動機構や電源等も筐体本体内に設置されている。さらに遊技内容や演出処理を電子的に制御する制御基板が、リール等とともに筐体本体内に設置される。
【０００３】
制御基板には遊技内容のプログラムや大当たりの発生条件等を規定するデータを記憶するメモリも実装されているため、そのメモリあるいは制御基板全部を交換したり、別途のメモリ追加や変更を加えることにより、大当たりを頻発させコインを大量に獲得するというような不正行為が問題となる。
このため、筐体本体側と協働して前面扉を閉鎖し施錠状態とする施錠機構が設けられているが、これだけでは不正行為の防止には不十分で、施錠状態を破って制御基板に不正な変更等を加える事例が頻発している。
【０００４】
そこで、制御基板を基板ボックス内に収納して封印し、基板ボックスを開くような不正行為がなされた場合に、その痕跡が残るようにして、不正な変更等が加えられたおそれのある制御基板は正規のものに交換することができるようにすることが考えられる。
一方、正規に制御基板の点検や交換を行う場合もあるので、複数回の封印が可能であることも望ましい。
【０００５】
このような狙いを実現するものとして、先に本出願人が特開平１０−３１４４１４号公報により提案した遊技機用ボックスの封印具がある。
この封印具は、ボック本体とボックス蓋体とからなる基板ボックスに設けられ、複数の封印部を有する。各封印部は、ボック本体またはボックス蓋体の一方に配設される第１封印部材と、他方に配設される第２封印部材と、第１封印部材に設けられる係止孔と、その係止孔に係止される係止爪および第２封印部材に係合される頭部を有する封印金具とを備え、その封印金具の頭部を第２封印部材に係合させるとともに、係止孔によって封印金具の係止爪を係止して、第１封印部材および第２封印部材を連結し基板ボックスを封印するものである。
【０００６】
各封印部に対してそれぞれ封印金具が設定され、制御基板を収納した基板ボックスを初めて設置する場合には、１つの封印部を上記のように第１封印部材と第２封印部材を連結して封印し、他の封印部については非連結状態にして、封印金具は第１封印部材または第２封印部材の一方に保持しておく構成となっている。
これにより、基板ボックスが不正に開かれた場合には必ず第１封印部材または第２封印部材のいずれかに破壊の痕跡が残ることとなるので、当該ボックスに収納された制御基板に対して不正行為が行われたことを認識することができる。
【０００７】
制御基板の点検や交換のため正規に基板ボックスを開封する場合にも、第１封印部材および第２封印部材を連結した封印部を破壊するが、点検や交換の完了後は残っている他の封印部の１つについて封印金具により第１封印部材と第２封印部材を連結して封印し、これを順次繰り返すことにより複数回の封印が可能である。
【先行技術文献】
【特許文献】
【０００８】
【特許文献１】特開平１０−３１４４１４号公報
【発明の概要】
【発明が解決しようとする課題】
【０００９】
しかしながら、上記従来の封印構造では、１つの基板ボックスからボックス蓋体の第２封印部材を破壊してボックス本体の方を第１封印部材に破壊の痕跡のない状態で保留する一方で、他の基板ボックスからボック本体の第１封印部材を破壊して、ボックス蓋体の方は第２封印部材に破壊の痕跡のない状態で封印金具とともに確保することができる。
この結果、いずれも破壊の痕跡のない第１、第２封印部材を備えたボックス本体とボックス蓋体を用いて、内部に不正な変更を加えた制御基板を収納した新たな基板ボックスを作り上げることが可能で、これをスロットマシン筐体内の制御基板と基板ボックスごと取り換えれば、不正行為がなされたにもかかわらず、痕跡が得られないことになるおそれがある。
【００１０】
したがって本発明は、上記の例示した問題に鑑み、基板ボックスに破壊の痕跡があるか否かにかかわらず、基板ボックスが不正に開かれたことを容易に知ることができるようにした遊技機を提供することを目的とする。
【課題を解決するための手段】
【００１１】
本発明は、互いに重ね合わせて結合される第１部材および第２部材が、その結合状態を封印連結部材により封印されて配設されるとともに、該封印連結部材を使用して第１部材および第２部材が再封印可能に構成された遊技機において、第１部材に設けられて該第１部材における周辺部に連結部により連結された第１部材封印部と、第２部材に設けられた第２部材封印部とで封印部を形成し、
封印連結部材は、第１部材封印部と第２部材封印部とを連結して封印するとともに、封印時に第１部材封印部に固着する封印ピンであり、第１部材封印部は、封印ピンを挿通させる筒状体であり、封印ピンは、第１部材から第１部材封印部を周辺部との連結部において切除して封印を解除したとき、その外周に筒状体が固着して外径が拡大するものであり、封印部が複数設けられ、封印ピンが各封印部に順次に使用されるものとして設定され、２番目以降の各封印部の筒状体の孔径が、拡大した封印ピンの外径に整合して順次拡大していることを特徴とする遊技機。
【発明の効果】
【００１３】
本発明によれば、他の第１部材および第２部材の封印に用いられた封印連結部材を不正に入手して使用しようとしても、封印連結部材の形状が変化しているので、使用済みのものであるかどうかが視認して容易に判別できるとともに、不正入手の第１部材および第２部材における同一の封印部に適用することもできないので、不正行為を防止することができる。
【００１４】
とくに封印連結部材を封印ピン、第１部材封印部を筒状体とするとき、筒状体に封印ピンを挿入して固着するだけで、正規の封印解除時には容易に外径が拡大した封印ピンを取り出すことができる。
【図面の簡単な説明】
【００１５】
【図１】本発明が適用されるスロットマシンの全体斜視図である。
【図２】前面扉を取外して示すスロットマシン内部の正面図である。
【図３】主基板ユニットの正面図である。
【図４】主基板ユニットの側面図である。
【図５】台座装置の分解斜視図である。
【図６】固定ベース部の裏面を示す斜視図である。
【図７】回動軸部端部の構成を示す断面図である。
【図８】可動ベース部における窓孔まわりの構成を示す断面図である。
【図９】主制御装置の分解斜視図である。
【図１０】主基板の張り出し部の拡大斜視視図である。
【図１１】レール形成部の構成を示す図である。
【図１２】第１ボックスの裏面を示す斜視図である。
【図１３】第１ボックスの封印部材を示す図である。
【図１４】第２ボックスの封印部材を示す図である。
【図１５】封印ピンの分解斜視図である。
【図１６】封印ピンを示す図である。
【図１７】封印ピンを示す図である。
【図１８】封印部の封印過程を示す図である。
【図１９】発光ユニットの回路図である。
【図２０】点灯色制御の流れを示すフローチャートである。
【図２１】第２の実施例における主基板ユニットの正面図である。
【図２２】台座装置の分解斜視図である。
【図２３】主制御装置の分解斜視図である。
【図２４】第１ボックスの裏面を示す斜視図である。
【図２５】第１ボックスの封印部まわりを示す拡大図である。
【図２６】第１ボックスの封印部まわりを示す拡大図である。
【図２７】第２ボックスの封印部まわりを示す拡大図である。
【図２８】第２ボックスの封印部まわりを示す拡大図である。
【図２９】封印ピンの分解斜視図である。
【図３０】第１ピンを示す図である。
【図３１】第２ピンを示す図である。
【図３２】第１封印部の封印結合状態を示す図である。
【図３３】第１封印部から解放した封印ピンの第１ピンを示す図である。
【図３４】第２封印部の封印結合状態を示す図である。
【図３５】第２封印部から解放した封印ピンの第１ピンを示す図である。
【図３６】第３封印部の封印結合状態を示す図である。
【図３７】第３の実施例における第１ボックスの封印部まわりを示す拡大図である。
【図３８】第１ボックスの封印部まわりを示す拡大図である。
【図３９】第２ボックスの封印部まわりを示す拡大図である。
【図４０】第２ボックスの封印部まわりを示す拡大図である。
【図４１】封止ブロック部を示す図である。
【図４２】第１封印部の封印結合状態を示す図である。
【図４３】第１封印部から解放した封印ピンの第１ピンを示す図である。
【図４４】第２封印部の封印結合状態を示す図である。
【図４５】第２封印部から解放した封印ピンの第１ピンを示す図である。
【図４６】第３封印部の封印結合状態を示す図である。
【図４７】第４の実施例における封印ピンを示す図である。
【図４８】第４の実施例における第１ボックスの封印部まわりを示す拡大図である。
【図４９】第１ボックスの封印部まわりを示す拡大図である。
【図５０】第２ボックスの封印部まわりを示す拡大図である。
【図５１】第２ボックスの封印部まわりを示す拡大図である。
【図５２】封止ブロック部を示す図である。
【図５３】第１封印部の封印結合状態を示す図である。
【図５４】第１封印部から解放したあと外側のピン部材を取り除いた封印ピンを示す図である。
【図５５】第２封印部の封印結合状態を示す図である。
【図５６】第２封印部から解放したあとさらに外側のピン部材を取り除いた封印ピンを示す図である。
【図５７】第３封印部の封印結合状態を示す図である。
【図５８】第５の実施例における封印ピンを示す斜視図である。
【図５９】封印ピンの詳細を示す図である。
【図６０】第１ボックスの封印部まわりを示す拡大図である。
【図６１】第１ボックスの封印部まわりを示す拡大図である。
【図６２】第２ボックスの封印部まわりを示す拡大図である。
【図６３】封止ブロック部を示す正面図である。
【図６４】第１封印部の封印結合状態を示す図である。
【図６５】第１封印部から解放したあとの封印ピンを示す図である。
【図６６】第２封印部の封印結合状態を示す図である。
【図６７】第２封印部から解放したあとの封印ピンを示す図である。
【図６８】第３封印部の封印結合状態を示す図である。
【発明を実施するための形態】
【００１６】
次に本発明をスロットマシンに適用した実施の形態について説明する。
【実施例１】
【００１７】
先ず第１の実施例について説明する。
図１はスロットマシンの全体斜視図、図２は前面扉を取外して示す内部の正面図である。
スロットマシン１の筐体は、正面側が開口する箱形状の筐体本体２と、その開口部を閉じる前面扉３とから構成される。
筐体本体２は、天板２ａ、底板２ｂ、背板２ｃ、左側板２ｄ、右側板２ｅからなる。
前面扉３は、左端側の上下複数カ所がヒンジによって筐体本体２に取り付けられ、ヒンジを軸として水平に揺動し、筐体本体２の開口部を開閉可能となっている。
前面扉３の右端部には、筐体本体２側と協働して前面扉３を閉鎖し施錠状態とする施錠機構４が設けられている。
前面扉３の表側は、複数の表示窓６を備える遊技パネル５、コイン投入口７、各種の操作レバーやボタン、スイッチ類を備える操作部８、コイン受け皿９、その他の演出表示部１０などが設けられた公知の遊技面となっている。これらの詳細は、例えば特開２００８−６１７３９号公報に示される。
【００１８】
筐体本体２の内部は、仕切板２ｆによって上下に２分割されている。
仕切板２ｆの下部には、コインを貯留する貯留タンクとコインを前面扉３のコイン受け皿８へ払い出す払出装置とを備えたホッパ装置１１や、電源ボックス１２が配置されている。
前面扉３のコイン投入口７から投入されたコインはホッパ装置１１に供給され、貯留タンクに貯留されるか、あるいはコイン受け皿９へ排出されるようになっている。
仕切板２ｆの上部には、前面扉３の各表示窓６に対して１対１で対応させて横に並べたリール１４を同一軸線上で回転可能に支持したリールユニット１５が取り付けられている。
リールユニット１５の上方には、スロットマシンの制御を行う主基板ユニット２０が背板２ｃに取付けて設置されている。
【００１９】
以下、主基板ユニット２０の構成について詳細に説明する。
図３は主基板ユニットの正面図、図４は側面図、そして、図５は台座装置の分解斜視図である。
とくに指定しない限り、図３の状態を基準として図中の右側を主基板ユニット２０の右側、図中の左側を主基板ユニット２０の左側とし、図中の手前側を主基板ユニット２０の前側、図中の奥側を主基板ユニット２０の後側として説明する。他の実施例においても同様である。
主基板ユニット２０は、主制御装置２２と、主制御装置を筐体本体２に支持する台座装置２５とを備えている。主制御装置２２により、遊技内容や演出処理が制御される。
【００２０】
台座装置２５は、筐体本体２の背板２ｃに固定される固定ベース部２６と、固定ベース部２６に支持されて水平に延びる回動中心軸線Ｚを中心として上下に回動し傾倒姿勢をとることが可能な可動ベース部２８とを備えている。
主制御装置２２は可動ベース部２８に保持され、図３、図４に示す保持位置から、回動中心軸線Ｚに直交してこれから離間する方向（上方）にスライドさせることにより、可動ベース部２８から取り外し可能となっている。
【００２１】
主制御装置２２は、後掲の図９に示すように、表裏一対の第１ボックス２００と第２ボックス３００によって構成される横長の矩形状の基板ボックス３０と、この基板ボックス３０内に収容される平板形状の主基板２３とからなっている。
第１ボックス２００と第２ボックス３００は透明または半透明の樹脂で形成される。
主制御装置２２を保持した可動ベース部２８を図４の（ａ）に示す起立姿勢にすることにより、基板ボックス３０が背板２ｃにそって平行になって、内部の主基板２３の表面が筐体本体２の正面側から視認可能となる一方、可動ベース部２８を図４の（ｂ）に示す傾倒姿勢にすることにより、基板ボックス３０も筐体本体２の正面側に傾倒して内部の主基板２３の裏面が視認可能となるように構成されている。
【００２２】
まず、台座装置２５の固定ベース部２６について、とくに図５を参照して説明する。
固定ベース部２６は金属板のプレス成形品で、横長矩形で平坦な底板部４０と、底板部４０の横幅方向（左右方向）両端から後方へオフセットした後に左右外方へ延びる取付フランジ部４２とを有する。
取付フランジ部４２は底板部４０の面と平行で、底板部４０の上下に亘って延びており、背板２ｃに取り付けるためのネジを挿通させる穴４３が形成されている。
【００２３】
底板部４０の横幅方向両端部の上部には、可動ベース部２８の上部を係止することにより可動ベース部２８を起立姿勢位置に保持するための姿勢保持部材５６が取り付けられている。
姿勢保持部材５６は可撓性を有する合成樹脂製で、底板部４０に形成した取付穴に後方から差し込まれて底板部４０の前方へ延び、先端に爪５７を備えている。
底板部４０には、その上端から矩形状に切り欠かれた切欠部４４が形成されている。切欠部４４は姿勢保持部材５６の取り付け位置まで、ほぼ底板部４０の左右方向全幅にわたって延びている。
【００２４】
図６は固定ベース部２６を背面から見た斜視図である。
切欠部４４の水平な下辺からは、その全幅にわたって、後方へオフセットした後底板部４０の裏面側へ折り返された取付フランジ部４６が延びており、この取付フランジ部４６も背板２ｃへの取り付け部となっている。４７は取付フランジ部４６を背板２ｃに取り付けるためのネジを挿通させる穴である。
取付フランジ部４２と取付フランジ部４６の各オフセット量は同一とされ、取付フランジ部４２と取付フランジ部４６とで固定ベース部２６を背板２ｃに取り付けたとき、底板部４０は背板２ｃと平行になる。
【００２５】
さらに、底板部４０の下部裏面には、金属板のプレス成形品からなる取付フレーム部材４８が取り付けられている。
取付フレーム部材４８は、固定ベース部２６を筐体２の背板２ｃに固定した場合に、底板部４０と背板２ｃとの間に形成される空間部分の一部を埋めるもので、底板部４０から後方へオフセットして取付フランジ部４２および取付フランジ部４６と面一の矩形状の取付面部５０を有する。
【００２６】
取付面部５０の上下左右の各辺からはそれぞれの辺の略全長にわたる脚片５２が底板部４０へ向かって延び、その先端は底板部４０と平行に外方へ折り曲げられた接合部５４（５４ａ、５４ｂ）となって底板部４０に溶接結合されている。
取付面部５０の上辺から延びた脚片の接合部５４ａは、その先端がさらに後方へ折り曲げられて、取付フレーム部材４８自体および底板部４０の剛性を高めている。
【００２７】
取付面部５０の下辺から延びた脚片の接合部５４ｂは、底板部４０の下端まで延びてから先端が後方へ折り曲げられ、底板部４０の下端部と背板２ｃとの間に形成される開口部分を塞ぐ下蓋部５５を形成している。
なお、固定ベース部２６は底板部４０の上端部を筐体本体２の天板２ａに当接させた状態で背板２ｃに固定されるので、底板部４０の上端部と背板２ｃとの間に形成される開口部分は天板２ａによって塞がれるが、必要に応じて底板部４０の上端部にも上蓋部を設けることができる。
【００２８】
取付面部５０の左右両側に離れた２カ所には背板２ｃに固定するためのネジを挿通させる穴６２が設けられている。穴６２は可動ベース部２８の後述する窓孔１０７に対応させてあり、その高さ位置は、可動ベース部２８の回動中心軸線Ｚの近傍となる取付面部５０の下辺寄りとなっている。
【００２９】
図５に戻って、底板部４０の下端は前方へ折り曲げられて、可動ベース部２８を支持するための水平に延びる支持フランジ部６５が形成されている。
支持フランジ部６５はその前縁を上方へ折り曲げてカバーフランジ６７とし、これにより樋状をなしている。支持フランジ部６５の左右両端は、上方に折り曲げられて互いに対向する軸支板部７０、７１となっている。
軸支板部７０、７１は底板部４０の上部に取付けられた左右の姿勢保持部材５６のそれぞれ下方に対応する位置に設定されている。
【００３０】
各軸支板部７０、７１には、互いに同一軸線（回動中心軸線Ｚ）上に位置させた軸孔７３が設けられている。
右側の軸支板部７１には、さらに軸孔７３よりも上方でかつ前方に錠取付穴７５が形成されている。
カバーフランジ６７の左右両端の軸支板部隣接部分は、可動ベース部２８を傾倒させたときその当接部８７と当接する回動ストッパ６８となり、当接したとき可動ベース部２８が所定の傾倒姿勢位置となるように、一段低く切り欠かれている。
【００３１】
支持フランジ部６５の前後方向幅は、可動ベース部２８の下端部の前後方向幅寸法と整合させて、可動ベース部２８を固定ベース部２６に支持した状態で、可動ベース部２８の後述する回動軸部８６とカバーフランジ６７との間に形成される隙間を最小限にしている。
支持フランジ部６５のカバーフランジ６７の高さは、軸孔７３の中心高さよりも高く、回動軸部８６を前方から覆い隠すように設定されている。
これにより、回動軸部８６とカバーフランジ６７との間隙に、バールやスクリュードライバーなどの工具の先端が差し込まれるのを困難にし、回動軸部８６の破壊行為を防ぐ。
【００３２】
つぎに、可動ベース部２８について説明する。
可動ベース部２８は、所定の剛性を有する例えばポリカーボネイトなどの透明な合成樹脂製で、図５に示すように、横長矩形の底板部８０と、底板部８０の下端から表面側（前方）に向かって延びる載置部８２と、底板部８０の左右両端からそれぞれ表面側に向かって延びる側板部８４、８５とを有している。
載置部８２には、後述するように主制御装置２２（基板ボックス３０）を載置する。
載置部８２の横幅方向中央には、左右に長いスリット穴１１０が形成されている。
載置部８２の前端下面には、円柱形状の回動軸部８６が一体に形成されている。回動軸部８６は側板部８４、８５の間にわたって左右に延びている。
【００３３】
回動軸部８６の左右両端には当該回動軸部の軸心にそって軸孔８８（後掲の図７参照）が形成されている。
載置部８２および回動軸部８６には、側板部８４、８５から内方へ所定距離だけ離間した位置に、軸孔８８の軸心に直交してスリット溝９０が設けられている。後述するように、軸孔８８はスリット溝９０を越えて内側まで延びている。
また、回動軸部８６の両端には、固定ベース部２６の回動ストッパ６８に対応させて、回動軸部８６の径方向外方に延びる当接部８７が設けられ、前述のように、可動ベース部２８を傾倒姿勢位置まで傾倒させた際に、回動ストッパ６８に当接するようになっている。
【００３４】
底板部８０には、左右に所定距離離間させて、矩形の窓穴１０７が形成されている。
底板部８０の裏面には、後掲の図８に示すように、窓穴１０７の上側にネジブロック１０８が形成され、ネジブロック１０８の下端を窓穴１０７の上辺に一致させてある。ネジブロック１０８はその下端面に開口するネジ孔１０９を備えている。
【００３５】
図５に戻って、側板部８４、８５は、載置部８２と略同一の前後幅で底板部８０の全高さにわたって延びている。
各側板部８４、８５の前端には、上端および下端の一部を除いて所定の横幅（左右方向幅）の返し部１１２が内側に向かって延びており、また側板部８４、８５と底板部８０の接続部には返し部１１２と同一の横幅をもった突条段部１１３が上下に延びている。
これにより、各側板部８４、８５の内壁には返し部１１２と突条段部１１３の間に、主制御装置の基板ボックスをスライドさせる際の一定前後幅のガイド溝１１４が形成される。
側板部８５の上下方向略中央位置には、返し部１１２上から前方へ突出したあと内方（左方）へ延びる固定ブラケット部１１８が設けられ、底板部８０に向かって垂直方向にネジを挿通させる穴１１９が形成されている。
【００３６】
底板部８０の上端部には、横幅（左右方向）中央に、可動ベース部２８に保持された主制御装置２２を係止するための係止部１２０が設けられている。
係止部１２０は主制御装置を可動ベース部２８に装着した際に、基板ボックス３０に設けられた不図示の突起部と係合し、また弾性変形させることにより係合を解くことができるようになっている。
底板部８０上端には係止部１２０を挟む左右両側に、基板ボックス３０の上端部に設けられた後述のスリット溝に係止するため、上方へ延びる突出片１２２が形成されている。
【００３７】
図７は、回動軸部端部の構成を示す断面図である。
各側板部８４、８５の下端部には、回動軸部８６の端面との間にスリット１２６を形成するボス板部１２４、１２５が設けられている。スリット１２６は回動中心軸線Ｚに直交し、このスリット１２６に固定ベース部２６の軸支板部７０、７１が挿入される。
各ボス板部１２４、１２５には、軸孔１２７が回動軸部８６の軸孔８８と同軸上に形成されている。
支持ピン１２８をボス板部１２４の軸孔１２７から、軸支板部７０の軸孔７３を通して、回動軸部８６の軸孔８８に挿入し、また支持ピン１２８をボス板部１２５の軸孔１２７から、軸支板部７１の軸孔７３を通して回動軸部８６の軸孔８８に挿入することにより、可動ベース部２８は固定ベース部２６に対して回動自在に支持される。
【００３８】
この際、支持ピン１２８はボス板部１２４、１２５の軸孔１２７と回動軸部８６の軸孔８８については圧入とされるとともに、支持ピン１２８の頭部はボス板部１２４、１２５の外側端面に形成した凹部１２９内に位置して外側端面から突出しないように設定され、取り付け後の支持ピン１２８の取り外しができないようになっている。
【００３９】
図５に戻って、載置部８２の上面には金属板の補強プレート１３０が取り付けられる。補強プレート１３０は、載置部８２の左右のスリット溝９０の間にわたる長さを有して載置部８２の上面に重ね合わされる平板部１３２と、平板部１３２の後端から上方に延びて底板部８０の表面に重ね合わされる縦壁１３４と、平板部１３２の左右両端から下方に延びてスリット溝９０に差し込まれる軸支板部１３６とを備える。
軸支板部１３６には、スリット溝９０に差し込まれた状態で回動軸部８６の軸孔８８と同軸上に位置する孔１３７が設けられ、孔１３７は軸孔８８と同径である。
【００４０】
なお、底板部８０の前面は補強プレート１３０に対応する領域１１６が補強プレートの板厚分だけ窪んでおり、底板部８０の表面が補強プレート１３０とその周辺を含めて平滑な一平面をなすようになっている。
補強プレート１３０の平板部１３２には、載置部８２のスリット穴１１０と整合するスリット穴１３８が形成されるとともに、底板部８０の窓穴１０７にそれぞれ重なる位置に矩形の窓穴１４２が形成されている。
【００４１】
図８は窓穴１４２部における補強プレートと底板部の固定構造を示す図である。
補強プレート１３０の窓穴１４２を形成する際の切り起こし片は、当該窓穴１４２の上辺から後方へ曲げられてブラケット部１４４となっている。ブラケット部１４４は、底板部８０の窓穴１０７を通過してネジブロック１０８の下端面に重なる。
ブラケット部１４４に形成された挿通孔１４５を通して、固定ネジを下方からネジブロック１０８のネジ孔１０９にねじ込むことにより、補強プレート１３０が可動ベース部２８に固定される。
この補強プレート１３０により、可動ベース部２８の剛性が高まるので、封印部を抉るなどの試みが行われても、可動ベース部２８が保持している基板ボックス３０の撓みが抑えられ、不正行為を困難とする。
【００４２】
図５、図７に示すように、側板部８５の下端部とボス板部１２５には同軸の錠取付穴８９が形成されている。錠取付穴８９の位置は、可動ベース部２８を起立姿勢位置にしたとき、固定ベース部２６の錠取付穴７５と重なるよう設定され、例えば南京錠などを取り付けることによって、可動ベース部２８の人為的な傾倒を禁止できる。
【００４３】
以上の構成を有する台座装置２５は、まず、固定ベース部２６の表面側から取付フランジ部４２の穴４３に取付ネジを挿通して、筐体本体２の背板２ｃ内側の対応する箇所に予め設けられているナット部にねじ込む。
さらに、可動ベース部２８を起立姿勢位置とした状態で、可動ベース部の補強プレート１３０の窓穴１４２と底板部８０の窓孔１０７とを通して取付フレーム部材４８の穴６２に取付ネジを挿通して、筐体本体２の背板２ｃ内側の対応する箇所に予め設けられているナット部にねじ込むことにより、背板２ｃに固定される。
また、背板２ｃに予め形成された挿通孔に、外部からネジを挿入し取付フランジ部４６の穴４７に設けられたナットにねじ込む。
これにより、固定ベース部２６は、背板２ｃに対して前方および後方の両方から固定されるので、前方または後方の一方からのみでは背板２ｃから取り外すことができない。
【００４４】
とくに基板ボックス３０を可動ベース部２８に保持した状態では、可動ベース部の窓孔１０７、１４２が基板ボックス３０によって塞がれるので、可動ベース部２８の前方からこれらの窓孔にスクリュードライバの先端を差し込むこともできない。
また、取付フレーム部材４８の穴６２は、回動中心軸線Ｚの近傍であるから、可動ベース部２８を傾倒姿勢とした場合でも、スクリュードライバの先端を差し込むことができない。
【００４５】
次に、主制御装置２２の構成について説明する。
図９は主制御装置２２の分解斜視図である。
基板ボックス３０は表側の第１ボックス２００と裏側の第２ボックス３００とからなっている。
主基板２３は、対角線上に位置する隅角部に設けられた一対の小孔２４を通して不図示のネジにより第１ボックス２００の内側に取り付けられる。主基板２３上には、電源供給線等を含む配線パターン１５４が形成されるとともに、ＣＰＵやＲＯＭ等のＩＣチップを含む各種電子部品、ソケット等が実装されている。
主基板２３は下方へ延びて第１ボックス２００の後述するブロック受け部２１９内に挿入される張り出し部１５０を有し、張り出し部１５０に穴１５２を備えている。穴１５２は主基板２３の取り付け状態において後述する筒状体２４０に整合する。
【００４６】
図１０は張り出し部の穴１５２まわりの拡大斜視図で、主基板２３（張り出し部１５０）には穴１５２の周縁にそって等間隔に４片の固定側端子Ｇ（Ｇ１、Ｇ２、Ｇ３、Ｇ４）が設けられている。各固定側端子Ｇはそれぞれ、根元が主基板２３の前面に固定され、一旦穴１５２の中心方向へ延びながら壁面から離れるように膨らんだあと、後方へ折り返し、穴１５２を通過して主基板２３の裏面側へ延び、先端が穴中心から離れる方向に傾斜している。
隣接する２つの固定側端子Ｇ１、Ｇ２は主基板２３上に形成された電源供給線１５４ａに接続している。また、他の固定側端子Ｇ３、Ｇ４は短絡線１５４ｂにより互いに接続されている。
【００４７】
第１ボックス２００は、主基板２３上の比較的背の高い電子部品等を収容可能とする主基板収容部２０１を有しており、その周縁部には、一段低い段部２０２が形成されている。
段部２０２には、主基板上のソケットを挿通させるための複数のソケット挿通孔２０３が形成されている。
主基板収容部２０１の表面には、封印履歴記録シートを貼付するための貼付枠２０４が設定されている。
【００４８】
第１ボックス２００の右端には、上下方向略中央に固定面２０５が形成されている。固定面２０５は、基板ボックス３０を可動ベース部２８に載置したとき、可動ベース部２８の固定ブラケット部１１８の裏面に重なるように設定され、基板ボックス３０を可動ベース部２８に固定するためのネジ孔２０６を備えている。
固定面２０５の内側（左方）には段差をもって平面部２０７が隣接し、基板ボックス３０を可動ベース部２８に固定したときに、固定ブラケット部１１８の表面と面一に連続するようになっている。
平面部２０７と固定ブラケット部１１８の表面は協働して封印シール（図示せず）のシール貼付面を形成する。すなわち、封印シールを平面部２０７と固定ブラケット部１１８の両者にまたがって貼付することにより、一旦剥がされるとシール貼付面に剥がされた形跡を残す。
【００４９】
第１ボックス２００の左右両端の側壁２１０には、上下方向全高さにわたって外方へ突出するレール形成部２１１が設けられている。
第２ボックス３００は、第１ボックス２００に取り付けられた主基板２３の裏面に対向する底板部３０１を有している。底板部３０１の内面には格子状のリブ３０２が設けられて剛性を高めている。底板部３０１の左右両端の側壁３１０には、上下方向全高さにわたって外方へ突出するレール形成部３１１が設けられている。
【００５０】
図１１は第１ボックス２００と第２ボックス３００のレール形成部を示す図である。
（ａ）はレール形成部２１１の側面図、（ｂ）は（ａ）におけるＡ−Ａ部拡大断面図、（ｃ）はレール形成部３１１の側面図、（ｄ）は（ｃ）におけるＢ−Ｂ部拡大断面図、そして（ｅ）は結合状態を示す断面図である。
レール形成部２１１には、側壁２１０の後端縁から外方に起立して、上下方向に延びる複数のリブ２１１ｂが上下に一列に並ぶように設けられ、各リブの上端から後方へ延びる片とその後端から上方へ延びる片とからなるＬ字状の複数の引掛部２１２が形成されている。
また、これらの引掛部２１２に接続して、引掛部２１２の外側に側壁２１０の上下方向全高さにわたる一定幅の帯板部２１１ａが側壁２１０と平行に形成されている。
【００５１】
レール形成部３１１には、側壁３１０から外方に起立して、基板高さ方向（前後方向）に延びる片とその前端から側壁３１０の前縁に沿って下方へ延びる片とからなるＬ字状の複数の引掛部３１２が所定間隔をおいて上下に一列に並ぶように設けられている。
また、側壁３１０から外方に起立して、上下方向全高さにわたる一定幅の縦壁部３１１ａが形成され、この縦壁部３１１ａは、引掛部３１２の前後方向に延びる片の後端をつないでいる。
【００５２】
第１ボックス２００と第２ボックス３００はこれら複数の引掛部２１２と引掛部３１２との係合により結合して、中空箱状の基板ボックス３０を形成する。
すなわち、第２ボックス３００を第１ボックス２００の裏面に対して上方に所定量ずらせた位置で、第２ボックスの引掛部３１２を第１ボックスの引掛部２１２の間に置いて第１ボックスと第２ボックスを重ね合わせ、それから第２ボックス３００を第１ボックス２００に対して相対的に下方へスライドさせることによって引掛部２１２と引掛部３１２が互いに係合する。
【００５３】
とくに図１１の（ｅ）に示すように、第１ボックス２００と第２ボックス３００の結合状態において、帯板部２１１ａの後端縁は縦壁部３１１ａに当接するとともに、縦壁部３１１ａの外方端縁は帯板部２１１ａの外面と面一になるように設定されている。
これにより、第１ボックスのレール形成部２１１と第２ボックスのレール形成部３１１とは協働して、基板ボックスの上下方向に延びるレール３２を形成する。    
【００５４】
図９に戻って、第１ボックス２００の上端壁２０９上には、左右方向全幅にわたって延びる対向壁２１３が設けられるとともに、対向壁２１３の後方（第２ボックス側）に、対向壁２１３と平行な複数の係合突片２１４が左右方向一列に並んで設けられている。
第１ボックス２００と第２ボックス３００の結合状態において、第２ボックス３００の上端壁３０８は第１ボックス２００の上端壁２０９の上に重なるとともに、上端壁３０８の前端面３０８ａが左右方向全幅にわたって第１ボックス２００の対向壁２１３との当接面となるように設定されている。
さらに、第２ボックス３００の上端壁３０８には、前端面３０８ａの直後に、第１ボックス２００を第２ボックス３００との結合位置へスライドさせたときに第１ボックスの係合突片２１４を受け入れる係合穴３１６が形成されている。
【００５５】
第１ボックス２００の下端部には、左右両端に切欠凹部２２１が設けられ、その間の中央部分には、３つの筒状体２４０が配置された細長の矩形凹部２２０が設けられている。
矩形凹部２２０と切欠凹部２２１の間に、第１ボックス２００の裏面（第２ボックス側）に開口したネジ孔２１６（図３、図１２参照）を備える連結固定部２１５が設定されている。
【００５６】
そして、第２ボックス３００には、第１ボックス２００の矩形凹部２２０に対応して切欠きスペース３２０が設けられ、またその両側には第１ボックス２００の連結固定部２１５に対応して矩形の固定ブロック３０４が設けられている。
切欠きスペース３２０は左右に延びる上壁３２１と縦方向の側壁３２２とで区画されており、側壁３２２は固定ブロック３０４の一壁面をなしている。
固定ブロック３０４は、第１ボックスと第２ボックスの結合状態において、第１ボックスの連結固定部２１５のネジ孔２１６に対応する穴３０５を有しており、この穴３０５からネジをネジ孔２１６にねじ込むことにより、第１ボックス２００と第２ボックス３００とが互いに固定される。
【００５７】
第２ボックス３００の裏面（外面）には上端壁３０８から下方に延びる形で、底板部３０１の裏面との間にスリット溝３１８を形成する係合ブロック３１７が左右方向に複数設けられている。
スリット溝３１８には、基板ボックス３０を可動ベース部２８に保持したときに、可動ベース部２８の突出片１２２（図５参照）が挿入されて係止する。
【００５８】
第１ボックス２００の下端壁２２２（図１８参照）には、左右方向中央に、下方に向いた突出片２１８が設けられている。
突出片２１８は第１ボックス２００の横幅の略１／３強の長さを有して左右に延びており、基板ボックス３０を可動ベース部２８に保持したときに、可動ベース部の載置部８２および補強プレート１３０のスリット穴１１０、１３８に挿入されて係止する。
【００５９】
先の図３に示すように、基板ボックス３０の下端部には、矩形凹部２２０内に封印部３４（３４ａ、３４ｂ、３４ｃ）が横方向に隣接して並んでおり、当該部位の近傍には封印の順番を示すためＡ〜Ｃの符号が付せられている。
なお、後述するように、符号Ａ〜Ｃにはそれぞれに隣接して異なる色名が付されている。図９には簡略のため色名は図示省略している。
封印部３４は第１ボックス２００と第２ボックス３００を封印結合するものであり、矩形凹部２２０内の筒状体２４０は第１ボックス２００における封印部材である。
【００６０】
図１２は第１ボックス２００の裏面を示す。裏面には矩形凹部２２０に対応するカバー壁２７０が設けられている。カバー壁２７０は、第１ボックス２００の下端壁２２２の後端縁を後方へ延ばした後上方へ延びて、後述の第２ボックス３００の矩形ブロック３３８を収容するブロック受け部２１９を形成している。ブロック受け部２１９は上方に開口し、左右両端は閉じている。
ブロック受け部２１９の左右両側に隣接して前述の連結固定部２１５が位置している。
第２ボックス３００の下部の切欠きスペース３２０には、封印部材として、第１ボックス２００の筒状体２４０に対応させて３つの矩形ブロック３３８が設けられている。各矩形ブロック３３８はそれぞれ独立している。
【００６１】
以下、基板ボックス３０における封印部３４の封印結合構造について詳細に説明する。
図１３は第１ボックス２００の矩形凹部２２０における封印部３４ａ（Ａ）の封印部材を示し、（ａ）は正面図、（ｂ）は（ａ）におけるＣ−Ｃ部断面図である。
矩形凹部２２０は底壁２４２を有する。  
矩形凹部２２０内に封印部材として軸を前後方向とした筒状体２４０が配置され、筒状体２４０はその前端部において上下の脆弱な連結部２４４によって矩形凹部２２０の上内壁と下内壁に連結されている。
【００６２】
矩形凹部２２０の底壁２４２は、前方から見たときの筒状体２４０と連結部２４４の輪郭に対して所定の間隙を設けた形状に切り欠かれた穴２４３を有し、筒状体２４０の後端はその穴２４３内に位置している。
底壁２４２が筒状体２４０と直接つながっていないため、連結部２４４を切断することで筒状体２４０を切除できる。
筒状体２４０は後述の封印ピン４００を挿入する一定内径の筒穴２４６を有している。
筒穴２４６の上端には、軸方向全長にわたってキー溝２４９が形成されている。
ブロック受け部２１９の底壁２２３には、突出片２１８の直後に位置して、第２ボックス３００の後述するフック３１４が差し込まれる貫通孔状のフック受け２０８が形成されている。
【００６３】
図１４は第２ボックス３００の封印部材である矩形ブロック３３８の詳細を示し、（ａ）は正面図、（ｂ）は（ａ）におけるＤ−Ｄ部断面図、（ｃ）は裏面図である。
矩形ブロック３３８は、上壁３２１からスライド面と平行に下方へ延びた前壁３５０と、前壁３５０の３辺を囲んで上壁３２１に接続し、上壁３２１ともに四画枠を形成する枠壁３５１と、前壁３５０から後方へ膨出した有底円筒状のキャップ部３５２とからなる。前壁３５０には係止穴３５３が設けられて、キャップ部３５２は係止穴３５３から差し込まれる後述の封印ピン４００の先端に対する受入空間となる。
係止穴３５３は上下方向の直径線上に切欠き３５４を有している。
【００６４】
なお、後掲の図１８に示すように、第２ボックス３００は互いにスライドさせて第１ボックス２００と重ね合わさって結合した状態において、その切欠きスペース３２０の上壁３２１が第１ボックス２００のカバー壁２７０の上端縁と当接する。また、カバー壁２７０は第１ボックス２００の裏面（後面）と面一となるように設定されている。
矩形ブロック３３８の下端には前壁３５０の延長線上に下方へ延びるフック３１４が形成されており、このフック３１４が第１ボックス２００のブロック受け部２１９の底壁２２３に形成されたフック受け２０８に差し込まれるようになっている。
図１３、図１４には封印部３４ａ（Ａ）部分について示したが、封印部３４ｂ（Ｂ）および封印部３４ｃ（Ｃ）の封印部材も同じである。
【００６５】
封印ピン４００について説明する。
図１５は封印ピン４００の分解斜視図、図１６の（ａ）は封印ピン４００を軸方向から見た正面図、（ｂ）は側面図、（ｃ）は背面図、（ｄ）は上面図である。図１７の（ａ）は封印ピン４００の縦断面図、（ｂ）は（ａ）の断面に直交する縦断面図である。
封印ピン４００は、ピン本体４０１内に発光ユニット４８０を収納して構成されている。
ピン本体４０１はＰＡ、ＰＰ、ＰＯＭ、ＰＣあるいはＡＢＳ等の樹脂製である。大径部４０２と大径部よりも小径の小径部４０３とからなる外形を有する。
大径部４０２側を前、小径部４０３側を後とする。
【００６６】
大径部４０２の外周面には全長にわたって軸方向のキーリブ４０４が形成されている。キーリブ４０４と筒穴２４６におけるキー溝２４９の係合により筒状体２４０に対する回転方向の位置が固定される。
ピン本体４０１は外形形状にそった大径孔４０５と小径孔４０６を有し、両孔はつながって貫通している。
大径孔４０５には、キーリブ４０４と重なる位置に軸方向全長にわたる溝４１１が形成されている。
小径部４０３には、キーリブ４０４（および溝４１１）を通る上下方向の直径線に対して、直角の左右方向に弾性部４０７が設けられている。
【００６７】
弾性部４０７は、小径部４０３の筒壁に形成したコ字形状のスリットに囲まれて、大径部４０２側を根元とし軸方向後方へ延びる片形状をなし、後端に外方（左右方向）へ突出する係止爪４０８を有している。
係止爪４０８は前端を軸方向に垂直な係止面４１０とし、その後部外面は小径部４０３と同軸のコーン形状をなして、先端が小径部４０３の径まで縮径する傾斜面４０９としている。
小径部４０３の筒壁には、弾性部４０７と大径部４０２の間に、大径部４０２の後端に連続して周方向等間隔の４箇所にスリット穴４１２が形成されている。
【００６８】
発光ユニット４８０は、外径が大径孔４０５と整合する円板状の基板４８１上にＲＡＭを含む制御回路４８３、コンデンサ４８４、ＬＥＤ４８５、ダイオード４８６、抵抗４８７を実装して構成され、制御回路４８３に接続した４本のピン側端子Ｑ（Ｑ１、Ｑ２、Ｑ３、Ｑ４）を備えている。
発光ユニット４８０は、基板４８１を大径孔４０５と小径孔４０６の段差部に着座させて配置される。
【００６９】
基板４８１の外縁には外方へ突出させた突起４８２が設けられている。
ピン側端子Ｑは、基板４８１から小径孔４０６の内壁にそって、まず後方へ延びる。ピン側端子Ｑは基板４８１の外周にそった周方向等間隔に設けられ、基板４８１の突起４８２を大径孔４０５の溝４１１に合わせることにより、小径部４０３のスリット穴４１２に位置決めされる。
ピン側端子Ｑはスリット穴４１２の後端縁において外方へ向けて折り曲げられ、小径部４０３の外部に出てからさらに後方へ延びる。小径部４０３の外部において、ピン側端子Ｑは後方へ延びながら小径部４０３の外周面から離れるように傾斜し、所定距離だけ離間した後小径部４０３の外周面に近づく方向に向きを変えて終わり、これにより外方へ膨らんだ山形をなしている。
【００７０】
大径孔４０５には発光ユニット４８０をカバーする円盤キャップ４９０が取り付けられる。
円盤キャップ４９０は透明樹脂製で、基板４８１と同様に大径孔４０５と整合し外縁に外方へ突出させた突起４９２を有する円盤部４９１と、円盤部４９１から後方へ延びるフック片４９３とからなっている。フック片４９３は円盤部４９１の外縁近傍で中心に関して対称に２本設けられ、それぞれ先端部に外方へ向いた爪４９４を備えている。
【００７１】
大径孔４０５には着座位置の基板４８１より上方に係合凹部４１３が形成されており、突起４９２を溝４１１に合わせて円盤キャップ４９０を挿入することにより、そのフック片４９３の爪４９４が係合凹部４１３に係合して円盤キャップ４９０が抜け止めされる。爪４９４が係合凹部４１３に係合した状態で円盤部４９１は大径孔４０５の開口端より沈んだ位置にある。
【００７２】
爪４９４が係合凹部４１３に係合した状態で、フック片４９３の先端（後端）は基板４８１と当接または微小隙間をなすように設定され、これにより、発光ユニット４８０が前方へはフック片４９３の先端で規制され、後方へはピン側端子Ｑがスリット穴４１２の後端縁に規制されて位置保持される。
大径孔４０５は、円盤キャップ４９０の前側に透明の紫外線硬化樹脂４１４が注入されて、開口端がシールされる。
【００７３】
図１８の（ａ）は第１ボックス２００と第２ボックス３００を結合した状態における封印前の封印部３４を示す断面図、（ｂ）は封印ピン４００を挿入した封印状態を示す断面図、（ｃ）は（ｂ）におけるＥ−Ｅ部断面図である。
封印ピン４００をその先端（後端）から筒状体２４０に差し込んでいくと、ピン本体４０１の小径部４０３が筒穴２４６を通り抜けて主基板２３の穴１５２を通過する。
小径部４０３からは弾性部４０７の係止爪４０８が突出しているが、主基板２３の穴１５２を通過する時点では大径部４０２は筒穴２４６に進入していないので、封印ピン４００を軸周りに回すことにより、係止爪４０８を固定側端子Ｇとの干渉を避けて穴１５２を通過させることができる。
【００７４】
それから大径部４０２のキーリブ４０４を筒穴２４６のキー溝２４９に合わせた状態でさらに差し込むにつれて、第２ボックス３００の矩形ブロック３３８における前壁３５０の係止孔３５３の穴縁で係止爪４０８の傾斜面４０９が押され、弾性部４０７が内径方向に撓む。
そして、封印ピン４００の前端が筒穴２４６の前端面と面一になるまで差し込まれると係止爪４０８が係止孔３５３から抜け出て、弾性部４０７が復元して係止爪４０８が小径部４０３外周面から突出し、その係止面４１０が前壁３５０の裏面に係止する。
この係止爪４０８が係止孔３５３を通り抜けて前壁３５０の裏面に係止する状態を、簡単のため、係止爪４０８が係止孔３５３に係止する、と表現する。以下、同様である。
これにより、第１ボックス２００側から延びた封印ピン４００の係止爪４０８が左右に突出して第２ボックス３００の矩形ブロック３３８の前壁３５０に係止することにより、第１ボックス２００と第２ボックス３００が結合状態で封印される。
【００７５】
前面側においては、封印ピン４００の前端は筒状体２４０の前端と面一になっているので、封印ピン４００を引き抜くことができない。
また、封印ピン４００の係止爪４０８が係止している前壁３５０の係止孔３５３は上下に係止爪４０８が通過可能な切欠き３５４を有しているが、封印ピン４００はピン本体４０１のキーリブ４０４とキー溝２４９の係合により回転が規制されているので、係止爪４０８を切欠き３５４位置へ回転させることもできない。
したがって第１ボックス２００側から挿入された封印ピン４００の係止爪４０８が第２ボックス３００における矩形ブロック３３８の前壁３５０から外れることはなく、第１ボックス２００と第２ボックス３００の結合が破壊を伴わずに解除されることはない。
【００７６】
一方、裏面側においても、前壁３５０の係止孔３５３に係止した係止爪４０８を囲むキャップ部３５２は、矩形ブロック３３８自体がカバー壁２７０に囲まれているので、外部から直接到達することはできない。またカバー壁２７０を破壊したとしても、さらにキャップ部３５２が係止爪４０８をカバーしているので、大規模に破壊してその痕跡を残さない限り、ドライバ等によって封印ピン４００の係止爪４０８部分に到達することはできず、第１ボックス２００と第２ボックス３００の結合を解除して開くことはできない。
【００７７】
図１９は主基板２３との電気接続部を含む発光ユニット４８０の回路図である。
制御回路４８３は内部にＣＰＵとＲＡＭを含み、電源端子Ｐｂ１、Ｐｂ２、入力端子Ｐｉ２、出力端子Ｐｉ１、Ｐｏ１、Ｐｏ２、Ｐｏ３を備えている。ＲＡＭにはＣＰＵの制御プログラムが格納されている。
電源端子Ｐｂ１はダイオード４８６を介してピン側端子Ｑ１に接続し、電源端子Ｐｂ２はグラウンドＧＮＤを経てピン側端子Ｑ２に接続している。制御回路４８３は電源端子Ｐｂ１、Ｐｂ２間に直流電源を受けて動作する。
【００７８】
電源端子Ｐｂ１とグラウンドＧＮＤ（ピン側端子Ｑ２）の間にはコンデンサ４８４が設けられている。
出力端子Ｐｉ１はピン側端子Ｑ３に接続し、入力端子Ｐｉ２はピン側端子Ｑ４に接続している。
ピン側端子Ｑ１には電圧調整用の抵抗４８７を介してＬＥＤ４８５が接続されている。ＬＥＤ４８５はフルカラータイプで、青、緑および赤の発光素子Ｌｂ、Ｌｇ、Ｌｒを内蔵し、それぞれに対応する端子が出力端子Ｐｏ１、Ｐｏ２、Ｐｏ３に接続されている。
【００７９】
ピン側端子Ｑ１、Ｑ２、Ｑ３、Ｑ４は、封印ピン４００が各封印部の筒状体２４０に挿入された封印状態において、それぞれ主基板の固定側端子Ｇ１、Ｇ２、Ｇ３、Ｇ４と接続するためのものである。
ピン側端子Ｑ１、Ｑ２が固定側端子Ｇ１、Ｇ２と接続している間、主基板２３側からの電源により制御回路４８３が動作するとともに、コンデンサ４８４が充電される。コンデンサ４８４は後述のように、バックアップ電源となる。
【００８０】
固定側端子Ｇ３、Ｇ４は主基板２３の張り出し部１５０上で短絡されているので、ピン側端子Ｑ３、Ｑ４が固定側端子Ｇ３、Ｇ４と接続すると、出力端子Ｐｉ１と入力端子Ｐｉ２間が導通し、ピン側端子Ｑ３、Ｑ４が固定側端子Ｇ３、Ｇ４から離脱すると出力端子Ｐｉ１と入力端子Ｐｉ２間が非導通となる。
制御回路４８３では、ＣＰＵが出力端子Ｐｉ１と入力端子Ｐｉ２間の導通、非導通を監視し、その変化に基づいて出力端子Ｐｏ１、Ｐｏ２、Ｐｏ３の状態を制御する。
【００８１】
図２０は制御回路４８３におけるＬＥＤ４８５の点灯色制御の流れを示すフローチャートである。
初めて電源が供給され、同時に出力端子Ｐｉ１と入力端子Ｐｉ２間が導通状態になると、制御プログラムの初期設定として、ＲＡＭにＬＥＤ４８５の点灯色データとして「青」が格納されるとともに、出力端子Ｐｏ１がＬ（Ｌｏｗ）、出力端子Ｐｏ２、Ｐｏ３がそれぞれＨ（Ｈｉｇｈ）に設定される。
ここで、出力端子のＬは当該出力端子が制御回路４８３内でグラウンドに接続される状態である。したがって出力端子Ｐｏ１がＬになることにより、ピン側端子Ｑ１から抵抗４８７、発光素子Ｌｂを経て、出力端子Ｐｏ１からグラウンドＧＮＤを通ってピン側端子Ｑ２へ電流が流れ、発光素子Ｌｂが青色に発光する。
このあと、例えば１ｓｅｃ間隔で以下の処理が実行される。
【００８２】
まずステップ１００において、出力端子Ｐｉ１と入力端子Ｐｉ２間が導通状態であるかどうかをチェックする。
出力端子Ｐｉ１と入力端子Ｐｉ２間が導通している場合は、今回のフローは終了し、したがって各出力端子の状態は初期設定のまま保持される。
出力端子Ｐｉ１と入力端子Ｐｉ２間が導通していない（非導通）場合は、ステップ１０１へ進んで、ＲＡＭの点灯色データが「青」であるかどうかをチェックする。
点灯色データが「青」であるときは、ステップ１０２へ進み、「青」でないときはステップ１０４へ進む。
ステップ１０２では、ＲＡＭの点灯色データを「緑」に変更するとともに、ステップ１０３において、出力端子Ｐｏ２をＬ、出力端子Ｐｏ１、Ｐｏ３をそれぞれＨに設定する。
【００８３】
一方、ステップ１０４では、ＲＡＭの点灯色データが「緑」であるかどうかをチェックする。
点灯色データが「緑」であるときは、ステップ１０５へ進み、「緑」でないときはステップ１０７へ進む。
ステップ１０５では、ＲＡＭの点灯色データを「赤」に変更するとともに、ステップ１０６において、出力端子Ｐｏ３をＬ、出力端子Ｐｏ１、Ｐｏ２をそれぞれＨに設定する。
ステップ１０７では、ＲＡＭの点灯色データが「赤」であるかどうかをチェックする。
点灯色データが「赤」であるときは、ステップ１０８へ進んで、ＲＡＭの点灯色データを「白」に変更するとともに、ステップ１０９において、出力端子Ｐｏ１、Ｐｏ２、Ｐｏ３をすべてＬに設定する。
ＲＡＭの点灯色データが「赤」でないときはそのまま今回のフローを終了する。
【００８４】
ここで、出力端子Ｐｉ１と入力端子Ｐｉ２間の非導通は封印を解除したときに発生するので、同時にピン側端子Ｑ１、Ｑ２と固定側端子Ｇ１、Ｇ２の接続も外れて主基板２３からの電源供給が遮断される。したがって、ＬＥＤ４８５は消灯する。
しかし、電源端子Ｐｂ１、Ｐｂ２間に接続され主基板２３からの電源供給中に充電されたコンデンサ４８４がバックアップ電源となって、制御回路４８３は動作状態を継続するので、上記の更新した各出力端子の状態は次回の封印まで保持される。
なお、上述の制御フローは１ｓｅｃ間隔の周期で実行されるものとしたが、実行周期はピン側端子Ｑ３、Ｑ４と固定側端子Ｇ３、Ｇ４の接続状態（出力端子Ｐｉ１と入力端子Ｐｉ２間導通）から封印解除して非接続になったあと再び接続状態（再封印）にされるまでに要する時間より短かい範囲で任意に設定してよい。
【００８５】
第２回目の封印によりピン側端子Ｑ３、Ｑ４が固定側端子Ｇ３、Ｇ４と接続して出力端子Ｐｉ１と入力端子Ｐｉ２間が導通すると、同時にピン側端子Ｑ１、Ｑ２が固定側端子Ｇ１、Ｇ２と接続されて主基板２３からＬＥＤ４８５に電源が供給されるので、出力端子Ｐｏ２がＬに保持されていることにより、今度は出力端子Ｐｏ２に接続している発光素子Ｌｇが緑色に発光する。
【００８６】
同様にして、第２回目の封印が解除されると、制御回路４８３は出力端子Ｐｏ２をＨへリセットするとともに、出力端子Ｐｏ３をＬにする。出力端子Ｐｏ１はＨのままである。あらためて更新されたこれら各出力端子の状態が次回の封印まで保持される。
そして、第３回目の封印においては、出力端子Ｐｏ３がＬになっているので、固定側端子Ｇ１、Ｇ２に接続されたピン側端子Ｑ１、Ｑ２からの電源供給によりＬＥＤ４８５は出力端子Ｐｏ３に接続している発光素子Ｌｒが赤色に発光することになる。
さらに第３回目の封印が解除されたときは、出力端子Ｐｏ１〜Ｐｏ３のすべてがＬになるので、これにより、次回の電源供給時にはＬＥＤ４８５は３色混合により白色に点灯することになる。
【００８７】
以上の構成になる主制御装置２２は次のように組み立てられ、筐体本体２内に取り付けられた台座装置２５に装着される。
まず、主基板２３を第１ボックス２００の内側に取り付けたうえ、第１ボックス２００と第２ボックス３００を引掛部２１２と引掛部３１２との係合により結合して、基板ボックス３０内に主基板２３を収納した主制御装置２２を形成する。
【００８８】
すなわち、第１ボックス２００を第２ボックス３００に対して下方に所定量ずらせた位置で、第１ボックス２００の引掛部２１２を第２ボックス３００の引掛部３１２間に置いて第１ボックスと第２ボックスを重ね合わせ、それから第１ボックス２００を第２ボックス３００に対して相対的に上方へスライドさせることによって引掛部２１２と引掛部３１２が互いに係合する。
そして、第２ボックス３００の固定ブロック３０４の穴３０５から、対向している第１ボックス２００の連結固定部２１５のネジ孔２１６にネジをねじ込むことにより、第１ボックスと第１ボックスを結合状態に固定して基板ボックス３０とする。基板ボックス３０の側壁にはレール３２が形成される。
【００８９】
基板ボックス３０の初回の封印は、表側（第１ボックス側）からＡ位置にある封印部３４ａの筒状体２４０に封印ピン４００を差し込むことにより行う。
封印結合構造は先の図１８に示したとおりである。
この封印結合構造が形成された基板ボックス３０は、固定ベース部２６に対して傾倒姿勢とした可動ベース部２８の上端から側板部８４、８５の間に挿入して、側壁のレール３２を可動ベース部の側板部のガイド溝１１４にガイドさせながらスライドさせ、下端を載置部８２上の補強プレート１３０に着座させる。
この後は、可動ベース部２８を起立姿勢位置として行なうと作業が容易である。
【００９０】
上記載置状態において、第１ボックス２００の固定面２０５に重なった固定ブラケット部１１８の穴１１９から、固定面のネジ孔２０６にネジをねじ込んで、基板ボックス３０を可動ベース部２８に固定する。そして、固定面２０５に続く平面部２０７と固定ブラケット部１１８の両者にまたがって封印シールを貼付する。
また、基板ボックス３０の下端に形成されている左右に長い突出片２１８が、可動ベース部２８の載置部８２および補強プレート１３０のスリット穴１１０、１３８に挿入されるので、基板ボックス３０と可動ベース部２８の間にドライバ等を差し込んで抉ろうとしても、両者の間を開くことはできない。
【００９１】
こうして主制御装置２２（基板ボックス３０）が台座装置２５に装着された最初の封印状態で、ソケットに電源コネクタ等が接続され、スロットマシンの電源が投入されると、封印ピン４００のＬＥＤ４８５はその発光素子Ｌｂが発光する。この発光は円盤キャップ４９０および紫外線硬化樹脂４９５を透過するので、外部からは封印ピン４００が青色に点灯して見える。
貼付枠２０２に貼付された封印履歴記録シートには、封印部３４ａ（Ａ）を封印した日時及び封印した者の氏名が記載されるように定められ、次の封印部（Ｂ）についても同様に定められている。
したがって、封印履歴記録シートの記載内容と、封印部の切除の形跡を見比べることで、主制御装置２２の不正な分解がなされていないかを容易に判断することができる。
【００９２】
主制御装置２２の不具合発生や検査等により、主基板２３を基板ボックス３０から取り外す場合、主制御装置２２が台座装置２５から取り外され、封印済みの封印部３４ａ（Ａ）の封印が解かれて主基板２３が基板ボックス３０から取り外される。
封印を解除するには、基板ボックス３０を上方へスライドさせ、可動ベース部２８から取外してから、筒状体２４０を矩形凹部２２０の上内壁と下内壁につないでいる連結部２４４を切断して、筒状体２４０ごと封印ピン４００を回転させ、第２ボックス３００における矩形ブロック３３８の前壁３５０に係止している係止爪４０８を係止孔３５３の切欠き３５４に合わせることにより、封印ピン４００を矩形ブロック３３８から解放する。
これにより、基板ボックス３０を開くことができる。
【００９３】
切除された筒状体２４０に組み付けられていた封印ピン４００は、係止爪４０８を径方向内側に押し込んで弾性部４０７を撓ませ、後方から押し出すことにより筒状体２４０から抜くことができ、再利用可能となる。
主基板２３の修理や点検等が終了すると、主基板２３が基板ボックス３０内に収容されて主制御装置２２が再組立てされる。
【００９４】
再封印においては、今度は基板ボックス３０の封印部３４ａは筒状体２４０が切除されており使用できないから、右隣の封印部３４ｂ（Ｂ）を封印する。
封印ピン４００はＡ位置での封印を解除するときにピン側端子Ｑ３、Ｑ４が固定側端子Ｇ３、Ｇ４から外され、制御回路４８３の出力端子Ｐｉ１と入力端子Ｐｉ２間が非導通となった際に出力端子の状態が更新されているので、Ｂ位置の筒状体２４０に挿入された状態ではＬＥＤ４８５の発光素子Ｌｇが発光し、封印ピン４００が緑色の点灯状態となる。
【００９５】
同様にして、Ｂ位置での封印が解除され、その後Ｃ位置の筒状体２４０に封印ピン４００を挿入すると封印ピン４００のヘッドはＬＥＤ４８５の発光素子Ｌｒが発光し、封印ピン４００が赤色の点灯状態に変わる。
すなわち、封印ピン４００は封印解除の履歴表示として封印解除の度にその状態が変化するものとなっている。
こうして、封印履歴記録シートの記録に加えて、封印解除後の新たな封印位置での封印ピン４００の点灯色が変化するので、位置符号の近傍に付された色名と点灯色の合致をチェックすることにより正規の封印状態であることを確認することができる。
【００９６】
一方、他の基板ボックスを破壊して不正に封印ピン４００を入手したとしても、主基板２３から外して出力端子Ｐｉ１と入力端子Ｐｉ２間が非導通となった際に制御回路の出力端子Ｐｏ１〜Ｐｏ３の状態が更新されてしまうから、不正に形成された基板ボックス３０において最初に封印されるべきＡ位置の筒状体２４０に挿入したときに、封印ピン４００が緑や赤など正規の青色とは異なる色に点灯するので、当該基板ボックスが正規に形成されたものでないことを容易に知ることができる。
【００９７】
第１の実施例は以上のとおり構成され、まず、第１ボックス２００と第２ボックス３００の結合状態を封印する封印部３４が、第１ボックス２００に前後方向に設けられた筒状体２４０と、第２ボックス３００における係止穴３５３を設けた前壁３５０を有する矩形ブロック３３８とからなり、筒状体２４０から挿入した封印ピン４００の係止爪４０８を係止穴３５３に係止するようになっている。そして封印ピン４００の係止爪４０８を備える後端は前壁３５０の後側に連なるキャップ部３５２にカバーされてアクセスを禁止されている。
また、封印ピン４００の前端は筒状体２４０に挿入した状態で、筒状体２４０の前端と面一になるように設定されているので、封印ピン４００のみを掴んで強引に引き抜くことができない。同じく面一であり、またキーリブ４０４とキー溝２４９の係合により回転が規制されているので、封印ピン４００のみを回転させて係止爪４０８を切欠き３５４に合わせて引き抜くこともできない。
これにより、第１ボックス２００と第２ボックス３００間の結合状態を封印保持することができ、主基板２３をメーカなどへ返送する際の安全を確保することができる。
【００９８】
そして、封印ピン４００が発光ユニット４８０を備え、封印を解除して次回封印に使用するごとに点灯色を変化させるので、不正使用の封印ピンであることが容易に判別することができる。また実施例のように複数の封印部がある場合においては、各封印部ごとに個別に設定された点灯色と比較することによって正規の基板ボックスが正規に封印されているものであるどうかを容易に判別することができるという効果を有する。
【００９９】
また、発光ユニット４８０はＬＥＤ４８５と、制御回路４８３と、コンデンサ４８４と、ピン側端子Ｑ１〜Ｑ４とを有し、制御回路４８３は筒状体２４０から封印ピン４００を挿入した封印状態において主基板２３に設けられた固定側端子Ｇ３、Ｇ４と接続しているピン側端子Ｑ３、Ｑ４が非接続となることにより封印解除を検知する一方、封印状態においてピン側端子Ｑ１、Ｑ２が固定側端子Ｇ１、Ｇ２と接続して電源供給され、コンデンサ４８４を充電するとともにＬＥＤ４８５を点灯させ、封印解除状態ではＬＥＤ４８５を点灯させないものとしている。
封印解除状態では大電力を要するＬＥＤ４８５の点灯を行わないので、コンデンサ４８４をバックアップ電源として遊技機の電源がＯＦＦになっている間も制御回路４８３が封印解除を検知することができるとともに、発光ユニット４８０を収納する封印ピン４００を小型に構成できる。
【０１００】
制御回路４８３はピン側端子Ｑ３、Ｑ４と固定側端子Ｇ３、Ｇ４の接続状態から封印解除して非接続になったあと再び接続状態にされるまでに要する時間より短く設定した１ｓｅｃ周期で、間欠的に制御フローを実行して監視するので、制御回路４８３で消費される電力が節約される。
【０１０１】
封印ピン４００の前端開口、すなわち円盤キャップ４９０の前側には透明の紫外線硬化樹脂４１４が充填されてシールされるので、ＬＥＤ４８５の点灯は紫外線硬化樹脂４１４を透過して視認可能としながら、制御回路４８３を含む発光ユニット４８０の構成部材を取り出そうとする場合、紫外線硬化樹脂４１４を削り取らねばならず、そのような試みが行われたことも痕跡として残るので、不正行為が困難となる。
【０１０２】
なお、本実施例では封印ピン４００を基板ボックス３０を形成する第１ボックス２００と第２ボックス３００の結合に対する封印に用いるものとして説明したが、これに限定されず、基板ボックスと台座装置間の封印に適用することもでき、あるいはまた基板ボックスにおける主基板２３と配線コネクタの接続部に対する封印等にも適用することができる。
本実施例では封印部を３箇所（３４ａ、３４ｂ、３４ｃ）としたが、封印部の数はさらに増やすことができ、その場合には、各発光素子Ｌｂ、Ｌｇ、Ｌｒの通電の組み合わせおよび発光強度の組み合わせにより全体として例えば白色その他の点灯色も得ることができるから、封印部の数以上の複数の異なる点灯色を設定すればよい。
【０１０３】
その他、封印解除の履歴表示の態様としては、点灯色の単なる変化だけでなく、例えば初回封印時は「赤→青→緑→白」、第１回封印解除後は「赤→白→青→緑」、第２回封印解除後は「赤→緑→白→青」のように連続的な色変化順序を異ならせることもできる。この場合にはＬＥＤだけを正規に点灯すべき色のものと取り換えるような不正にも有効である。
あるいはまた、封印解除の履歴表示の態様として封印解除の回数に応じて点滅速度を低速→中速→高速のように変化させるようにしてもよい。これによれば、単色のＬＥＤを使用できるから、コストが低減される。
【０１０４】
なおまた、実施例では封印解除の履歴表示の態様はあらかじめ制御回路４８３に格納されているプログラムによるものとしているが、次回の封印時に態様を切り替えるようにしてもよい。
【実施例２】
【０１０５】
つぎに第２の実施例について説明する。第１の実施例は封印ピンの点灯色が変化するものとしたが、本実施例は封印ピンの形状が変化するようにしたものである。主基板ユニット２０の代わりに、基板ボックス下端部の封印部の構成を異ならせた主基板ユニット２０Ａを備える。
以下では、第１の実施例と異なる部分について説明する。
【０１０６】
まず、主基板ユニット２０Ａの構成について詳細に説明する。
図２１は主基板ユニットの正面図、図２２は台座装置の分解斜視図である。
主基板ユニット２０Ａは、主制御装置２２Ａと、主制御装置を筐体本体２に支持する台座装置２５Ａとを備えている。
主制御装置２２Ａは、それぞれ透明または半透明の樹脂で形成される表裏一対の第１ボックス２００Ａと第２ボックス３００Ａによって構成される横長の矩形状の基板ボックス３０Ａと、この基板ボックス３０Ａ内に収容される平板形状の主基板２３Ａ（図２３参照）とからなっている。
主制御装置２２Ａの詳細については後述する。
【０１０７】
図２２に示すように、台座装置２５Ａは、筐体本体２の背板２ｃに固定される固定ベース部２６Ａと、固定ベース部２６Ａに支持されて水平に延びる回動中心軸線Ｚ（図２１参照）を中心として上下に回動し傾倒姿勢をとることが可能な可動ベース部２８Ａとを備えている。
固定ベース部２６Ａは、その底板部４０の下部で横幅方向中央に、後述する可動ベース部２８Ａの裏面から突出する封止ブロック部１００を受け入れる矩形の切欠部６０が形成されている。
固定ベース部２６Ａの他の構成は第１の実施例の固定ベース部２６と同じである。
固定ベース部２６Ａを後方から見たとき、切欠部６０は取付フレーム部材４８（図６参照）によりカバーされる。
【０１０８】
つぎに、可動ベース部２８Ａについて説明する。
可動ベース部２８Ａは、底板部８０の下端で横幅（左右）方向中央寄りに、２つの窓穴１０７に隣接して２つの封止ブロック部１００が形成されている。
封止ブロック部１００は、底板部８０の裏面側に突出するとともに、載置部８２上にも突出している。
封止ブロック部１００はそれぞれ載置部８２上の前壁１０２と底板部８０裏面側の後壁１０３（後掲の図３２参照）との間に空間を形成し、下端に開口している。
封止ブロック部１００の載置部８２上に突出した前壁１０２には、後述の封印ピン４３０が挿入される２つの係止孔１０４が設けられている。係止孔１０４は上下に切欠き１０５を有している。
なお、封止ブロック部１００内の空間は、２つの係止孔１０４に対応して区画１０１ａ、１０１ｂに分かれている。（図３２、図３４参照）
【０１０９】
載置部８２の上面には金属板の補強プレート１３０Ａが取り付けられる。補強プレート１３０Ａは、載置部８２の左右のスリット溝９０の間にわたる長さを有して載置部８２の上面に重ね合わされる平板部１３２と、平板部１３２の後端から上方に延びて底板部８０の表面に重ね合わされる縦壁１３４と、平板部１３２の左右両端から下方に延びてスリット溝９０に差し込まれる軸支板部１３６とを備える。
【０１１０】
縦壁１３４には２つの窓穴１４２に挟まれて、２つの封止ブロック部１００をカバーする切欠穴１４０が形成されるとともに、切欠穴１４０の範囲において平板部１３２は縦壁１３４の裏面より後方へ延びており、補強プレート１３０Ａが可動ベース部２８Ａに固定された状態において、封止ブロック部１００内に形成される空間の開口をカバーする。
可動ベース部２８Ａの他の構成は第１の実施例の可動ベース部２８と同じであり、台座装置２５Ａの他の構成は第１の実施例の台座装置２５と同じである。
【０１１１】
次に、主制御装置２２Ａの構成について説明する。
図２３は主制御装置２２Ａの分解斜視図、図２４は第１ボックス２００Ａの裏面を示す斜視図である。
基板ボックス３０Ａは表側の第１ボックス２００Ａと裏側の第２ボックス３００Ａとからなっている。
主基板２３ＡはＣＰＵやＲＯＭ等のＩＣチップを含む各種電子部品、ソケット等が実装されているが、第１の実施例の主基板２３とは異なり、張り出し部１５０を有しておらず、全体形状が矩形である。
【０１１２】
第１ボックス２００Ａの下端部には、後述する角孔部２４１と切欠凹部２２１の間の裏面（第２ボックス側）に連結固定部２１５が設定されている。第１ボックス２００Ａの裏面には、連結固定部２１５を区画し上方へ開口する所定高さの囲み壁２１７が設けられている。
そして、第２ボックス３００Ａには、第１ボックス２００Ａの連結固定部２１５に対応して矩形の固定ブロック３０４が設けられている。第１ボックス２００Ａと第２ボックス３００Ａの結合状態において、固定ブロック３０４の穴３０５から不図示のネジを連結固定部２１５のネジ孔２１６にねじ込むことにより、第１ボックス２００Ａと第２ボックス３００Ａとが互いに固定される。
以下に詳述する封印部以外の基板ボックス３０Ａの構成は第１の実施例の基板ボックス３０と同じである。
【０１１３】
図２１に示すように、基板ボックス３０Ａの下端部には、封印部として第１封印部３５、第２封印部３６、第３封印部３７が左側から順次横方向に隣接して並んでおり、第３封印部３７が左右方向中央に位置している。当該部位の近傍には封印の順番を示すためＡ〜Ｃの符号が付せられている。
第１封印部３５および第２封印部３６（Ａ、Ｂ）は基板ボックス３０Ａを可動ベース部２８Ａに封印結合するためのもので、第３封印部３７（Ｃ）は第１ボックス２００Ａと第２ボックス３００Ａを封印結合するものである。
【０１１４】
図２３において、第１ボックス２００Ａには第１の実施例における矩形凹部２２０相当部位が隔壁２６１ａで区画されて、左右方向１列に並んだ角孔部２４１、２６１、２４１が形成されている。
角孔部２４１は底壁２４２（図２５参照）を有する。
角孔部２６１を挟む隔壁２６１ａは底壁２４２を中断して前方および後方へ延び、後端が底壁２４２と平行なカバー壁２７０Ａでつながって、底壁２４２の裏面側では図２４に示すように、上方に開口し、下端が閉じたブロック受け部２１９Ａを形成している。
【０１１５】
図２５は第１ボックス２００Ａの封印部まわりを示す拡大図で、（ａ）は正面図、（ｂ）は（ａ）におけるＦ−Ｆ部断面図である。図２６の（ａ）、（ｂ）、（ｃ）は、それぞれ図２５の（ａ）におけるＧ−Ｇ部、Ｈ−Ｈ部、Ｊ−Ｊ部の各断面図である。
第１、第２封印部３５、３６を形成するため、左側の角孔部２４１に封印部材（筒状体５００、５１０）が設けられ、第３封印部３７を形成するため、列中央の角孔部２６１に封印部材（筒状体５２０）が設けられている。
【０１１６】
第１封印部３５の封印部材をなす筒状体５００は、左側の角孔部２４１内に軸を前後方向として配置され、その前端部において上下の脆弱な連結部２４４ａによって角孔部２４１の上内壁と下内壁に連結されている。連結部２４４ａは正面から見たとき筒状体５００との接続部がとくに細くなって断面積が小さくなっている。
筒状体５００の後端は底壁２４２の前面に位置している。
角孔部２４１の底壁２４２は、前方から見たときの筒状体５００と連結部２４４ａの輪郭に対して所定の間隙を設けた形状に切り欠かれた穴２４３ａを有している。底壁２４２が筒状体５００と直接つながっていないため、連結部２４４ａを切断することで筒状体５００を切除できる。
【０１１７】
筒状体５００は後述の封印ピン４３０を挿入する一定内径の筒穴５０２を有しており、その後端には小径孔５０４を有する底壁５０３を備えている。
筒穴５０２の長さは、封印ピン４３０における第１ピン４３２の大径部４３３の後端を底壁５０３に当接させたとき第１ピン４３２の前端と筒状体５００の前端とが整合して面一となるように設定されている。
とくに図２６の（ａ）に示すように、筒穴５０２の上端には、軸方向全長にわたってキー溝５０６が形成され、キー溝５０６は底壁５０３にも及んでいる。
筒状体５００の外周面には、上下の連結部２４４ａを結ぶ線に直角な位置で横右方向に突出するキーリブ５０８が前端から所定長さ延びている。
【０１１８】
つぎに、第２封印部３６の封印部材をなす筒状体５１０も、角孔部２４１内に軸を前後方向として配置され、その前端部において上下の脆弱な連結部２４４ｂによって角孔部２４１の上内壁と下内壁に連結されている。
筒状体５１０の前端は前後方向（軸方向）において筒状体５００の前端と同一位置にある。
連結部２４４ｂは正面から見たとき筒状体５１０との接続部がとくに細くなって断面積が小さくなっている。
【０１１９】
角孔部２４１の底壁２４２は、前方から見たときの筒状体５１０と連結部２４４ｂの輪郭に対して所定の間隙を設けた形状に切り欠かれた穴２４３ｂを有し、筒状体５１０の後端は穴２４３ｂ内に位置している。
底壁２４２が筒状体５１０と直接つながっていないため、連結部２４４ｂを切断することで筒状体５１０を切除できる。
筒状体５１０は筒状体５００の円筒外径と整合する内径の筒穴５１２を有しており、その後端には小径孔５１４を有する底壁５１３を備えている。小径孔５１４の径は小径孔５０４と同じである。
筒穴５１２の開口から底壁５１３の前面までの長さは筒状体５００の軸方向長さと同じに設定してある。
【０１２０】
筒穴５１２の正面から見て右端には前端から軸方向にキー溝５１６が形成され、軸心とキー溝５１６を結ぶ横方向線に対して直角な線上の上下端には溝５１７が前端から軸方向に形成されている。
キー溝５１６は、筒状体５００のキーリブ５０８の全長を受け入れ可能なサイズを有している。
溝５１７は、後述するように角孔部２４１内から切り離した後の筒状体５００に残った連結部２４４ａの切断痕（切り株）を受け入れ可能なサイズを有している。
筒状体５１０の外周面にはキー溝５１６と重なってキーリブ５１８が前端から軸方向に所定長さ延びている。
【０１２１】
第３封印部３７の封印部材をなす筒状体５２０は、角孔部２６１内に軸を前後方向として配置されている。
角孔部２６１を画する隔壁２６１ａは、その前端が筒状体５００、５１０の前端よりも前方まで延びている。筒状体５２０はその前端部を左右の脆弱な連結部２４４ｃによって隔壁２６１ａの前端部に連結されており、したがって、前端が筒状体５００、５１０の前端よりも前方に位置している。
連結部２４４ｃを切断することで筒状体５２０を切除できる。
【０１２２】
筒状体５２０は筒状体５１０の円筒外径と整合する内径の筒穴５２２を有しており、その後端には小径孔５２４を有する底壁５２３を備えている。小径孔５２４の径は小径孔５０４、５１４と同じである。
筒穴５２２の開口から底壁５２３の前面までの長さは筒状体５１０の軸方向長さと同じに設定してある。
【０１２３】
筒穴５２２の正面から見て右端には前端から軸方向にキー溝５２６が形成され、軸心とキー溝５２６を結ぶ横方向線に直角な線上の上下端には溝５２７が前端から軸方向に形成されている。
キー溝５２６は、筒状体５１０のキーリブ５１８の全長を受け入れ可能なサイズを有している。
溝５２７は、後述するように角孔部２４１内から切り離した後の筒状体５１０に残った連結部２４４ｂの切断痕を受け入れ可能なサイズを有している。
隔壁２６１ａとカバー壁２７０Ａで囲まれたブロック受け部２１９Ａの底壁２２３には、後述する第２ボックス３００Ａの矩形ブロック３４１から延びるフック３１４（図２７参照）を受ける角孔状のフック受け２０８が形成されている。
【０１２４】
つぎに、図２７は第２ボックス３００Ａの封印部まわりを示す拡大図で、（ａ）は正面図、（ｂ）は（ａ）におけるＫ−Ｋ部断面図である。図２８は図２７の（ａ）におけるＬ−Ｌ部の断面図である。
第２ボックス３００Ａの切欠きスペース３２０の中央には、上壁３２１からまず第１ボックス２００Ａの筒状体５２０に対応させて矩形ブロック３４１が下方に延び、その両側にはカバー板部３３４が下方に延びている。
【０１２５】
カバー板部３３４は可動ベース部２８Ａの封止ブロック部１００に対応させて、底板部３０１の裏面よりも前方へオフセットさせてあり、基板ボックス３０Ａを可動ベース部２８Ａに載置したときに、封止ブロック部１００の前壁１０２の表面とカバー板部３３４の裏面とが面で接するように設定されている。
左側のカバー板部３３４には、第１ボックス２００Ａの筒状体５００に対応させて、後述する封印ピン４３０の後端を通過させるＵ字状の切欠き３３５ａが形成され、また、筒状体５１０に対応させて、同様にＵ字状の切欠き３３５ｂが形成されている。筒状体５１０が筒状体５００よりも大径であるのに対応させて、切欠き３３５ｂは切欠き３３５ａよりも大きくしてある。
【０１２６】
矩形ブロック３４１は、第１ボックス２００Ａと第２ボックス３００Ａのスライド面と平行に下方へ延びた前壁３４２と、前壁３４２の３辺を囲んで上壁３２１に接続し、上壁３２１ともに四画枠を形成する枠壁３４３とからなり、前壁３４２には後述の封印ピン４３０が挿入される係止孔３４４が設けられている。係止孔３４４は上下に切欠き３４５を有している。係止孔３４４の径は可動ベース部２８Ａにおける封止ブロック部１００の係止孔１０４と同じである。
なお、矩形ブロック３４１の下端には下方へ延びるフック３１４が形成されており、このフック３１４が第１ボックス２００Ａのブロック受け部２１９Ａの底壁２２３に形成されたフック受け２０８（図２５参照）に差し込まれるようになっている。
【０１２７】
切欠きスペース３２０における側壁３２２（固定ブロック３０４）とカバー板部３３４との間、およびカバー板部３３４と矩形ブロック３４１との間には、スリット３３６が形成され、第１ボックス２００Ａの固定部２１５裏面に設けた囲み壁２１７と、角孔部２６１を画する隔壁２６１ａとがこれらのスリット３３６に進入可能となっている。これにより、基板ボックス３０Ａの組立時に第１ボックス２００Ａと第２ボックス３００Ａのスライドを許す。
左側２つの筒状体５００、５１０と封止ブロック部１００の合わせ部に第１、第２封印部３５、３６が形成され、各筒状体５００、５１０と封止ブロック部１００の間にカバー板部３３４が挟まれる。また、右端の筒状体５２０と矩形ブロック３４１の合わせ部に第３封印部３７が形成される。
【０１２８】
つぎに、封印ピン４３０について説明する。
図２９は封印ピン４３０の分解斜視図である。封印ピン４３０は、筒状の第１ピン４３２と、第１ピン４３２に挿入される第２ピン４５０とからなり、いずれもＰＡ、ＰＰ、ＰＯＭ、ＰＣあるいはＡＢＳ等の樹脂製である。
図３０は第１ピン４３２を示す図である。（ａ）は正面図、（ｂ）は上面図、（ｃ）は側面図、（ｄ）は底面図、（ｅ）は背面図、そして（ｆ）は（ｂ）におけるＭ−Ｍ部断面図である。
第１ピン４３２は、第１ボックス２００Ａの筒状体５００の筒穴５０２に対応する径をもつ大径部４３３と、小径孔５０４に対応する径をもつ小径部４３４とからなる外形を有する。
大径部４３３側を前、小径部４３４側を後とする。
【０１２９】
第１ピン４３２の外周面には大径部４３３の全長にわたって軸方向のキーリブ４３５が形成され、小径部４３４の前端にまで及んでいる。
キーリブ４３５は筒状体５００のキー溝５０６に対応しており、キーリブ４３５をキー溝５０６に合わせれば、第１ピン４３２を筒状体５００の筒穴５０２に押し込むことができ、キーリブ４３５とキー溝５０６の係合により回転方向の位置も固定される。
【０１３０】
第１ピン４３２は外形形状に沿った大径孔４３９と小径孔４４０とからなる筒穴４３８を有している。
大径孔４３９には、キーリブ４３５に対して周方向１８０°の位置に、軸方向全長にわたるスリット４４１が形成されている。
小径部４３４には、キーリブ４３５とスリット４４１を結ぶ上下方向に対して、直角の左右方向に弾性部４４３が設けられている。弾性部４４３は、小径部４３４の筒壁に形成したコ字形状のスリットに囲まれて、大径部４３３側を根元とし軸方向後方へ延びる片形状をなし、後端に外方（左右方向）へ突出する係止爪４４４を有している。
係止爪４４４は前端を軸方向に垂直な係止面４４６とし、その後部外面は小径部４３４と同軸のコーン形状をなして、先端が小径部４３４の径まで縮径する傾斜面４４５としている。
【０１３１】
第１ピン４３２の前端から係止爪４４４の係止面４４６までの距離は、第１ボックス２００Ａと第２ボックス３００Ａを結合した基板ボックス３０Ａを可動ベース部２８Ａに載置した状態において、筒状体５００の前端から可動ベース部２８Ａにおける封止ブロック部１００の前壁１０２の裏面までの距離に対応し、係止爪４４４が前壁１０２の裏面に係止するよう設定されている。
小径部４３４の後端の上下には、後述の第２ピンの係止爪４５６と係合する切欠き４４７が設けられている。
【０１３２】
図３１は第２ピン４５０を示す図である。（ａ）は正面図、（ｂ）は上面図、（ｃ）は側面図、（ｄ）は背面図、そして（ｅ）は（ｂ）におけるＮ−Ｎ部断面図である。
第２ピン４５０は、第１ピン４３２の大径孔４３９に整合する径を有する大径部４５１と、小径孔４４０に整合する径を有する小径部４５２とを有し、前端が大径部４５１の前壁で閉じられ、小径部４５２の後端に開口する筒孔４５３を備えている。
大径部４５１の長さは大径孔４３９の長さに対応し、全長にわたってスリット４４１に対応する軸方向のキーリブ４５４が形成されている。
【０１３３】
小径部４５２の後端からは、後方へ弾性部４５５が延びている。弾性部４５５は後端に外方（左右方向）へ突出する係止爪４５６を有し、係止爪４５６は前端を軸方向に垂直な係止面４５８とし、その後部外面は小径部４５２と同軸のコーン形状をなして、先端が当該小径部４５２の径まで縮径する傾斜面４５７としている。
弾性部４５５は、図３１の（ｄ）に示すように、第２ピン４５０の軸心とキーリブ４５４を通る直径線上の互いに反対側に設けられている。
係止面４５８の軸方向位置は、第２ピン４５０をその前端が第１ピン４３２の前端と面一になるまで押し込んだときに、第１ピンにおける小径部４３４の切欠き４４７の底端面に係止するように設定されている。
【０１３４】
初回の封印は第１封印部３５（Ａ）において行う。
封印に際しては、まず基板ボックス３０Ａを可動ベース部２８Ａに載置した状態で、大径部４３３の外周面に接着剤を塗布した第１ピン４３２を、その先端（後端）から筒状体５００に差し込んでいくと、第１ピン４３２の弾性部４４３が内径方向に撓んで、係止爪４４４が小径孔５０４（図２５、図２６参照）の内径まで引っ込んだ状態で小径部４３４が小径孔５０４内に進入する。
【０１３５】
そして、キーリブ４３５（図３０参照）をキー溝５０６（図２５、図２６参照）に沿わせながらさらに押し込むと、係止爪４４４が筒状体５００に続くカバー板部３３４の切欠き３３５ａおよび封止ブロック部１００における前壁１０２の係止孔１０４を通過して、弾性部４４３が復元して係止爪４４４が小径部４３４外周面から突出し、その係止面４４６が前壁１０２の裏面に係止（係止孔１０４に係止）する。
この状態で第１ピン４３２の前端は筒状体５００の前端と面一になる。
図３２の（ａ）は、筒状体５００に第１ピン４３２を挿入した状態を示し、（ｂ）は（ａ）におけるＰ−Ｐ部断面図である。
【０１３６】
つぎに、第２ピン４５０をその先端（後端）から第１ピン４３２に差し込んでいくと、第２ピン４５０の弾性部４５５が内径方向に撓んで、係止爪４５６が小径孔４４０（図３０参照）の内径まで引っ込んだ状態で小径部４５２（図３１参照）が小径孔４４０内に進入する。
そして、係止爪４５６が第１ピン４３２の小径部４３４後端の切欠き４４７に至ると、弾性部４５５が復元して、係止爪４５６が小径部４５２の外周面から突出し、その係止面４５８が切欠き４４７の底端面に係止する。
図３２の（ｃ）は第１ピン４３２への第２ピン４５０の挿入が終了した封印結合状態を示す図である。
【０１３７】
第２ピン４５０の前端は第１ピン４３２の前端と面一になるので、このあと第２ピン４５０を引き抜くことはできず、したがって、第１ピン４３２内に第２ピン４５０が保持されることにより、弾性部４４３を撓ませて係止爪４４４と封止ブロック部１００の前壁１０２の係止を外すことはできない。
また、第１ピン４３２の係止爪４４４が係止している前壁１０２の係止孔１０４は上下に係止爪４４４が通過可能な切欠き１０５を有しているが、第１ピン４３２はキーリブ４３５とキー溝５０６の係合により回転が規制され、しかも接着剤で筒状体５００に接着されているので、係止爪４４４を切欠き１０５位置へ回転させることもできない。
したがって係止爪４４４が封止ブロック部の前壁１０２から外れることはない。
【０１３８】
また、係止爪４４４を含む封印ピン４３０の後端が位置する封止ブロック部１００の空間は下端のみが開口しているが、可動ベース部２８Ａには補強プレート１３０Ａが設けられて開口を閉じているので、当該開口からもドライバ等によって封印ピン４３０にアクセスし係止爪４４４に外力を及ぼすこともできない。
そして、第２ボックス３００Ａが第１ボックス２００Ａと可動ベース部２８Ａとの間に挟まれるので、第１封印部３５（Ａ）の封印を解除しない限りは基板ボックス３０Ａを開いて主基板２３Ａにアクセスすることはできない。
【０１３９】
封印を解除するには、筒状体５００を角孔部２４１の上内壁と下内壁につないでいる連結部２４４ａを切断して、筒状体５００ごと封印ピン４３０を回転させ、可動ベース部２８Ａの封止ブロック部１００の前壁１０２に係止している係止爪４４４を係止孔１０４の切欠き１０５に合わせることにより、封印ピン４３０を封止ブロック部１００から解放する。
このあと、基板ボックス３０Ａを可動ベース部２８Ａに対して上方へスライドさせ、可動ベース部Ａから取外して開くことができる。
【０１４０】
第１封印部３５（Ａ）から解放した封印ピン４３０は、図３３に示すように、その第１ピン４３２が、大径部４３３に筒状体５００が一体に接着して大径部の外径が拡大したものとなっている。
図中、連結部２４４ａの切断痕（切り株）は同符号２４４ａで示している。
この大径部の外径が拡大した第１ピンの符号を、識別のため、４３２Ｌとする。
なお、第１ピン４３２Ｌと第２ピン４５０は互いに接着されていないため、封止ブロック部１００から解放したあと、第２ピン４５０の係止爪４５６を内径方向に押し縮めることにより互いに分離することができる。
【０１４１】
つぎに、第２封印部３６（Ｂ）について説明する。
ここでは、第１封印部３５（Ａ）を解除したあとの、第１ピンの大径部４３３が拡大した封印ピン４３０を用いて基板ボックス３０Ａと可動ベース部２８Ａとを封印する。
まず第１ピン４３２Ｌを筒状体５１０に挿入して係止爪４４４を封止ブロック部１００の前壁１０２の係止孔１０４に係止させる。第１ピン４３２Ｌは大径部４３３に筒状体５００が固着しており、筒状体５１０に挿入する際には大径部の外周となっている筒状体５００の周面に接着剤を塗布し、キーリブ５０８を筒穴５１２のキー溝５１６（図２５参照）に沿わせる。
このあと、第１ピン４３２内に第２ピン４５０を挿入する。
封印ピン４３０（第１ピン４３２Ｌおよび第２ピン４５０）の挿入過程は、封印ピン４００で第１封印部３５を封印した場合と同じである。
図３４は第２封印部３６における封印ピン４３０による封印結合状態を示し、（ａ）は縦断面図、（ｂ）は（ａ）におけるＱ−Ｑ部断面図である。
【０１４２】
第１ピン４３２Ｌの係止爪４４４が可動ベース部２８Ａの前壁１０２の係止孔１０４に係止した状態において、第１ピン４３２Ｌと第２ピン４５０の各前端は筒状体５１０の前端と面一になり、また、筒状体５００に残った連結部２４４ａの切断痕は筒穴５１２の上下の溝５１７に収容される。
この結果、封印ピン４３０を前面側から回転させることができず、第１封印部３５（Ａ）と同様に裏面側から封止ブロック部１００内の係止爪４４４にアクセスすることもできないから、可動ベース部２８Ａから基板ボックス３０Ａを取外して開くことはできない。
【０１４３】
封印を解除するには、筒状体５１０を角孔部２４１の上内壁と下内壁につないでいる連結部２４４ｂを切断して、筒状体５１０ごと封印ピン４３０を回転させ、可動ベース部２８Ａの封止ブロック部１００の前壁１０２に係止している係止爪４４４を係止孔１０４の切欠き１０５に合わせることにより、封印ピン４３０を封止ブロック部１００から解放する。
第２封印部３６（Ｂ）から解放した封印ピン４３０は、図３５に示すように、その第１ピン４３２Ｌの外周に筒状体５１０が一体に接着して大径部４３３の外径がさらに拡大したものとなっている。
この大径部４３３の外径がさらに拡大した第１ピンの符号を、識別のため、４３２ＬＬとする。
【０１４４】
つぎに、第３封印部３７（Ｃ）について説明する。
ここでは、第２封印部３６（Ｂ）を解除したあとの、第１ピン４３２の大径部４３３がさらに拡大した封印ピン４３０を用いて基板ボックス３０Ａの第１ボックス２００Ａと第２ボックス３００Ａの結合を封印する。
第１ボックス２００Ａと第２ボックス３００Ａを結合した状態で、まず第１ピン４３２ＬＬをその先端（後端）から筒状体５２０の筒穴５２２に差し込む。この際、第１ピン４３２Ｌの外周に固着した筒状体５１０のキーリブ５１８を筒穴５２２のキー溝５２６（図２５参照）に沿わせる。
第１、第２封印部３５、３６におけると同様に、第１ピン４３２Ｌの外周に固着している筒状体５１０の周面に接着剤を塗布することができる。
【０１４５】
第１ピン４３２ＬＬの進入の過程において、筒状体５２０における底壁５２３の小径孔５２４、および矩形ブロック３４１の前壁３４２の係止孔３４４（図２７参照）を係止爪４４４が通過する際、第１ピン４３２ＬＬの弾性部４４３が内径方向に撓む。そして、係止爪４４４が前壁３４２の係止孔３４４を通過すると、弾性部４４３が復元して係止爪４４４が小径部４３４外周面から突出し、その係止面４４６が前壁３４２の裏面に係止（係止孔３４４に係止）する。
このあと、第１ピン４３２ＬＬ内に第２ピン４５０を挿入する。
図３６の（ａ）は第３封印部３７における封印ピン４３０による封印結合状態を示し、（ｂ）は（ａ）におけるＲ−Ｒ部断面図である。なお、可動ベース部２８Ａは図示省略している。
第１ピン４３２ＬＬと第２ピン４５０の各前端は筒状体５２０の前端と面一になり、また、筒状体５１０に残った連結部２４４ｂの切断痕は筒穴５２２の上下の溝５２７に収容される。
【０１４６】
第２ピン４５０の前端は第１ピン４３２ＬＬの前端と面一になるので、このあと第２ピン４５０を引き抜くことはできず、したがって、第１ピン４３２ＬＬ内に第２ピン４５０が保持されることにより、弾性部４４３を撓ませて係止爪４４４と矩形ブロック３４１の前壁３４２の係止を外すことはできない。
また、第１ピン４３２ＬＬの係止爪４４４が係止している矩形ブロック３４１の前壁３４２の係止孔３４４は上下に係止爪４４４が通過可能な切欠き３４５（図２７参照）を有しているが、第１ピン４３２ＬＬはキーリブ５１８とキー溝５２６の係合により回転が規制されているので、係止爪４４４を切欠き３４５位置へ回転させることもできない。
したがって第１ボックス２００Ａ側から挿入された封印ピン４３０の係止爪４４４が第２ボックス３００Ａにおける矩形ブロック３４１の前壁３４２から外れることはなく、第１ボックス２００Ａと第２ボックス３００Ａの結合が解除されることはない。
【０１４７】
また、矩形ブロック３４１は第１ボックス２００Ａのブロック受け部２１９Ａに囲まれているので、矩形ブロック３４１に係止している封印ピン４３０の係止爪４４４に基板ボックス３０Ａの裏面側からアクセスすることもできない。したがって、第１ボックス２００Ａと第２ボックス３００Ａを開くことはできず、例えば主基板２３Ａをメーカなどへ返送する際の安全を確保することができる。
【０１４８】
本実施例は以上のように構成され、第２ボックス３００Ａを間に挟んで第１ボックス２００Ａと可動ベース部２８Ａの結合を封印する第１封印部３５において、第１ボックス２００Ａに筒状体５００を設け、可動ベース部２８Ａに封止ブロック部１００を設けるとともに、係止爪４４４を有して第１ボックス２００Ａ側から可動ベース部２８Ａ側へ筒状体５００に挿入され、係止爪４４４を筒状体５００より後側の封止ブロック部１００の前壁１０２の係止孔１０４に係止して封印状態を得る封印ピン４３０を有し、封印ピン４３０は封印時にその第１ピン４３２の外周と筒状体５００の筒穴５０２の間を接着剤で固着して、第１ボックス２００Ａから筒状体５００を切除して封印を解除したとき第１ピン４３２の外形が拡大するものとしたので、不正入手の、第１ボックス２００Ａおよび、第２ボックス３００Ａにおける同一の第１封印部３５に適用することができず、不正行為を防止することができる。
【０１４９】
同じく第１ボックス２００Ａと可動ベース部２８Ａの結合を封印する第２封印部３６においても、第１ボックス２００Ａに筒状体５１０を設け、筒状体５１０の筒穴５１２の径を筒状体５００の外径に対応するものとして、封印ピンは外周に筒状体５００が固着した第１ピン４３２Ｌを筒状体５１０に挿入し、係止爪４４４を筒状体５１０より後側の封止ブロック部１００の前壁１０２の係止孔１０４に係止するとともに、封印ピン４３０は封印時にその第１ピン４３２Ｌの外周と筒状体５１０の筒穴５１２の間を接着剤で固着して、第１ボックス２００Ａから筒状体５１０を切除して封印を解除したとき第１ピン４３２Ｌの外形が拡大するものとしたので、不正入手の、第１ボックス２００Ａおよび、第２ボックス３００Ａにおける第１封印部３５または第２封印部３６に適用することができず、不正行為を防止することができる。
【０１５０】
第１ボックス２００Ａと第２ボックス３００Ａの結合を封印する第３封印部３７においては、第１ボックス２００Ａに筒状体５２０を設けてその筒穴５２２の径を筒状体５１０の外径に対応するものとし、第２ボックス３００Ａには前壁３４２に係止孔３４４を備える矩形ブロック３４１を設けて、封印ピンは外周に筒状体５１０が固着した第１ピン４３２ＬＬを筒状体５２０に挿入し、係止爪４４４を筒状体５２０より後側の矩形ブロック３４１の前壁３４２の係止孔３４４に係止して封印するものとした。
第１、第２封印部３５、３６では第２ボックス３００Ａが第１ボックス２００Ａと可動ベース部２８Ａの間に挟まれることにより第１ボックス２００Ａと第２ボックス３００Ａからなる基板ボックス３０Ａの結合が封印されるが、第３封印部３７では基板ボックス自体が封印されるので、メーカなどへ返送する際の安全を確保することができる。
【０１５１】
以上のように、本実施例においても、封印ピン４３０は封印解除の度にその状態が変化し、第１ピン４３２の形状、とくに大径部４３３の外径が順次拡大するものとなっている。
したがって、他の基板ボックス３０Ａを破壊して不正に封印ピン４３０を入手したとしても、当該封印ピンはすでに第１ピンが４３２Ｌあるいは４３２ＬＬのように外径が拡大しているから、不正に構成し新規を装った基板ボックスでも初回封印部である第１封印部３５（Ａ）の筒状体５００に挿入することができず、第２または第３封印部の筒状体５１０、５２０に挿入せざるを得ないため、当該基板ボックスが正規に形成されたものでないことを容易に知ることができる。
また、各封印部において、封印ピンを筒状体に挿入する封印作業時に接着剤を施すことで自動的に封印ピンの外径拡大の準備となり、また筒状体との嵌め合い領域において周方向全域を接着面とすることができるので、強固な固着状態を簡単に得ることができる。
【０１５２】
封印ピン４３０は、同一の係止爪４４４が第１から第３のすべての封印部において共通に用いられ、各封印部専用の係止爪を設定しないので、小型に構成でき、これにより、少材料で製作できてコスト低減が図れるとともに、封印部のスペースも縮小が可能となる。
【０１５３】
なお、第３封印部３７（Ｃ）の筒状体５２０に封印ピン４３０の第１ピン４３２ＬＬを挿入する際にも、その第１ピンに固着している筒状体５１０の外周に接着剤を塗布すれば、第３封印部３７の封印を解除した後の封印ピン４３０の第１ピンは筒状体５２０が固着したさらに大径のものに変化するから、不正に構成した基板ボックス３０Ａの筒状体５００、５１０、５２０のいずれにも挿入できないものとなる。
【０１５４】
また、封印解除の度に第１ピン４３２に順次固着した筒状体５００、５１０等とその直接内側となる大径部４３３、筒状体５００との間には接着剤に加えて互いに係合しているキーリブ４３５とキー溝５０６の断面変化部が形成されているので、外周の筒状体５００を削りとって例えば第１ピン４３２を不正に得ようとしても、削りとりの際にキーリブ４３５部分も毀損してしまって初期状態と同一のキーリブ形状を備える第１ピン４３２を復元回収することは困難である。
なお、１組のキーリブとキー溝だけでなく、さらに脆弱な多数の凸凹を上記互いに固着する部材間の接着面に設けると接着面積も増大し、凸凹を尖った断面を有するなど破損しやすい形状とすれば外周の筒状体の削りとりが一層困難になり、不正行為防止に有効である。このような凸凹は封印ピン４３０の第１ピン４３２および各筒状体５００、５１０、５２０の前端部に設定することにより、不正行為による凸凹の毀損が発見されやすい。
【実施例３】
【０１５５】
次に、第３の実施例を説明する。
これは第２の実施例と同様に封印解除の度に封印ピン４３０における第１ピン４３２の形状が拡大するものであるが、とくに封印部における封印部材である筒状体の形状を異ならせたものである。
なお、とくに符号により区別はしないが、第２の実施例と比較して本実施例では第１ピン４３２の後端をカットして小径部４３４をわずかに短くしている。
主基板ユニットが、第２の実施例における基板ボックス３０Ａの代わりに、第１ボックス２００Ｂと第２ボックス３００Ｂからなる基板ボックス３０Ｂを備える。関連して台座装置２５Ａが、可動ベース部２８Ａの代わりに、封止ブロック部１００Ｂを備える可動ベース部２８Ｂを有し、主基板ユニットのその他の構成は第２の実施例に記載した主基板ユニット２０Ａと同じである。
以下では、第２の実施例と異なる部分について説明する。
【０１５６】
図３７は第１ボックス２００Ｂの封印部まわりを示す拡大図で、（ａ）は正面図、（ｂ）は（ａ）におけるＳ−Ｓ部断面図である。図３８の（ａ）、（ｂ）、（ｃ）は、それぞれ図３７の（ａ）におけるＴ−Ｔ部、Ｕ−Ｕ部、Ｖ−Ｖ部の各断面図である。
第１、第２封印部３５、３６（Ａ、Ｂ）を形成するため、左側の角孔部２４１に封印部材（筒状体５００Ｂ、５１０Ｂ）が設けられ、第３封印部３７（Ｃ）を形成するため、列中央の角孔部２６１に封印部材（筒状体５２０Ｂ）が設けられている。
【０１５７】
角孔部２６１を挟む隔壁２６１ａは底壁２４２を中断して前方および後方へ延び、後端が底壁２４２と平行なカバー壁２７０Ｂでつながって、底壁２４２の裏面側では図２４に示すブロック受け部２１９Ａと同様に、上方に開口し、下端が閉じたブロック受け部２１９Ｂを形成している。
カバー壁２７０Ｂの前面には上下方向に延びる２本の突条２７２が形成されている。前述の第１ピン４３２の小径部４３４を短くしたのはこの突条２７２の前方向高さ分に対応したものである。
とくに図示しないが、ブロック受け部２１９Ｂの上部開口は、図２４に示したブロック受け部２１９Ａよりも前方へ拡がっている。
【０１５８】
第１封印部３５の封印部材をなす筒状体５００Ｂは、第１ピン４３２と同様の中空ピン形状をなしている。筒状体５００Ｂは角孔部２４１内に軸を前後方向として配置され、その前端部において上下の脆弱な連結部２４４ａによって角孔部２４１の上内壁と下内壁に連結されている。連結部２４４ａは前方から見たとき筒状体５００Ｂとの接続部がとくに細くなって断面積が小さくなっている。
角孔部２４１の底壁２４２は、前方から見たときの筒状体５００Ｂと連結部２４４ａの輪郭に対して所定の間隙を設けた形状に切り欠かれた穴２４３ａを有している。
筒状体５００Ｂの後端は穴２４３ａを貫通して後方へ延びている。
底壁２４２が筒状体５００Ｂと直接つながっていないため、連結部２４４ａを切断することで筒状体５００Ｂを切除できる。
【０１５９】
筒状体５００Ｂは、大径部５３０と小径部５３１とからなる外形を有し、外形形状に沿った大径孔５３３と小径孔５３４とからなる筒穴５３２を有している。
大径部５３０側を前、小径部５３１側を後とする。
大径孔５３３と小径孔５３４の内径はそれぞれ封印ピン４３０における第１ピン４３２の大径部４３３と小径部４３４の外径に対応しており、封印ピン４３０を挿入可能となっている。
大径孔５３３の前側開口端からの長さは、第１ピン４３２の大径部４３３の長さと同一に設定され、第１ピン４３２の大径部４３３の後端を大径孔５３３と小径孔５３４の段差部に当接させたとき第１ピン４３２の前端が筒状体５００Ｂの前端と整合して面一となるようになっている。
【０１６０】
筒状体５００Ｂの大径部５３０の外周面には上下の連結部２４４ａを結ぶ線に直角な位置で横右方向に突出するキーリブ５０８が前端から軸方向に所定長さ延びている。
大径孔５３３の全長および小径孔５３４にかかる段差部には軸方向のキー溝５０６が形成されている。
小径部５３１には、左右方向に弾性部５３６が設けられている。弾性部５３６は、小径部５３１の筒壁に後端から軸方向に形成したスリットに挟まれて、大径部５３０側を根元とし軸方向後方へ延びる片形状をなし、後端に外方（左右方向）へ突出する係止爪５３７を有している。ここでは、係止爪５３７の先端は小径部５３１の先端（後端）と一致している。
係止爪５３７は前端を軸方向に垂直な係止面５３９とし、その後部外面は小径部５３１と同軸のコーン形状をなして、外方先端が小径部５３１の径まで縮径可能な傾斜面５３８としている。
【０１６１】
つぎに、第２封印部３６（Ｂ）の封印部材をなす筒状体５１０Ｂも、角孔部２４１内に軸を前後方向として配置され、その前端部において上下の脆弱な連結部２４４ｂによって角孔部２４１の上内壁と下内壁に連結されている。
筒状体５１０Ｂの前端は前後方向（軸方向）において筒状体５００Ｂの前端と同一位置にある。
連結部２４４ｂは正面から見たとき筒状体５１０Ｂとの接続部がとくに細くなって断面積が小さくなっている。
【０１６２】
角孔部２４１の底壁２４２は、前方から見たときの筒状体５１０Ｂと連結部２４４ｂの輪郭に対して所定の間隙を設けた形状に切り欠かれた穴２４３ｂを有し、筒状体５１０Ｂの後端は穴２４３ｂを貫通して後方へ延びている。
底壁２４２が筒状体５１０Ｂと直接つながっていないため、連結部２４４ｂを切断することで筒状体５１０Ｂを切除できる。
筒状体５１０Ｂは基本形状が円筒で、筒状体５００Ｂの大径部の円筒外径と整合する内径の筒穴５４０を有している。
【０１６３】
筒穴５４０の正面から見て右端にはキー溝５１６が前端から軸方向に形成され、軸心とキー溝５１６を結ぶ横（左右）方向線に対して直角な線上の上下端には前端から軸方向に溝５１７が形成されている。
キー溝５１６は、筒状体５００Ｂのキーリブ５０８の全長を受け入れ可能なサイズを有している。
溝５１７は、後述するように角孔部２４１内から切り離した後の筒状体５００Ｂに残った連結部２４４ａの切断痕（切り株）を受け入れ可能なサイズを有している。
筒状体５１０Ｂの外周面にはキー溝５１６と重なってキーリブ５１８が前端から軸方向に所定長さ延びている。
【０１６４】
筒状体５１０Ｂには、正面から見て軸心とキーリブ５１８をむすぶ横方向線上に弾性部５４２が設けられている。弾性部５４２は、円筒の筒壁に後端から軸方向に形成したスリットに挟まれて、前側を根元とし軸方向後方へ延びる片形状をなし、後端に外方（左右方向）へ突出する係止爪５４３を有している。係止爪５４３の先端は筒状体５１０Ｂの先端（後端）と一致している。
係止爪５４３は前端を軸方向に垂直な係止面５４５とし、円筒筒壁と同軸のコーン形状をなして、外方先端が円筒の径まで縮径可能な傾斜面５４４としている。
【０１６５】
第３封印部３７（Ｃ）の封印部材をなす筒状体５２０Ｂは、角孔部２６１内に軸を前後方向として配置されている。
角孔部２６１を画する隔壁２６１ａは、その前端が筒状体５００Ｂ、５１０Ｂの前端よりも前方まで延びている。筒状体５２０Ｂはその前端部を左右の脆弱な連結部２４４ｃによって隔壁２６１ａの前端部に連結されており、したがって、前端が筒状体５００Ｂ、５１０Ｂの前端よりも前方に位置している。
連結部２４４ｃを切断することで筒状体５２０Ｂを切除できる。
筒状体５２０Ｂの軸方向長さは筒状体５１０Ｂよりも短いが、筒状体５１０Ｂの円筒外径と整合する内径の筒穴５５０を有している。
【０１６６】
筒穴５５０の正面から見て右端にはキー溝５２６が全長に渡って前端から軸方向に形成され、軸心とキー溝５２６を結ぶ横方向線に対して直角の線上には上下端に前端から軸方向に所定長さの溝５２７が形成されている。
キー溝５２６は、筒状体５１０Ｂのキーリブ５１８の全長を受け入れる。
溝５２７は、後述するように角孔部２４１内から切り離した後の筒状体５１０Ｂに残った連結部２４４ｂの切断痕を受け入れ可能なサイズを有している。
隔壁２６１ａとカバー壁２７０Ｂで囲まれたブロック受け部２１９Ｂの底壁２２３には、後述する第２ボックス３００Ｂの矩形ブロック３４１Ｂから延びるフック３１４を受けるフック受け２０８が形成されている。
【０１６７】
つぎに、図３９は第２ボックス３００Ｂの封印部まわりを示す拡大図で、（ａ）は正面図、（ｂ）は（ａ）におけるＷ−Ｗ部断面図である。図４０は図３９の（ａ）におけるＸ−Ｘ部の断面図である。
第２ボックス３００Ｂの切欠きスペース３２０の中央には、上壁３２１からまず第１ボックス２００Ｂの筒状体５２０Ｂに対応させて矩形ブロック３４１Ｂが下方に延び、その両側にはカバー板部３３４が下方に延びている。
【０１６８】
カバー板部３３４は可動ベース部２８Ｂの封止ブロック部１００Ｂに対応させて、底板部３０１の裏面よりも前方へオフセットさせてあり、基板ボックス３０Ｂを可動ベース部２８Ｂに載置したときに、封止ブロック部１００Ｂの前壁１０２の表面とカバー板部３３４の裏面とが面で接するように設定されている。
カバー板部３３４には、第１ボックス２００Ｂの筒状体５００Ｂを通過させるＵ字状の切欠き３３５ｃが形成され、また、同様に筒状体５１０Ｂを通過させるＵ字状の切欠き３３５ｄが形成されている。筒状体５１０Ｂが筒状体５００Ｂよりも大径であるのに対応させて、切欠き３３５ｄは切欠き３３５ｃよりも大きくしてもよい。
【０１６９】
矩形ブロック３４１Ｂは、第１ボックス２００Ｂと第２ボックス３００Ｂのスライド面と平行に下方へ延びた前壁３４２Ｂと、前壁３４２Ｂの３各辺に沿って後方へ延びる枠壁３４３Ｂとを有し、前壁３４２Ｂには封印ピン４３０の後述の第１ピン４３２ＫＫが挿入される係止孔３４４Ｂが設けられている。
第１ボックス２００Ｂと第２ボックス３００Ｂが結合した状態において、前壁３４２Ｂは第１ボックス２００Ｂにおける角孔部２４１の底壁２４２よりも前方に位置している。
係止孔３４４Ｂは斜めの直径線上対称に切欠き３４５Ｂを有している。係止孔３４４Ｂの径は筒状体５１０Ｂの外径に対応させてある。前壁３４２Ｂの前後方向位置は、切り取った筒状体５１０Ｂをその前端が筒状体５２０Ｂの前端と面一になるまで挿入したとき、筒状体５１０Ｂの係止爪５４３が係止孔３４４Ｂに係止するように設定されている。
なお、矩形ブロック３４１Ｂの下端には、第１ボックス２００Ｂのフック受け２０８（図３８参照）に差し込まれるフック３１４が形成されている。
【０１７０】
図４１は可動ベース部２８Ｂの封止ブロック部を示し、（ａ）は正面図、（ｂ）は（ａ）におけるＹ−Ｙ部断面図である。
可動ベース部２８Ｂは右側の封止ブロック部１００が第２の実施例の封止ブロック部と同じであるが、左側の封止ブロック部１００Ｂはその第１前壁１０２Ｂが封止ブロック部１００の前壁１０２よりも後方に位置しており、さらに筒状体５１０Ｂに対応する区画１０１ｂには前壁１０２よりわずかに前方に突出した第２前壁１０２Ｃを有している。
筒状体５００Ｂに対応する区画１０１ａにおける第１前壁１０２Ｂには、上下に切欠き１０５を有する係止孔１０４が形成され、筒状体５１０Ｂに対応する区画１０１ｂの第２前壁１０２Ｃには筒状体５００Ｂの外径に対応して係止孔１０４よりも大径の係止孔１０４Ｋが形成されている。係止孔１０４Ｋの上下には、筒状体５００Ｂの係止爪５３７を通過させることが可能な切欠き１０５Ｋが形成されている。
【０１７１】
第１ボックス２００Ｂと第２ボックス３００Ｂを結合した基板ボックス３０Ｂを可動ベース部２８Ｂに載置した状態において、筒状体５００Ｂの後端が封止ブロック部１００Ｂにおける第１前壁１０２Ｂの前面上に位置するようになっている。
そして、第１ピン４３２をその前端が筒状体５００Ｂの前端と面一になるまで挿入したとき、第１ピン４３２の係止爪４４４が係止孔１０４に係止するように設定されている。
また、筒状体５１０Ｂの後端は封止ブロック部１００Ｂにおける第２前壁１０２Ｃの前面上に位置するようになっている。
そして、切り離した筒状体５００Ｂをその前端が筒状体５１０Ｂの前端と面一になるまで挿入したとき、筒状体５００Ｂの係止爪が係止孔１０４Ｋに係止するように設定されている。
その他の構成は第２の実施例と同じである。
【０１７２】
初回の封印は第１封印部３５（Ａ）で行う。
まず、大径部４３３の外周面に接着剤を塗布した第１ピン４３２を、その前端が筒状体５００Ｂの前端と面一になるまで挿入する。これにより、第１ピン４３２の係止爪４４４が可動ベース部２８Ｂの封止ブロック部１００Ｂにおける第１前壁１０２Ｂの係止孔１０４に係止する。
このあと第２ピン４５０を第１ピン４３２に挿入して係止爪４４４と封止ブロック部１００Ｂとの係止の外れを禁止する。
図４２は第１封印部３５における封印結合状態を示し、（ａ）は縦断面図、（ｂ）は（ａ）におけるＡＡ−ＡＡ部断面図である。
これにより、第２実施例における第１封印部と同じ封印機能が得られる。
【０１７３】
封印を解除するには、連結部２４４ａを切断して筒状体５００Ｂごと封印ピン４３０を回転させ、封止ブロック部１００Ｂの第１前壁１０２Ｂに係止している係止爪４４４を係止孔１０４の切欠き１０５に合わせることにより、封印ピン４３０を封止ブロック部１００Ｂから解放する。
第１封印部３５（Ａ）から解放した封印ピン４３０は、図４３に示すように、その第１ピン４３２が大径部４３３に筒状体５００Ｂが一体に接着して外形が拡大したものとなっている。
この外形が拡大した第１ピンの符号を、識別のため、４３２Ｋとする。
【０１７４】
次回の封印は第２封印部３６（Ｂ）で行う。
ここでは、第１封印部３５（Ａ）を解除したあとの、第１ピンの外形が拡大した封印ピン４３０を用いて基板ボックス３０Ｂと可動ベース部２８Ｂとを封印する。
まず第１ピン４３２Ｋを、その一部となっている筒状体５００Ｂの大径部の外周に接着剤を塗布し、キーリブ５０８を筒穴５４０のキー溝５１６に沿わせて筒状体５１０Ｂに挿入する。
筒状体５００Ｂの係止爪５３７が封止ブロック部１００Ｂにおける第２前壁１０２Ｃの係止孔１０４Ｋを通過時は、弾性部５３６が内径方向に撓む。
係止爪５３７が第２前壁１０２Ｃの係止孔１０４Ｋを通過すると、弾性部５３６が復元して係止爪５３７の係止面５３９が第２前壁１０２Ｃの裏面に係止（係止孔１０４Ｋに係止）する。
この状態で第１ピン４３２Ｋの前端は筒状体５１０Ｂの前端と面一になる。
このあと、第１ピン４３２内に第２ピン４５０を挿入する。
【０１７５】
図４４は第２封印部３６（Ｂ）における封印結合状態を示し、（ａ）は縦断面図、（ｂ）は（ａ）におけるＡＢ−ＡＢ部断面図である。
第１ピン４３２Ｋの筒状体５００Ｂに残った連結部２４４ａの切断痕は筒穴５４０の上下の溝５１７に収容される。
可動ベース部２８Ｂの封止ブロック部１００Ｂと係止する封印ピン４３０側の部位が、第１ピン４３２の係止爪４４４から、第１ピン４３２に固着した筒状体５００Ｂの係止爪５３７に代わっただけで、封印機能は第２の実施例における第２封印部と同じである。
【０１７６】
封印を解除するには、筒状体５１０Ｂを角孔部２４１の上内壁と下内壁につないでいる連結部２４４ｂを切断して、筒状体５１０Ｂごと封印ピン４３０を回転させ、封止ブロック部１００Ｂの第２前壁１０２Ｃに係止している係止爪５３７を係止孔１０４Ｋの切欠き１０５Ｋに合わせることにより、封印ピン４３０を封止ブロック部１００Ｂから解放する。
第２封印部３６（Ｂ）から解放した封印ピン４３０は、図４５に示すように、筒状体５１０Ｂが一体に接着して第１ピン４３２の外形がさらに拡大したものとなっている。
この外形が拡大した第１ピンの符号を、識別のため、４３２ＫＫとする。
【０１７７】
第３封印部３７（Ｃ）では、第２封印部３６（Ｂ）を解除したあとの、第１ピンの外形がさらに拡大した封印ピン４３０を用いて基板ボックス３０Ｂの第１ボックス２００Ｂと第２ボックス３００Ｂの結合を封印する。
まず第１ピン４３２ＫＫを、その一部となっている筒状体５１０Ｂの弾性部５４２を撓ませて筒状体５２０Ｂに差し込み、キーリブ５１８を筒穴５５０のキー溝５２６に沿わせて挿入する。
この際も、第１、第２封印部３５、３６におけると同様に、第１ピン４３２ＫＫの外周に固着している筒状体５１０Ｂの前端近傍周面に接着剤を塗布することができる。
【０１７８】
そして、弾性部５４２が撓んで筒状体５２０Ｂに続く矩形ブロック３４１Ｂの前壁３４２Ｂの係止孔３４４Ｂを係止爪５４３が通過すると、弾性部５４２が復元して係止爪５４３の係止面５４５が前壁３４２Ｂの裏面に係止（係止孔３４４Ｂに係止）する。
このあと、第１ピン４３２ＫＫ内に第２ピン４５０を挿入する。
図４６は第３封印部３７（Ｃ）における封印結合状態を示し、（ａ）は縦断面図、（ｂ）は（ａ）におけるＡＣ−ＡＣ部断面図である。なお、可動ベース部２８Ｂは図示省略している。
第２ピン４５０における係止爪４５６の係止面４５８が第１ピン４３２ＫＫの切欠き４４７の底端面に係止すると、第１ピン４３２ＫＫ（大径部４３３、筒状体５００Ｂおよび筒状体５１０Ｂ）と第２ピン４５０の各前端はすべて筒状体５２０Ｂの前端と面一になり、また、筒状体５１０Ｂに残った連結部２４４ｂの切断痕は筒穴５５０の上下の溝５２７に収容される。
【０１７９】
第２ボックス３００Ｂの矩形ブロック３４１Ｂと係止する封印ピン４３０側の部位が、第１ピン４３２の係止爪４４４から、第１ピン４３２に固着した筒状体５１０Ｂの係止爪５４３に代わっただけで、封印機能は第２の実施例における第３封印部と同じである。
なお、大サイズの封印ピン４３０に対して筒状体５２０Ｂおよび連結部２４４ｃは相対的に華奢な形状となっているが、突条２７２により剛性の高いカバー壁２７０Ｂが封印ピン４３０の後端（小径部４３４）に当接して支えるため、封印ピン４３０の挿入時に連結部２４４ｃなどを破損するおそれをなくしている。
【０１８０】
本実施例は以上のように構成され、第１、第２封印部３５、３６では基板ボックス３０Ｂと可動ベース部２８Ｂの結合封印が得られ、第３封印部３７では基板ボックス３０Ｂ自体が封印される点で、第２の実施例と同じ効果が得られる。
【０１８１】
また本実施例でも、封印ピン４３０は封印解除の度にその第１ピン４３２の外形が拡大するものとなっている。
したがって、他の基板ボックス３０Ｂを破壊して不正に封印ピンを入手したとしても、当該封印ピンはすでに第１ピンが４３２Ｋあるいは４３２ＫＫのように外形が拡大しているから、不正に構成し新規を装った基板ボックスでも初回封印部である第１封印部３５の筒状体５００Ｂに挿入することができず、第２または第３封印部の筒状体５１０Ｂ、５２０Ｂに挿入せざるを得ないため、当該基板ボックスが正規に形成されたものでないことを容易に知ることができる。
【０１８２】
なお、本実施例では第１ピン４３２の係止爪４４４に加えて、とくに第１ピン４３２に順次固着する各封印部の筒状体５００Ｂ、５１０Ｂがそれぞれ係止爪５３７、５４３を備え、封印ピンは２番目以降の各封印部３６、３７において当該封印ピンに最後に固着した筒状体の係止爪５３７、５４３が封止ブロック部１００Ｂの第２前壁１０２Ｃの係止孔１０４Ｋまたは矩形ブロック３４１Ｂの前壁３４２Ｂの係止孔３４４Ｂに係止する。このため、筒状体５００Ｂ、５１０Ｂが固着した封印ピンは係止爪もサイズが順次大きなものとなり、不正入手の基板ボックスにおける例えば１番目の封印部３５に使用しようとしても、その筒状体５００Ｂに適合しないだけでなく、係止爪５３７は封止ブロック部１００Ｂの第１前壁１０２Ｂの係止孔１０４に適合せず、係止爪５４３は第２前壁１０２Ｃの係止孔１０４Ｋに適合しないものとなり、不正行為を困難にする。
【０１８３】
なお、第３封印部３７の筒状体５２０Ｂに第１ピン４３２ＫＫを挿入する際にも、その第１ピンに固着している筒状体５１０の外周に接着剤を塗布すれば、第３封印部３７の封印を解除した後の第１ピンは筒状体５２０が固着したさらに大径のものに変化するから、不正に構成した基板ボックスの筒状体５００Ｂ、５１０Ｂ、５２０Ｂのいずれにも挿入できないものとなる。
したがって、第２の実施例と同じ効果を奏する。
【０１８４】
また本実施例においても、各封印部において互いに固着する部材間の接着面にキーリブとキー溝の噛合いによる凸凹断面が形成されているので、外周の筒状体を削りとろうとしても、キーリブ部分も毀損してしまって初期状態と同一のキーリブ形状を備える第１ピン４３２を復元回収することは困難である。
なお、互いに固着する部材間の接着面にさらに脆弱な凸凹を設けることにより、初期状態と同一の第１ピンを復元回収することを一層困難にすることができる。そして、凸凹を封印ピンの第１ピンおよび筒状体の前端部に設定することにより、不正行為による凸凹の毀損が発見されやすい。
【実施例４】
【０１８５】
次に、第４の実施例を説明する。
これは第２、第３の実施例が封印解除の度に封印ピンの形状が拡大方向に変化したのに対して、封印ピンの形状を縮小方向に変化させて使い回すようにしたものである。
主基板ユニットが、第２の実施例における基板ボックス３０Ａの代わりに、第１ボックス２００Ｃと第２ボックス３００Ｃからなる基板ボックス３０Ｃを備える。関連して台座装置２５Ａが、可動ベース部２８Ａの代わりに、封止ブロック部１００Ｃを備える可動ベース部２８Ｃを有し、主基板ユニットのその他の構成は第２の実施例に記載した主基板ユニット２０Ａと同じである。そして封印ピン４６０を用いる。
以下では、第２の実施例と異なる部分について説明する。
【０１８６】
まず、封印ピン４６０について説明する。
図４７の（ａ）は封印ピン４６０を示す外観斜視図、（ｂ）は後方から見た背面図である。
封印ピン４６０は複数、ここでは３本のピン部材からなり、それぞれの前端を連結部で順次連結した形態で、（ａ）に示すように一体成形したものである。
最外側のピン部材４６１ａは、所定長さの円筒部４６２ａと、円筒部４６２ａから円筒部の壁厚のまま軸方向に延びて先端に係止爪４６４ａを備える弾性脚４６３ａとからなっている。
係止爪４６４ａは、前端を軸方向に垂直な係止面４６６ａとし、その後部外面は円筒部４６２ａと同軸のコーン形状をなして、先端が円筒部４６２ａの外径近くまで縮径する傾斜面４６５ａとしている。
弾性脚４６３ａは円筒部４６２ａの直径線上に軸心を挟んで対称位置に２本形成されている。
円筒部４６２ａの外周面には、前端から軸方向所定長さのキーリブ４６９ａが形成されている。円筒部４６２ａの周方向においては、キーリブ４６９ａはそれぞれ弾性脚４６３ａと重なる位置としてある。
【０１８７】
外側から２番目のピン部材４６１ｂは、後掲の図５４に示すように、所定長さの円筒部４６２ｂと、円筒部４６２ｂから円筒部の壁厚のまま軸方向に延びて先端に係止爪４６４ｂを備える弾性脚４６３ｂとからなっている。
円筒部４６２ｂの外径は円筒部４６２ａの内径よりも小さい。
弾性脚４６３ｂは円筒部４６２ｂの直径線上に軸心を挟んで対称位置に２本形成されている。
各係止爪４６４ｂは、前端を軸方向に垂直な係止面４６６ｂとし、その後部外面は円筒部４６２ｂと同軸のコーン形状をなして、先端が円筒部４６２ｂの外径近くまで縮径する傾斜面４６５ｂとしている。
円筒部４６２ｂの外周面には、円筒部４６２ｂの直径線上の対称位置に、前端から軸方向所定長さのキーリブ４６９ｂが形成されている。
図４７の（ｂ）に示すように、軸方向から見たとき、２本の弾性脚４６３ｂ（係止爪４６４ｂ）を結ぶ直線は２本のキーリブ４６９ｂを結ぶ直線に対して右へ６０°傾斜している。
【０１８８】
最内側、すなわち中心のピン部材４６１ｃは、後掲の図５６に示すように、所定長さの円柱部４６７と、円柱部４６７の後端から軸方向に延びて先端に係止爪４６４ｃを備える弾性脚４６３ｃとからなっている。
円柱部４６７の外径は円筒部４６２ｂの内径よりも小さい。
弾性脚４６３ｃは円柱部４６７の直径線上に軸心を挟んで対称位置に２本形成されている。
各係止爪４６４ｃは、前端を軸方向に垂直な係止面４６６ｃとし、その後部外面は円柱部４６７と同軸のコーン形状をなして、先端が円柱部４６７の外径近くまで縮径する傾斜面４６５ｃとしている。
円柱部４６７の外周面には、円柱部４６７の直径線上の対称位置に、前端から軸方向所定長さのキーリブ４６９ｃが形成されている。
図４７の（ｂ）に示すように、軸方向から見たとき、２本の弾性脚４６３ｃ（係止爪４６４ｃ）を結ぶ直線は２本のキーリブ４６９ｃを結ぶ直線に対して左に６０°傾斜している。
【０１８９】
ピン部材４６１ａ、４６１ｂおよび４６１ｃは互いに同軸としてそれぞれの前端を一致させるとともに、各キーリブを軸心を通る直線上に整列させて、この直線に対して直角な線上に対称に各２本ずつ設けた連結部４６８ａ、４６８ｂで、図４７の（ａ）に示すように連結してある。
この結果、各ピン部材の２本の弾性脚（したがってその係止爪）を結ぶ直線は互いに６０°ずつ方向が異なっている。
【０１９０】
図４８は第１ボックス２００Ｃの封印部まわりを示す拡大図で、（ａ）は正面図、（ｂ）は（ａ）におけるＡＤ−ＡＤ部断面図、（ｃ）は（ａ）における筒状体５２０Ｃの拡大図である。図４９の（ａ）、（ｂ）、（ｃ）は、それぞれ図４８の（ａ）におけるＡＥ−ＡＥ部、ＡＦ−ＡＦ部、ＡＧ−ＡＧ部の各断面図である。
第１、第２封印部３５、３６を形成するため、左側の角孔部２４１に封印部材（筒状体５００Ｃ、５１０Ｃ）が設けられ、第３封印部３７（Ｃ）を形成するため、列中央の角孔部２６１に封印部材（筒状体５２０Ｃ）が設けられている。
【０１９１】
角孔部２６１を画する隔壁２６１ａは底壁２４２を横切って後方へも延び、後端が底壁２４２と平行な後壁２７０Ｃでつながって、底壁２４２の裏面側では上方に開口し、下端が閉じたブロック受け部２１９Ｃを形成している。
ブロック受け部２１９Ｃの底壁２２３には、後述する第２ボックス３００Ｃの矩形ブロック３４１Ｃから延びるフック３１４を受けるフック受け２０８が形成されている。
角孔部２６１における底壁２４２は、角孔部２４１におけるよりもわずかに薄く、その後面（裏面）が前方へオフセットしている。
【０１９２】
筒状体５００Ｃは、左側の角孔部２４１内に軸を前後方向として配置され、その前端部において上下の脆弱な連結部２４４ａによって角孔部２４１の上内壁と下内壁に連結されている。
筒状体５００Ｃの後端は底壁２４２の前面に位置している。
角孔部２４１の底壁２４２は、前方から見たときの筒状体５００Ｃと連結部２４４ａの輪郭に対して所定の間隙を設けた形状に切り欠かれた穴２４３Ｃａを有している。底壁２４２が筒状体５００Ｃと直接つながっていないため、連結部２４４ａを切断することで筒状体５００Ｃを切除できる。
【０１９３】
筒状体５００Ｃは封印ピン４６０を挿入する一定内径の筒穴５０２Ｃを有しており、小径孔５０４Ｃを有する底壁５０３Ｃを備えている。
筒穴５０２Ｃの開口から底壁５０３Ｃの前面までの長さは、封印ピン４６０におけるピン部材４６１ａの円筒部４６２ａの長さと同一に設定され、封印ピン４６０をその円筒部４６２ａの後端が底壁５０３Ｃに当接するまで挿入したとき封印ピン４６０の前端と筒状体５００Ｃの前端とが整合して面一となる。
底壁５０３Ｃの小径孔５０４Ｃには軸心を通る左右方向の直線上にピン部材４６１ａの弾性脚４６３ａを通過させる切欠き５０５Ｃが形成されている。
筒穴５０２Ｃの左右端には、ピン部材４６１ａのキーリブ４６９ａを受け入れる軸方向のキー溝５０６Ｃが形成されている。
【０１９４】
つぎに、第２封印部３６（Ｂ）の封印部材をなす筒状体５１０Ｃも、角孔部２４１内に軸を前後方向として配置され、その前端部において上下の脆弱な連結部２４４ｂによって角孔部２４１の上内壁と下内壁に連結されている。
筒状体５１０Ｃの前端は前後方向（軸方向）において筒状体５００Ｃの前端と同一位置にあり、筒状体５００Ｃと同じく後端は底壁２４２の前面に位置している。
【０１９５】
角孔部２４１の底壁２４２は、前方から見たときの筒状体５１０Ｃと連結部２４４ｂの輪郭に対して所定の間隙を設けた形状に切り欠かれた穴２４３Ｃｂを有している。
底壁２４２が筒状体５１０Ｃと直接つながっていないため、連結部２４４ｂを切断することで筒状体５１０Ｃを切除できる。
筒状体５１０Ｃは封印ピン４６０におけるピン部材４６１ｂの円筒部４６２ｂの外径と整合する筒穴５１２Ｃを有しており、その後端には小径孔５１４Ｃを有する底壁５１３Ｃを備えている。
底壁５１３Ｃの小径孔５１４Ｃには軸心を通る左右方向の直線上にピン部材４６１ｂの弾性脚４６３ｂを通過させる切欠き５１５Ｃが形成されている。
【０１９６】
筒穴５１２Ｃの開口から底壁５１３Ｃの前面までの長さは、ピン部材４６１ｂの円筒部４６２ｂの長さと同一に設定され、円筒部４６２ｂの後端が底壁５１３Ｃに当接するまで挿入したときピン部材４６１ｂの前端と筒状体５１０Ｃの前端とが整合して面一となる。
筒穴５１２Ｃの前端から軸方向には軸心を挟んだ対称位置にピン部材４６１ｂのキーリブ４６９ｂの全長を受け入れるキー溝５１６Ｃが形成されており、キー溝５１６Ｃを結ぶ線は上下方向の直線に対して左に３０°傾斜している。
さらに筒穴５１２Ｃの前端面には、軸心を通りキー溝５１６Ｃを結ぶ線に対して直角な線上に溝５１７Ｃが形成されている。溝５１７Ｃは、後述するようにピン部材４６１ａから切り離した後のピン部材４６１ｂに残った連結部４６８ａの切断痕（切り株）を受け入れ可能なサイズを有している。
【０１９７】
第３封印部３７（Ｃ）の封印部材をなす筒状体５２０Ｃは、角孔部２６１内に軸を前後方向として配置され、その前端が筒状体５００Ｃ、５１０Ｃの前端よりも前方に位置している。
角孔部２６１の底壁２４２は、前方から見たときの筒状体５２０Ｃと連結部２４４ｃの輪郭に対して所定の間隙を設けた形状に切り欠かれた穴２４３Ｃｃを有している。
筒状体５２０Ｃの後端は穴２４３Ｃｃ内を底壁２４２の裏面と面一になるまで延びている。
筒状体５２０Ｃはその前端部において上下の脆弱な連結部２４４ｃによって角孔部２６１の上内壁と下内壁に連結されている。連結部２４４ｃを切断することで筒状体５２０Ｃを切除できる。
【０１９８】
筒状体５２０Ｃは封印ピン４６０におけるピン部材４６１ｃの円柱部４６７の外径と整合する筒穴５２２Ｃを有しており、その後端には小径孔５２４Ｃを有する底壁５２３Ｃを備えている。
底壁５２３Ｃの小径孔５２４Ｃには軸心を通る左右方向の直線上にピン部材４６１ｃの弾性脚４６３ｃを通過させる切欠き５２５Ｃが形成されている。
筒穴５２２Ｃの開口から底壁５２３Ｃの前面までの長さは、ピン部材４６１ｃの円柱部４６７の長さと同一に設定され、円柱部４６７の後端が底壁５２３Ｃに当接するまで挿入したときピン部材４６１ｃの前端と筒状体５２０Ｃの前端とが整合して面一となる。
【０１９９】
筒穴５２２Ｃの前端から軸方向には軸心を挟んだ対称位置にピン部材４６１ｃのキーリブ４６９ｃの全長を受け入れるキー溝５２６Ｃが形成されており、キー溝５２６Ｃを結ぶ線は上下方向の直線に対して右に３０°傾斜している。
さらに筒穴５２２Ｃの前端面には、軸心を通りキー溝５２６Ｃを結ぶ線に対して直角な線上に溝５２７Ｃが形成されている。溝５２７Ｃは、後述するようにピン部材４６１ｂから切り離した後のピン部材４６１ｃに残った連結部４６８ｂの切断痕（切り株）を受け入れ可能なサイズを有している。
【０２００】
つぎに、図５０は第２ボックス３００Ｃの封印部まわりを示す拡大図で、（ａ）は正面図、（ｂ）は（ａ）におけるＡＨ−ＡＨ部断面図である。図５１は図５０の（ａ）におけるＡＪ−ＡＪ部の断面図である。
第２ボックス３００Ｃの切欠きスペース３２０の中央には、上壁３２１からまず第１ボックス２００Ｃの筒状体５２０Ｃに対応させて矩形ブロック３４１Ｃが下方に延び、その両側にはカバー板部３３４が下方に延びている。
【０２０１】
カバー板部３３４は可動ベース部２８Ｃの封止ブロック部１００Ｃに対応させて、底板部３０１の裏面よりも前方へオフセットさせてあり、基板ボックス３０Ｃを可動ベース部２８Ｃに載置したときに、封止ブロック部１００Ｃの前壁１０２の表面とカバー板部３３４の裏面とが面で接するように設定されている。
カバー板部３３４には、それぞれ筒状体５００Ｃと筒状体５１０Ｃに対応させてＵ字状の切欠き３３５ｃ、３３５ｄが形成されている。
ここでの切欠き３３５ｃは第１ボックス２００Ｃの筒状体５００Ｃに挿入された封印ピン４６０の弾性脚４６３ａ（および４６３ｂ、４６３ｃ）を通過させる大きさに設定され、切欠き３３５ｄは第１ボックス２００Ｃの筒状体５１０Ｃに挿入された封印ピン４６０の弾性脚４６３ｂ（および４６３ｃ）を通過させる大きさに設定されている。
【０２０２】
矩形ブロック３４１Ｃは、第１ボックス２００Ｃと第２ボックス３００Ｃのスライド面と平行に下方へ延びた前壁３４２Ｃと、前壁３４２Ｃの３辺に沿って後方へ延びる枠壁３４３Ｃと、係止孔３４４Ｃを備える後壁３４７とを有する。
前壁３４２Ｃは第１ボックス２００Ｃと第２ボックス３００Ｃを結合した状態において、その前面が第１ボックス２００Ｃの角孔部２６１における底壁２４２の裏面に当接するよう配置される。
後壁３４７は正面形状が係止孔３４４Ｃを中心とする円形でその周縁から円筒壁３４８が前方へ延び、円筒壁３４８の前端は前壁３４２Ｃの前面と面一になっている。
後壁３４７はその円筒壁３４８において上下の連結部３４９により切欠きスペース３２０の上壁３２１と枠壁３４３Ｃとに連結されている。
【０２０３】
後壁３４７の係止孔３４４Ｃは、封印ピン４６０におけるピン部材４６１ｃの円柱部４６７に対応する径を有し、上下方向の直径線上対称に切欠き３４５Ｃを有している。切欠き３４５Ｃはピン部材４６１ｃの係止爪４６４ｃが通過可能となっている。
後述するように、ピン部材４６１ｂから切り離したピン部材４６１ｃをその円柱部４６７が底壁５２３Ｃに当接するまで筒状体５２０Ｃに挿入したとき、弾性脚４６３ｃが係止孔３４４Ｃを通過してその係止爪４６４ｃが後壁３４７の裏面に係止（係止孔３４４Ｃに係止）するようになっている。
【０２０４】
なお、前壁３４２Ｃは後方から見たときの後壁３４７と連結部３４９の輪郭に対して所定の間隙を設けた形状に切り欠かれた穴３４６を有している。
なお、矩形ブロック３４１Ｃの下端には、第１ボックス２００Ｃのフック受け２０８に差し込まれるフック３１４が形成されている。
【０２０５】
図５２は可動ベース部２８Ｃの封止ブロック部１００Ｃを示し、（ａ）は正面図、（ｂ）は（ａ）におけるＡＫ−ＡＫ部断面図である。
封止ブロック部１００Ｃの前壁１０２には、区画１０１ａにおいて筒状体５００Ｃに対応して上下に切欠き１０５Ｃａを有する係止孔１０４Ｃａが形成され、区画１０１ｂにおいて筒状体５１０Ｃに対応して上下に切欠き１０５Ｃｂを有する係止孔１０４Ｃｂが形成されている。
係止孔１０４Ｃａはピン部材４６１ａの円筒部４６２ａの外径に対応し、切欠き１０５Ｃａはピン部材４６１ａの係止爪４６４ａが通過可能となっている。
係止孔１０４Ｃｂはピン部材４６１ｂの円筒部４６２ｂの外径に対応し、切欠き１０５Ｃｂはピン部材４６１ｂの係止爪４６４ｂが通過可能となっている。
【０２０６】
封印ピン４６０をそのピン部材４６１ａの円筒部４６２ａが底壁５０３Ｃに当接するまで筒状体５００Ｃに挿入したとき、弾性脚４６３ａが係止孔１０４Ｃａを通過してその係止爪４６４ａが封止ブロック部１００Ｃの前壁１０２の裏面に係止（係止孔１０４Ｃａに係止）するようになっている。
また、後述するようにピン部材４６１ａから切り離したピン部材４６１ｂの円筒部４６２ｂが底壁５１３Ｃに当接するまで筒状体５１０Ｃに挿入したとき、弾性脚４６３ｂが係止孔１０４Ｃｂを通過してその係止爪４６４ｂが封止ブロック部１００Ｃの前壁１０２の裏面に係止（係止孔１０４Ｃｂに係止）するようになっている。
その他の構成は第２の実施例と同じである。
【０２０７】
初回の封印は第１封印部３５（Ａ）において行う。
封印に際しては、基板ボックス３０Ｃを可動ベース部２８Ｃに載置した状態で、ピン部材４６１ａの円筒部４６２ａの外周面に接着剤を塗布して、先端（後端）から筒状体５００Ｃに差し込む。弾性脚４６３ａが撓んで先端の係止爪４６４ａが進入するので、係止爪４６４ａを底壁５０３Ｃの切欠き５０５Ｃに合わせ、さらにキーリブ４６９ａをキー溝５０６Ｃに合わせて押し込むと、係止爪４６４ａが筒状体５００Ｃ後方のカバー板部３３４の切欠き３３５ｃおよび封止ブロック部１００Ｃの前壁１０２の係止孔１０４Ｃａに係止する。
【０２０８】
この間、封印ピン４６０の他の係止爪は円筒部４６２ａの径よりも軸心側にあるので筒状体５００Ｃの底壁５０３Ｃなどとは干渉しない。
円筒部４６２ａの後端は筒状体５００Ｃの底壁５０３Ｃに当接し、封印ピン４６０の前端は筒状体５００Ｃの前端と面一になる。
図５３の（ａ）は、第１封印部３５（Ａ）における封印ピン４６０による封印結合状態を示す縦断面図、（ｂ）は（ａ）におけるＡＬ−ＡＬ部断面図である。
【０２０９】
係止爪４６４ａが係止している前壁１０２の係止孔１０４Ｃａは上下に係止爪が通過可能な切欠き１０５Ｃａを有しているが、ピン部材４６１ａはキーリブ４６９ａとキー溝５０６Ｃの係合により回転が規制され、しかも接着剤で筒状体５００Ｃに接着されているので、係止爪４６４ａを切欠き１０５Ｃａ位置へ回転させることもできない。
したがって係止爪４６４ａが封止ブロック部１００Ｃの前壁１０２から外れることはない。
【０２１０】
また、封印ピン４６０の係止爪４６４ａが位置する封止ブロック部１００Ｃの空間は下端のみが開口しているが、可動ベース部２８Ｃには平板部１３２を備える補強プレート１３０Ａが設けられて封止ブロック部１００Ｃ内は閉空間となっているので、当該開口からアクセスしてドライバ等によって係止爪４６４ａに外力を及ぼすこともできない。
そして、第２ボックス３００Ｃが第１ボックス２００Ｃと可動ベース部２８Ｃとの間に挟まれるので、第１封印部３５（Ａ）の封印を解除しない限りは基板ボックス３０Ｃを開いて主基板２３Ａにアクセスすることはできない。
【０２１１】
封印を解除するには、筒状体５００Ｃを角孔部２４１の上内壁と下内壁につないでいる連結部２４４ａを切断して、筒状体５００Ｃごと封印ピン４６０を回転させ、可動ベース部２８Ｃの封止ブロック部１００Ｃの前壁１０２に係止している係止爪４６４ａを係止孔１０４Ｃａの切欠き１０５Ｃａに合わせることにより、封印ピン４６０を封止ブロック部１００Ｃから解放する。
これにより、基板ボックス３０Ｃを可動ベース部２８Ｃに対して上方へスライドさせ、可動ベース部２８Ｃから取外して開くことができる。
【０２１２】
第１封印部３５（Ａ）から解放した封印ピンは、ピン部材４６１ａの外周に筒状体５００Ｃが一体に接着して円筒部４６２ａの外径が拡大したものとなる。
本実施例では、この封印ピンから円筒部４６２ａと円筒部４６２ｂをつないでいる連結部４６８ａをニッパ等で切断してピン部材４６１ａと筒状体５００Ｃを取り除き、図５４に示すような、ピン部材４６１ｂとピン部材４６１ｃからなる新たな封印ピンとして次回の封印に用いる。
この新たな封印ピンは外形が縮小したものであり、識別のため、封印ピン４６０Ｓとする。
【０２１３】
つぎに、次回の封印部である第２封印部３６（Ｂ）について説明する。
ここでは、外形が縮小した封印ピン４６０Ｓを用いて基板ボックス３０Ｃと可動ベース部２８Ｃとを封印する。
封印ピン４６０Ｓはピン部材４６１ｂが外周となっているから、その円筒部４６２ｂの外周面に接着剤を塗布して、先端から筒状体５１０Ｃに差し込む。弾性脚４６３ｂが撓んで先端の係止爪４６４ｂが進入するので、係止爪４６４ｂを底壁５１３Ｃの切欠き５１５Ｃに合わせ、さらにキーリブ４６９ｂをキー溝５１６Ｃに合わせて押し込む。
これにより、係止爪４６４ｂが筒状体５１０Ｃ後方のカバー板部３３４の切欠き３３５ｄを通過して封止ブロック部１００Ｃの前壁１０２の係止孔１０４Ｃｂに係止する。
この間、封印ピン４６０Ｓの他の係止爪は円筒部４６２ｂの径よりも軸心側にあるので筒状体５１０Ｃの底壁５１３Ｃなどとは干渉しない。
【０２１４】
図５５の（ａ）は、筒状体５１０Ｃに封印ピン４６０Ｓを挿入した封印結合状態を示す縦断面図、（ｂ）は（ａ）におけるＡＭ−ＡＭ部断面図である。
ピン部材４６１ｂの円筒部４６２ｂの後端は筒状体５１０Ｃの底壁５１３Ｃに当接し、封印ピン４６０Ｓの前端は筒状体５１０Ｃの前端と面一になる。
ピン部材４６１ｂに残った連結部４６８ａの切断痕は、筒状体５１０Ｃの前端の溝５１７Ｃに収容される。
封印作用は第１封印部３５（Ａ）における筒状体５００Ｃに封印ピン４６０を挿入した場合と同じである。
【０２１５】
封印を解除するには、第１封印部３５（Ａ）と同様に、筒状体５１０Ｃを角孔部２４１の上内壁と下内壁につないでいる連結部２４４ｂを切断して、筒状体５１０Ｃごと封印ピン４６０Ｓを回転させ、可動ベース部２８Ｃの封止ブロック部１００Ｃの前壁１０２に係止している係止爪４６４ｂを係止孔１０４Ｃｂの切欠き１０５Ｃｂに合わせることにより、封印ピン４６０Ｓを封止ブロック部１００Ｃから解放する。
【０２１６】
第１封印部３６から解放した封印ピンは、ピン部材４６１ｂの外周に筒状体５１０Ｃが一体に接着して円筒部４６２ｂの外径が拡大したものとなる。
この封印ピンから円筒部４６２ｂと円柱部４６７をつないでいる連結部４６８ｂをニッパ等で切断してピン部材４６１ｂと筒状体５１０Ｃを取り除き、図５６に示すようにピン部材４６１ｃのみからなる新たな封印ピンとして次回の封印に用いる。
この新たな封印ピンは外形が縮小したものであり、識別のため、符号を４６０ＳＳとする。
【０２１７】
つぎに、第３封印部３７について説明する。
ここでは、封印ピン４６０ＳＳを用いて基板ボックス３０Ｃの第１ボックス２００Ｃと第２ボックス３００Ｃの結合を封印する。
図５７の（ａ）は封印ピン４６０ＳＳによる封印結合状態を示す縦断面図、（ｂ）は（ａ）におけるＡＮ−ＡＮ部断面図である。なお、可動ベース部２８Ｃは図示省略している。
第１ボックス２００Ｃと第２ボックス３００Ｃを結合した状態で、封印ピン４６０ＳＳを先端から筒状体５２０Ｃに差し込む。この際、円柱部４６７の外周面に接着剤を塗布してもよい。
弾性脚４６３ｃが撓んで先端の係止爪４６４ｃが進入するので、係止爪４６４ｃを底壁５２３Ｃの切欠き５２５Ｃに合わせ、さらにキーリブ４６９ｃをキー溝５２６Ｃに合わせて押し込む。
【０２１８】
これにより、係止爪４６４ｃが筒状体５２０Ｃ後方の第２ボックス３００Ｃにおける矩形ブロック３４１Ｃの円筒壁３４８内を進み、後壁３４７の係止孔３４４Ｃに係止する。
円柱部４６７の後端は筒状体５２０Ｃの底壁５２３Ｃに当接し、封印ピン４６０ＳＳの前端は筒状体５２０Ｃの前端と面一になる。
ピン部材４６１ｃに残った連結部４６８ｂの切断痕は、筒状体５２０Ｃの前端の溝５２７Ｃに収容される。
【０２１９】
封印ピン４６０ＳＳはその前端が筒状体５２０Ｃの前端の前端と面一になるので引き抜くことはできない。また、封印ピン４６０ＳＳの係止爪４６４ｃが係止している矩形ブロック３４１Ｃの後壁３４７の係止孔３４４Ｃは上下に係止爪４６４ｃが通過可能な切欠き３４５Ｃを有しているが、封印ピン４６０ＳＳはキーリブ４６９ｃとキー溝５２６Ｃの係合により回転が規制されているので、係止爪４６４ｃを切欠き位置へ回転させることもできない。
したがって第１ボックス２００Ｃ側から挿入された封印ピン４６０ＳＳの係止爪４６４ｃが第２ボックス３００Ｃにおける矩形ブロック３４１Ｃの後壁３４７から外れることはなく、第１ボックス２００Ｃと第２ボックス３００Ｃの結合が解除されることはない。
【０２２０】
また、矩形ブロック３４１Ｃは第１ボックス２００Ｃのブロック受け部２１９Ｃに囲まれているので、矩形ブロック３４１Ｃに係止している封印ピン４６０ＳＳの係止爪４６４ｃに基板ボックス３０Ｃの裏面側からアクセスすることもできない。したがって、第１ボックス２００Ｃと第２ボックス３００Ｃを開くことはできず、主基板２３Ａをメーカなどへ返送する際の安全を確保することができる。
【０２２１】
本実施例は以上のように構成され、第１、第２封印部３５、３６では基板ボックス３０Ｃと可動ベース部２８Ｃの結合封印が得られ、第３封印部３７では基板ボックス３０Ｃ自体が封印される点で、第２の実施例と同じ効果が得られる。
そして、本実施例においても、封印ピン４６０は外周に筒状のピン部材４６１ａ、４６１ｂを有し、封印時に最外周のピン部材の外周と筒状体５００Ｃ、５１０Ｃの筒穴５０２Ｃ、５１２Ｃの間を接着剤で固着するものとしたので、封印ピン４６０は例えば第１封印部３５での封印を解除したとき、その状態が変化して外径が拡大するものとなっている。
したがって、他の基板ボックスを破壊して不正に封印ピンを入手したとしても、当該封印ピンは不正に構成し新規を装った基板ボックスでも初回封印部である第１封印部３５の筒状体５００Ｃに挿入することができない。
【０２２２】
一方、正規の封印解除に続く次回の封印では筒状体に固着したピン部材４６１ａ、４６１ｂを順次切り外して小径とした封印ピン４６０Ｓ、あるいは４６０ＳＳを用いるものとしているので、不正に形成された基板ボックス３０Ｃにおいて最初に封印されるべき筒状体５００Ｃにはサイズが細すぎて適合せず、第２または第３封印部の筒状体５１０Ｃ、５２０Ｃに挿入せざるを得ないため、当該基板ボックスが正規に形成されたものでないことを容易に知ることができる。
【０２２３】
また、各封印部の筒状体５００Ｃ、５１０Ｃ、５２０Ｃの筒穴の径が異なっているので、第１封印部３５に使用しようとすれば、少なくとも封印ピン４６０Ｓから切り離されている円筒部４６２ａを筒状体５００Ｃから取り出して封印ピン４６０Ｓに再接着などして封印ピン４６０を復元しなければならない。このためには筒状体５００Ｃを削り取る必要があるが、しかし、円筒部４６２ａと筒状体５００Ｃは互いに接着剤で固着しており、さらにキーリブ４６９ａとキー溝５０６Ｃによる凸凹も寄与しているので、円筒部４６２ａの取り出しは困難である。
なお、第２実施例の場合と同様に、各封印部において互いに固着する部材間の接着面にさらに脆弱な凸凹を設けることにより、円筒部の取り出しを一層困難にすることができる。そして、凸凹を封印ピン４６０の円筒部および各筒状体の前端部に設定することにより、不正行為による凸凹の毀損が発見されやすい。
【実施例５】
【０２２４】
次に、第５の実施例を説明する。
これは第４の実施例と同様に封印解除の度に封印ピンの形状を縮小方向に変化させて使い回すようにしたものである。
主基板ユニットが、第２の実施例における基板ボックス３０Ａの代わりに、第１ボックス２００Ｄと第２ボックス３００Ｄからなる基板ボックス３０Ｄを備える。関連して台座装置２５Ａが、可動ベース部２８Ａの代わりに、封止ブロック部１００Ｄを備える可動ベース部２８Ｄを有し、主基板ユニットのその他の構成は第２の実施例に記載した主基板ユニット２０Ａと同じである。そして封印ピン６００を用いる。
以下では、第４の実施例と異なる部分について説明する。
【０２２５】
図５８の（ａ）は封印ピン６００を示す前方斜視図、（ｂ）は後方斜視図、図５９の（ａ）は封印ピン６００の正面図、（ｂ）は縦断面図、（ｃ）は背面図である。
封印ピン６００は複数、ここでは３本のピン部材からなり、それぞれの前端を連結部で順次連結した形態で一体成形したものである。
最外側のピン部材６０１ａは、所定長さの円筒部６０２ａと、円筒部６０２ａの前端で折り返されて当該円筒部の外周面との間に所定のリング状間隙ｓ１を形成した折り返しフランジ６０４ａからなり、折り返しフランジ６０４ａの長さは円筒部６０２ａよりも短い。
リング状間隙ｓ１は後述する筒状体５００Ｄの筒壁の板厚と整合させてある。
円筒部６０２ａから折り返しフランジ６０４ａにわたる折り返し部分を前端壁６０３ａとする。
リング状間隙ｓ１内には、円筒部６０２ａの直径線上の上下２箇所に、円筒部６０２ａと折り返しフランジ６０４ａ間に張り渡されたキーリブ６０５ａが形成されている。キーリブ６０５ａは前端壁６０３ａの裏面から軸方向に延びており、その長さは折り返しフランジ６０４ａより短い。
【０２２６】
外側から２番目のピン部材６０１ｂは、円筒部６０２ａと同一長さの円筒部６０２ｂと、円筒部６０２ｂの前端で折り返されて当該円筒部の外周面との間に所定のリング状間隙ｓ２を形成した折り返しフランジ６０４ｂからなり、折り返しフランジ６０４ｂの外径はピン部材６０１ａの円筒部６０２ａの内径よりも小さい。
リング状間隙ｓ２は後述する筒状体５１０Ｄの筒壁の板厚と整合させてある。
折り返しフランジ６０４ｂの長さは折り返しフランジ６０４ａと同じである。
リング状間隙ｓ２内には、円筒部６０２ｂの直径線上の上下２箇所に、円筒部６０２ｂと折り返しフランジ６０４ｂ間に張り渡されたキーリブ６０５ｂが形成されている。キーリブ６０５ｂは前端壁６０３ｂの裏面から軸方向に延びており、その長さはキーリブ６０５ａと同じである。
【０２２７】
最内側、すなわち中心のピン部材６０１ｃは、円柱部６０６と、円柱部６０６の後端から軸方向に延びて先端に係止爪６０８を備える２本の弾性脚６０７と、円柱部６０６の前端から軸方向に延びて側面を切り落とした２面幅部６１３とからなっている。
円柱部６０６の外径はピン部材６０１ｂの円筒部６０２ｂの内径よりも小さく、長さは円筒部６０２ａ、６０２ｂよりも長い。
弾性脚６０７は、円柱部６０６の軸方向に見たとき、軸心を通り２面幅部６１３の切り落とし面に垂直な線上に設けられている。
係止爪６０８は前端を軸方向に垂直な係止面６１０とし、その後部外面は円柱部６０６と同軸のコーン形状をなして、先端が円柱部６０６の外径まで縮径する傾斜面６０９としている。
円柱部６０６の前端外周面には弾性脚６０７を結ぶ線に直角な直径線上の左右２箇所にキーリブ６１１が形成されている。
【０２２８】
ピン部材６０１ａ、６０１ｂおよび６０１ｃは、互いに同軸としてそれぞれの前端壁６０３ａ、６０３ｂおよび円柱部６０６の前端を一致させるとともに、弾性脚６０７を結ぶ線上にキーリブ６０５ａ、６０５ｂが位置するように整列させて、この直線上に対称に各２本ずつ設けた連結部６１２ａ、６１２ｂで連結してある。
２面幅部６１３はピン部材６０１ａ、６０１ｂの前端よりも前方へ突出し、円柱部６０６の後部はピン部材６０１ａ、６０１ｂの後端から突出している。
【０２２９】
図６０は第１ボックス２００Ｄの封印部まわりを示す拡大図で、（ａ）は正面図、（ｂ）は（ａ）におけるＡＱ−ＡＱ部断面図、（ｃ）は後述する筒状体５２０Ｄをさらに拡大して示す正面図である。図６１の（ａ）、（ｂ）、（ｃ）は、それぞれ図６０の（ａ）におけるＡＲ−ＡＲ部、ＡＳ−ＡＳ部、ＡＴ−ＡＴ部の各断面図である。
第１、第２封印部３５、３６を形成するため、左側の角孔部２４１に封印部材（筒状体５００Ｄ、５１０Ｄ）が設けられ、第３封印部３７（Ｃ）を形成するため、列中央の角孔部２６１に封印部材（筒状体５２０Ｄ）が設けられている。
角孔部２６１の後方にブロック受け部２１９Ｃが形成されているのは第４の実施例と同じである。
【０２３０】
筒状体５００Ｄは、左側の角孔部２４１内に軸を前後方向として配置され、その後端部において上下の連結部２４５ａによって角孔部２４１の上内壁と下内壁に連結されている。
筒状体５００Ｄの後端は底壁２４２の前面に位置している。
角孔部２４１の底壁２４２は、前方から見たときの筒状体５００Ｄと連結部２４５ａの輪郭に対して所定の間隙を設けた形状に切り欠かれた穴２４３Ｄａを有している。
【０２３１】
筒状体５００Ｄは封印ピン６００における最外側のピン部材６０１ａの円筒部６０２ａの外径と整合する内径の筒穴５０２Ｄを有しており、小径孔５０４Ｄを有する底壁５０３Ｄを備えている。
筒穴５０２Ｄの開口から底壁５０３Ｄの前面までの長さは、ピン部材６０１ａの前端壁裏面から円筒部６０２ａの後端までの長さと同一に設定されている。
筒状体５００Ｄの前端には、直径線上の上下に所定長さのスリット５０９が軸方向に形成されており、ピン部材６０１ａのキーリブ６０５ａを受け入れるようになっている。
【０２３２】
これにより、キーリブ６０５ａがスリット５０９に整列するように位置決めして封印ピン６００を筒状体５００Ｄに挿入すると、ピン部材６０１ａの前端壁６０３ａの裏面が筒状体５００Ｄの前端に当接したとき円筒部６０２ａの後端が底壁５０３Ｄに当接する。
底壁５０３Ｄの小径孔５０４Ｄは、２番目のピン部材６０１ｂの円筒部６０２ｂが通過可能な程度の径を有し、ピン部材６０１ｃの係止爪６０８が支障なく通過可能となっている。
【０２３３】
つぎに、第２封印部３６（Ｂ）の封印部材をなす筒状体５１０Ｄも、角孔部２４１内に軸を前後方向として配置され、その後端部において上下の連結部２４５ｂによって角孔部２４１の上内壁と下内壁に連結されている。
筒状体５１０Ｄの前端は前後方向（軸方向）において筒状体５００Ｄの前端と同一位置にあり、筒状体５００Ｄと同じく後端は底壁２４２の前面に位置している。
角孔部２４１の底壁２４２は、前方から見たときの筒状体５１０Ｄと連結部２４５ｂの輪郭に対して所定の間隙を設けた形状に切り欠かれた穴２４３Ｄｂを有している。
【０２３４】
筒状体５１０Ｄは封印ピン６００における外側から２番目のピン部材６０１ｂの円筒部６０２ｂの外径と整合する内径の筒穴５１２Ｄを有しており、小径孔５１４Ｄを有する底壁５１３Ｄを備えている。
筒穴５１２Ｄの開口から底壁５１３Ｄの前面までの長さは、ピン部材６０１ｂの前端壁裏面から円筒部６０２ｂの後端までの長さと同一に設定されている。
筒状体５１０Ｄの前端には、直径線上の上下に所定長さのスリット５１９が軸方向に形成されており、ピン部材６０１ｂのキーリブ６０５ｂを受け入れるようになっている。
これにより、キーリブ６０５ｂがスリット５１９に整列するように位置決めしてピン部材６０１ｂを筒状体５１０Ｄに挿入すると、ピン部材６０１ｂの前端壁６０３ｂの裏面が筒状体５１０Ｄの前端に当接したとき円筒部６０２ｂの後端が底壁５１３Ｄに当接する。
【０２３５】
第３封印部３７（Ｃ）の封印部材をなす筒状体５２０Ｄは、角孔部２６１内に軸を前後方向として配置され、その前端が筒状体５００Ｄ、５１０Ｄの前端よりも前方に位置して、その前端部から長手方向中間に渡って上下の連結部２４５ｃによって角孔部２６１の上内壁と下内壁に連結されている。
角孔部２６１の底壁２４２は、前方から見たときの筒状体５２０Ｄと連結部２４５ｃの輪郭に対して所定の間隙を設けた形状に切り欠かれた穴２４３Ｄｃを有している。
筒状体５２０Ｄは穴２４３Ｄｃ内に延び、後端が底壁２４２の裏面と面一になっている。ただし、角孔部２６１においては底壁２４２の裏面は角孔部２４１におけるよりも前方にオフセットしている。
【０２３６】
筒状体５２０Ｄは封印ピン６００におけるピン部材６０１ｃの円柱部６０６の外径と整合する内径の筒穴５２２Ｄを有しており、小径孔５２４Ｄを有する底壁５２３Ｄを備えている。
小径孔５２４Ｄの左右には直径線上にピン部材６０１ｃの弾性脚６０７を通過させる切欠き５２５Ｄが形成されている。
筒穴５２２Ｄの開口から底壁５２３Ｄの前面までの長さは、ピン部材６０１ｃの円柱部６０６の長さと同一に設定されている。
【０２３７】
筒穴５２２Ｄの前端から軸方向には軸心を挟んだ上下対称位置にピン部材６０１ｃのキーリブ６１１の全長を受け入れるキー溝５２６Ｄが形成されており、さらに前端面の左右には直径線上に溝５２７Ｄが形成されている。溝５２７Ｄは、後述するようにピン部材６０１ｂから切り離した後のピン部材６０１ｃに残った連結部６１２ｂの切断痕（切り株）を受け入れ可能なサイズを有している。
【０２３８】
つぎに、図６２は第２ボックス３００Ｄの封印部まわりを示す拡大図で、（ａ）は正面図、（ｂ）は（ａ）におけるＡＵ−ＡＵ部断面図である。なお、（ａ）におけるＡＶ−ＡＶ部の断面は後述する係止孔３４４Ｄの大きさを除いて図５１の断面図と同じであるため省略する。
第２ボックス３００Ｄの切欠きスペース３２０の中央には、上壁３２１からまず第１ボックス２００Ｄの筒状体５２０Ｄに対応させて矩形ブロック３４１Ｄが下方に延び、その両側にはカバー板部３３４Ｄが下方に延びている。
【０２３９】
カバー板部３３４Ｄの前後方向位置は前記各実施例のカバー板部３３４と同様であり、基板ボックス３０Ｄを可動ベース部２８Ｄに載置したときに、封止ブロック部１００Ｄの前壁１０２の表面とカバー板部３３４Ｄの裏面とが面で接するように設定されている。
カバー板部３３４Ｄには、それぞれ筒状体５００Ｄと筒状体５１０Ｄに対応させて下方に開いたＵ字状の切欠き３３５Ｄｃ、３３５Ｄｄが形成されている。
ここでの切欠き３３５Ｄｃは第１ボックス２００Ｄの筒状体５００Ｄに挿入された封印ピン６００の係止爪６０８が通過可能なサイズ幅となっている。
【０２４０】
そして、封印ピン６００の弾性脚６０８が通過する切欠き３３５Ｄｃの上端には、円弧にそって当該円弧よりもわずかに大きい内径の半円弧とその両端から下方に平行に延びる直線部とからなる堤壁３６０が、前方に向けて立ち上がっている。堤壁３６０の高さは、その前端が第１ボックス２００Ｄと第２ボックス３００Ｄの結合状態において、第１ボックス２００Ｄの角孔部２４１における底壁２４２の穴２４３Ｄａ内を延びて、底壁２４２の前面近傍に位置するように、底壁２４２の板厚以下に設定されている。
切欠き３３５Ｄｄは、封印ピン６００の円柱部６０６に対応するサイズ幅で、第１ボックス２００Ｄの筒状体５１０Ｄに挿入された封印ピン６００の係止爪６０８が通過可能な上向きの切欠き３６２と左右方向の切欠き３６３とを備えている。
【０２４１】
矩形ブロック３４１Ｄは、第４の実施例における矩形ブロック３４１Ｃと同構造で、後壁３４７に形成された係止孔３４４Ｄが封印ピン６００におけるピン部材６０１ｃの円柱部６０６に対応する径を有し、上下方向の直径線上対称に切欠き３４５Ｄを有している点が異なるのみである。切欠き３４５Ｄはピン部材６０１ｃの係止爪６０８が通過可能となっている。
後述するように、ピン部材６０１ｂから切り離したピン部材６０１ｃをその円柱部６０６が底壁５２３Ｄに当接するまで筒状体５２０Ｄに挿入したとき、弾性脚６０７が係止孔３４４Ｄを通過してその係止爪６０８が後壁３４７の裏面に係止（係止孔３４４Ｄに係止）するようになっている。
【０２４２】
図６３は可動ベース部２８Ｄの封止ブロック部１００Ｄを示す正面図である。なお、図におけるＡＷ−ＡＷ部の断面は後述する係止孔１０４Ｄを除いて図５２の（ｂ）の断面図と同じであるため省略する。
封止ブロック部１００Ｄの前壁１０２には筒状体５００Ｄおよび５１０Ｄに対応してそれぞれ左右に切欠き１０５Ｄを有する係止孔１０４Ｄが形成されている。
係止孔１０４Ｄは封印ピン６００におけるピン部材６０１ｃの円柱部６０６の外径に対応し、切欠き１０５Ｄは封印ピン６００の係止爪６０８が通過可能となっている。
【０２４３】
封印ピン６００をそのピン部材６０１ａの円筒部６０２ａが底壁５０３Ｄに当接するまで筒状体５００Ｄに挿入したとき、弾性脚６０７が係止孔１０４Ｄを通過してその係止爪６０８が封止ブロック部１００Ｄの前壁１０２の裏面に係止（係止孔１０４Ｄに係止）するようになっている。
また、後述するようにピン部材６０１ａから切り離したピン部材６０１ｂの円筒部６０２ｂが底壁５１３Ｄに当接するまで筒状体５１０Ｄに挿入したときも、弾性脚６０７が筒状体５１０Ｄに対応する係止孔１０４Ｄを通過してその係止爪６０８が前壁１０２の裏面に係止（係止孔１０４Ｄに係止）するようになっている。
その他の構成は第４の実施例と同じである。
【０２４４】
初回の封印は第１封印部３５（Ａ）において行う。
封印ピン６００をそのピン部材６０１ａの円筒部６０２ａの外周面に接着剤を塗布して、筒状体５００Ｄに挿入する。折り返しフランジ６０４ａ部分のリング状間隙ｓ１にも接着剤を塗布してよい。
図６４の（ａ）は、第１封印部３５（Ａ）における封印結合状態を示す縦断面図、（ｂ）は（ａ）におけるＡＸ−ＡＸ部断面図である。
封印ピン６００の弾性脚６０７が撓んで封止ブロック部１００Ｄにおける前壁１０２の係止孔１０４Ｄを通過し、当該係止孔１０４Ｄに係止爪６０８が係止している。
筒状体５００Ｄの前端部は封印ピン６００のリング状間隙ｓ１に進入し、その前端のスリット５０９にリング状間隙ｓ１内のキーリブ６０５ａが係合する。
【０２４５】
係止爪６０８が係止している前壁１０２の係止孔１０４Ｄは左右に係止爪６０８が通過可能な切欠き１０５Ｄを有しているが、封印ピン６００はキーリブ６０５ａとスリット５０９の係合により回転が規制され、しかも接着剤で筒状体５００Ｄに接着されているので、係止爪６０８を切欠き１０５Ｄ位置へ回転させることもできない。
したがって係止爪６０８が封止ブロック部１００Ｄの前壁１０２から外れることはない。
【０２４６】
また、封印ピン６００の係止爪６０８が位置する封止ブロック部１００Ｄの空間は下端のみが開口しているが、可動ベース部２８Ｄには補強プレート１３０Ａが設けられて封止ブロック部１００Ｄ内は閉空間となっているので、当該開口からアクセスしてドライバ等によって係止爪６０８に外力を及ぼすこともできない。
そして、第２ボックス３００Ｄが第１ボックス２００Ｄと可動ベース部２８Ｄとの間に挟まれるので、第１封印部３５（Ａ）の封印を解除しない限りは基板ボックス３０Ｄを開いて主基板２３Ａにアクセスすることはできない。
【０２４７】
封印を解除するには、封印ピン６００におけるピン部材６０１ａと６０１ｂをつないでいる連結部６１２ａを切断して、ピン部材６０１ａを互いに接着状態にある筒状体５００Ｄに残して、内径側のピン部材６０１ｂおよび６０１ｃを回転させ、可動ベース部２８Ｄの封止ブロック部１００Ｄの前壁１０２に係止している係止爪６０８を係止孔１０４Ｄの切欠き１０５Ｄに合わせることにより、当該ピン部材６０１ｂおよび６０１ｃを封止ブロック部１００Ｄから解放する。
これにより、基板ボックス３０Ｄを可動ベース部２８Ｄから取外して開くことができる。
第１封印部３５（Ａ）から解放した封印ピンは、ピン部材６０１ｂと６０１ｃだけが一体となったもので、図６５に示すように外径が縮小したものとなる。
この外形が縮小した新たな封印ピンの符号を、識別のため、６００Ｓとする。
【０２４８】
つぎに、次回の封印部である第２封印部３６（Ｂ）について説明する。
ここでは、外形が縮小した封印ピン６００Ｓを用いて基板ボックス３０Ｄと可動ベース部２８Ｄとを封印する。
封印ピン６００Ｓは新たな外周となっているピン部材６０１ｂの円筒部６０２ｂの外周面に接着剤を塗布して、筒状体５１０Ｄに挿入する。
図６６の（ａ）は、筒状体５１０Ｄに封印ピン６００Ｓを挿入した封印結合状態を示す縦断面図、（ｂ）は（ａ）におけるＡＹ−ＡＹ部断面図である。
【０２４９】
第１封印部３５（Ａ）におけると同様に、封印ピン６００Ｓの係止爪６０８が対応する係止孔１０４Ｄに係止しているとともに、筒状体５１０Ｄの前端部がピン部材６０１ｂのリング状間隙ｓ２に進入し、その前端のスリット５１９にリング状間隙ｓ２内のキーリブ６０５ｂが係合している。
これにより、係止爪６０８を切欠き１０５Ｄ位置へ回転させることができない。
封印作用は第１封印部３５における筒状体５００Ｄに封印ピン６００を挿入した場合と同じである。
【０２５０】
封印を解除するには、第１封印部３５と同様に、封印ピン６００Ｓにおけるピン部材６０１ｂと６０１ｃをつないでいる連結部６１２ｂを切断して、ピン部材６０１ｂを互いに接着状態にある筒状体５１０Ｄに残して、内径側のピン部材６０１ｃを回転させ、係止爪６０８を係止孔１０４Ｄの切欠き１０５Ｄに合わせることにより、当該ピン部材６０１ｃを封止ブロック部１００Ｄから解放し、また同じく係止爪６０８をカバー板部３３４Ｄにおける切欠き３６３を通過させて基板ボックス３０Ｄから抜き出すことができる。
第２封印部３６（Ｂ）から解放した封印ピンは、ピン部材６０１ｃだけとなり、図６７に示すように外径が縮小したものとなる。
この外形がさらに縮小した新たな封印ピンの符号を、識別のため、６００ＳＳとする。
【０２５１】
つぎに、第３封印部３７（Ｃ）の封印について説明する。
ここでは、封印ピン６００ＳＳを用いて基板ボックス３０Ｄの第１ボックス２００Ｄと第２ボックス３００Ｄの結合を封印する。
図６８の（ａ）は封印ピン６００ＳＳ（ピン部材６０１ｃ）による封印結合状態を示す縦断面図、（ｂ）は（ａ）におけるＢＢ−ＢＢ部断面図である。なお、可動ベース部２８Ｄは図示省略している。
第１ボックス２００Ｄと第２ボックス３００Ｄを結合した状態で、封印ピン６００ＳＳを筒状体５２０Ｄに挿入する。この際、ピン部材６０１ｃの円柱部６０６の外周面に接着剤を塗布してもよい。
【０２５２】
円柱部６０６の後端が筒状体５２０Ｄの底壁５２３Ｄに当接し、弾性脚６０７が小径孔５２４Ｄの切欠き５２５Ｄを抜けて、第２ボックス３００Ｄにおける矩形ブロック３４１Ｄの後壁３４７の係止孔３４４Ｄを通過して、係止爪６０８が係止孔３４４Ｄに係止している。この状態で、ピン部材６０１ｃのキーリブ６１１はキー溝５２６Ｄに収容され、連結部６１２ｂの切断痕は溝５２７Ｄに収容されて、円柱部６０６の前端が筒状体５２０Ｄの前端と面一になっている。
【０２５３】
封印ピン６００ＳＳの係止爪６０８が係止している矩形ブロック３４１Ｄの後壁３４７の係止孔３４４Ｄは上下に係止爪６０８が通過可能な切欠き３４５Ｄを有しているが、封印ピン６００ＳＳはキーリブ６１１とキー溝５２６Ｄの係合により回転が規制されているので、係止爪６０８を切欠き位置へ回転させて第２ボックス３００Ｄにおける矩形ブロック３４１Ｄの後壁から外すことはできない。
【０２５４】
また、第４の実施例と同様に、矩形ブロック３４１Ｄは第１ボックス２００Ｄのブロック受け部２１９Ｃに囲まれているので、基板ボックス３０Ｄの裏面側から係止爪６０８にアクセスして第１ボックス２００Ｄと第２ボックス３００Ｄを開くこともできない。
なお、第３封印部３７（Ｃ）の封印を解除するには、封印ピン６００ＳＳの円柱部６０６の前端から２面幅部６１３が前方へ延びているので、これを掴んで強引に封印ピン６００ＳＳを回転させることにより、キーリブ６１１とキー溝５２６Ｄの係合を破壊して、係止爪６０８を後壁３４７の係止孔３４４Ｄの切欠き３４５Ｄを通して引き抜き、第２ボックス３００Ｄにおける矩形ブロック３４１Ｄから封印ピン６００ＳＳを開放することができる。
【０２５５】
以上のように、本実施例においても、封印ピン６００は封印解除の度にその状態が変化し、その外形が縮小するものとなっている。
したがって、他の基板ボックスを破壊して不正に封印ピンを入手したとしても、当該封印ピンは不正に構成し新規を装った基板ボックスでも初回封印部である第１封印部３５の筒状体５００Ｄに対してサイズが細すぎて適合せず、封印状態を形成することができない。したがって、第２または第３封印部の筒状体５１０Ｄ、５２０Ｄに挿入せざるを得ないため、当該基板ボックスが正規に形成されたものでないことを容易に知ることができる。
【０２５６】
また、封印ピン６００Ｓにおけるピン部材６０１ａ、６０１ｂが、封印解除に伴って順次基板ボックス３０Ｄ側の筒状体５００Ｄ、５１０Ｄに固着状態で残るので、その連結部６１２ａ、６１２ｂの切れ目を隣接する封印部に挿入された封印ピン６００Ｓあるいは６００ＳＳ側の連結部６１２ａ、６１２ｂの切れ目と対比することにより、現在挿入されている封印ピンが正規のものかどうかを確認することもできる。
【０２５７】
封印ピン６００は最内径側のピン部材６０１ｃのみに係止爪６０８を設け、これをすべての封印部において共通して使用するものとなっているので、第４の実施例と比較して小型に構成できるので、封印部に余分なスペースを要することなく、また少材料で製作できる点でコスト低減が図れる。
【０２５８】
また第１、第２封印部においては互いに固着する封印ピン６００、６００Ｓと基板ボックス３０Ｄ側の筒状体５００Ｄ、５１０Ｄ間の接着面にキーリブ６０５ａ、６０５ｂとスリット５０９、５１９の係合による凸凹断面が形成され、第３封印部においては封印ピン６００ＳＳと筒状体５２０Ｄ間の接着面にキーリブ６１１とキー溝５２６Ｄの係合による凸凹断面が形成されているので、第４の実施例と同様に、基板ボックス３０Ｄ側に残したピン部材６０１ａ等を筒状体を削り取ることにより取り出そうとすることは困難である。
なお、各封印部において互いに固着する部材間の接着面にさらに脆弱な凸凹を設けることにより、基板ボックス３０Ｄ側に残したピン部材６０１ａ等の取り出しを一層困難にすることができる。そして、凸凹をピン部材および筒状体の前端部に設定することにより、不正行為による凸凹の毀損が発見されやすい。
【０２５９】
なお、第２〜第５の実施例では、封印部として第１、第２封印部３５、３６では基板ボックスと台座装置（可動ベース部）間を封印し、第３封印部３７では基板ボックスを形成する第１ボックスと第２ボックスの結合状態を封印する例について示したが、これに限定されず、封印部の数や組み合わせは任意である。
あるいはまた基板ボックスにおける主基板２３と配線コネクタの接続部に対する封印等にも適用することができる。
【０２６０】
また、第２〜第５の実施例では封印ピンと筒状体の固着を接着剤によるものとしたが、硬化樹脂や溶着、あるいは嵌め殺しなど、容易に外れないものであれば任意に選択してよい。
さらに、形状変化する封印連結部材として、筒状体が固着して外径が拡大する封印ピン、あるいは複数のピン部材を有して外側から順次切り離すことにより外径が縮小する封印ピンを示したが、これらに限定されず、たとえば前端を窪ませた封印ピンなど、凹部を有する封印連結部材に対して封印時に当該凹部に硬化樹脂を充填することにより、凹部が消滅して平坦面へ変化したり、硬化樹脂により凹部の色が周囲と異なる色へ変化するなども「形状変化」に含まれる。
【０２６１】
なお、実施の形態では封印部を基板ボックスの下端部に設定したものとしたが、封印部の位置は基板ボックスの上部や側部でもよい。
また、封印ピンの封印部への挿入方向も、基板ボックスにおける前後方向とした各実施例に限らず、左右方向や上下方向としてもよい。
さらには、第１の実施例と、第２〜第５の実施例のうちの少なくとも１つとを組み合わせて、封印ピンで例示される封印連結部材の形状と点灯状態が変化するものであってもよい。
【０２６２】
さらに、実施の形態は遊技機としてスロットマシンに適用した例を示したが、本発明はこれに限定されず、異なるタイプの遊技機、具体的には遊技媒体として遊技球を用いる弾球式の遊技機、いわゆるパチンコ機等に適用してもよい。例えば、特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機として実施するようにしてもよい。
また、弾球式でない遊技機、例えば、外枠に開閉可能に支持された遊技機本体に貯留部および取込装置を備え、貯留部に貯留されている所定数の遊技球が取込装置により取り込まれた後にスタートレバーが操作されることによりリールの回転を開始する、パチンコ機とスロットマシンとが融合された遊技機として実施するようにしてもよい。
【０２６３】
以下、上述した実施の形態から抽出される発明の特長を、必要に応じて効果等とともに示す。
（１）互いに重ね合わせて結合される第１部材および第２部材が、その結合状態を封印連結部材により封印されて配設されるとともに、該封印連結部材を使用して前記第１部材および第２部材が再封印可能に構成された遊技機において、
前記第１部材に設けられた第１部材封印部と、前記第２部材に設けられた第２部材封印部とで封印部を形成し、
前記封印連結部材は、前記第１部材封印部と前記第２部材封印部とを連結して封印するとともに、封印解除の前後でその状態が変化するものであることを特徴とする遊技機。
他の第１部材および第２部材の封印に用いられた封印連結部材を不正に入手して使用しようとしても、当該封印連結部材の状態が変化しているので、すでに封印に用いられたものであることが分かり、封印構造を偽装する不正行為を防止することができる。
また、１つの封印連結部材を別の封印箇所に用いて封印することができるので、２回目以降に使用される別の封印連結部材を遊技機に設置しておく必要がなく、封印連結部材が不正に流用される事態を防ぐことができる。
【０２６４】
なお、本発明の遊技機における「第１部材」および「第２部材」は、以下でとくに特定した場合を除いて、遊技機において複数部品の結合状態を封印する必要のあるいずれの部品に適用してもよく、例えば、制御基板を収納する収納空間を形成する基板ボックスを構成する複数の部材（例えば、第１ボックス２００と第２ボックス３００）であってもよいし、第１部材および第２部材のうち一方が制御基板を収納する基板ボックスであって他方が該基板ボックスを遊技機に取り付け固定する相手部品（例えば、台座装置２５）であってもよい。
【０２６５】
そして、第１部材および第２部材が「互いに重ね合わせて結合される」とは、直接当接する状態で重ね合わされる場合だけでなく、第１部材または第２部材の一方に結合された第３部材を挟んで重ね合わされる場合も含むものである。
また、第１部材および第２部材は、それぞれが単一材料で一体的に成形された一部品であっても、複数の部材を組み合わせて形成されたものであってもよく、したがってまた、第１部材封印部および第２部材封印部もそれぞれ単一の部品で構成されても複数部品を組み合わせて形成されてもよい。
封印連結部材も、とくに特定した場合を除いて、棒形状に限らず、板状のもの、箱状のもの等任意形状のものも含む。
【０２６６】
さらに、封印連結部材が「第１部材に設けられた第１部材封印部と、第２部材に設けられた第２部材封印部とを連結して封印する」とは、例えば封印連結部材が他の部材と係止することにより第１部材封印部と第２部材封印部とを連結するものでもよい。すなわち、第１部材封印部が前側、第２部材封印部がその後方に位置するとして、第１部材封印部と第２部材封印部にそれぞれ形成された係止部に封印連結部材が係止することにより連結したり、あるいは第１部材封印部に形成された係止部と第２部材封印部を挟んでさらに先端（後端）側で第１部材封印部から延びる部位に形成された係止部とに封印連結部材が係止することにより、結果として第１部材封印部と第２部材封印部とが連結されるものであってもよい。係止の場合、封印連結部材と相手部材の一方に係止爪を設け、他方に凹部あるいは突起などが形成されて係止爪と係合する形態でよい。
封印連結部材による封印には、上述の係止爪による係止のほか、螺子固定、接着固定、圧入固定のいずれかまたは組み合わせによる場合を含む。
【０２６７】
（２）前記封印連結部材が点灯手段を備えて、
前記封印連結部材の状態が点灯状態であることを特徴とする（１）に記載の遊技機。
光表示であるため、周辺環境が暗い場合でも状態変化を容易に確認することができるとともに、光の拡散によってその周辺環境自体の確認も容易となる。
【０２６８】
（３）前記点灯手段が、発光部と、制御回路と、封印状態で外部の接点と接続して電気回路を形成する第１の接続端子とを有し、
該点灯手段は、前記制御回路が前記第１の接続端子と外部の接点の接続状態から封印解除による非接続への変化に基づいて前記発光部の点灯状態を変化させるものであることを特徴とする遊技機。
封印された第１部材または第２部材側を破壊して封印解除し、破壊の痕跡のない封印連結部材を取り出し、新たに偽装した第１部材および第２部材の封印に不正に使用したとしても、すでに封印解除に伴う第１の接続端子と外部の接点の非接続に基づいて以下の（４）〜（７）に示すように、例えば発光部の点灯色が異なる色などへ変化しているので、不正行為が行われたことが容易に判別できる。
【０２６９】
（４）前記点灯手段は、前記第１の接続端子と外部の接点の接続状態から封印解除による非接続への変化ごとに、前記発光部の点灯色を直前の封印解除前とは異なる色に変化させることを特徴とする（３）に記載の遊技機。
色の違いはとくに識別が容易であるので、不正行為防止の効果が大きい。
（５）前記点灯手段は、前記第１の接続端子と外部の接点の接続状態から封印解除による非接続への変化ごとに、前記発光部の点灯色の変化順序を直前の封印解除前の変化順序とは異ならせることを特徴とする（３）に記載の遊技機。
偽装のためには制御回路を変更しなければならないため、不正を抑制することができる。
（６）前記点灯手段は、前記第１の接続端子と外部の接点の接続状態から封印解除による非接続への変化ごとに、前記発光部の点灯の点滅速度を直前の封印解除前の点滅速度とは変化させることを特徴とする（３）に記載の遊技機。
（４）、（５）の発明に比較して発光部に単色の発光素子を使用することができるから、構成簡単、低コストで実現される。
【０２７０】
（７）前記封印部が複数設けられ、
前記封印連結部材が各封印部に共通で順次に使用されるものとして設定され、
前記点灯手段は前記封印部の数以上の異なる点灯状態を呈することを特徴とする（３）〜（６）のいずれか１に記載の遊技機。
点灯手段は同じ点灯状態を呈することがないので、不正入手の封印連結部材は複数の封印部のどこに挿通しても正規の点灯状態とは相違して、不正入手のものであることが確実に判別される。
【０２７１】
（８）前記点灯手段は遊技機の電源がＯＦＦの場合は前記発光部の点灯を行わないことを特徴とする（３）〜（７）に記載の遊技機。
（９）前記点灯手段は、前記制御回路用の内部電源と、封印連結部材により前記第１部材と第２部材が封印された状態で外部電源に接続する第２の接続端子とを有して、
封印状態において前記外部電源を前記発光部の駆動電源および前記内部電源の充電電源の少なくとも一方の電源としていることを特徴とする（３）〜（７）のいずれか１に記載の遊技機。
遊技機の電源がＯＦＦになっている間も内部電源により制御回路が封印解除（第１の接続端子と外部の接点の接続状態から非接続への変化）を検知することができる。
外部電源を発光部の駆動電源とする場合には、次回封印時に外部電源が供給されると直ちに発光部が駆動されて封印解除前とは異なる状態に点灯される。内部電源は発光部駆動用の大電力を要しないから、封印連結部材も小型に構成できる。
同じく、発光部は外部電源でのみ点灯するから、内部電源の電力消耗によって点灯状態が設定と異なる変化をするおそれもない。
【０２７２】
（１０）前記第２の接続端子は、前記第１部材または第２部材のいずれかに付設された制御基板に設けられた電源端子に接続することにより、前記外部電源に接続することを特徴とする（９）に記載の遊技機。
例えば第１部材および第２部材が制御基板を収納する基板ボックスを形成するものである場合などは、その制御基板に電源端子を配置して基板電源に接続するだけで構成簡単に実現される。また、外付けの基板でも同様である。
【０２７３】
（１１）前記制御回路は前記第１の接続端子と外部の接点の接続状態から非接続への変化を封印解除による封印連結部材の取り出しから新たな封印部に当該封印連結部材を用いて封印状態を得るまでに要する時間より短く設定した周期で、間欠的に監視することを特徴とする（３）〜（１０）に記載の遊技機。
間欠的に監視するので、制御回路で消費される電力が節約される。
【０２７４】
（１２）前記封印連結部材が封印ピンであり、
前記第１部材封印部が前記封印ピンを挿通させる筒状体であることを特徴とする（３）〜（１１）のいずれか１に記載の遊技機。
封印ピンを筒状体に挿入することによって第１部材封印部と第２部材封印部の間に掛け渡すことができるので、封印作業が容易である。
【０２７５】
（１３）前記封印ピンは筒状のピン本体内に前記点灯手段を収納し、
発光部がピン本体の前端部に配置されていることを特徴とする（１２）に記載の遊技機。
確認者が点灯の状態を視認しやすい。
（１４）ピン本体が前端に開口を有して、前記点灯手段を収納したあと、前記開口が硬化樹脂で充填されていることを特徴とする（１３）に記載の遊技機。
硬化樹脂を透過して発光部の点灯が視認できる一方、制御回路を含む点灯手段構成部材を取り出そうとする場合、硬化樹脂を削り取らねばならず、そのような試みが行われたことも痕跡として残るので、不正行為が困難となる。
【０２７６】
（１５）前記封印連結部材の状態がその形状であり、封印解除の前後で形状が変化することを特徴とする（１）に記載の遊技機。
封印を解除した後の封印連結部材の形状が異なるため、使用済みのものであるかどうかが視認して容易に判別できる。
【０２７７】
（１６）互いに重ね合わせて結合される第１部材および第２部材が、その結合状態を封印連結部材により封印されて配設されるとともに、該封印連結部材を使用して前記第１部材および第２部材が再封印可能に構成された遊技機において、
前記第１部材に設けられて該第１部材における周辺部に連結部により連結された第１部材封印部と、前記第２部材に設けられた第２部材封印部とで封印部を形成し、
前記封印連結部材は、前記第１部材封印部と前記第２部材封印部とを連結して封印するとともに、封印時に前記第１部材封印部に固着して、第１部材から前記第１部材封印部を前記周辺部との連結部において切除して封印を解除したとき外形が拡大するものであることを特徴とする遊技機。
封印解除後に外形が拡大している封印連結部材は、不正入手の第１部材および第２部材における同一の封印部に適用することができないので、不正行為を防止することができる。
【０２７８】
（１７）前記封印連結部材は、第１係止部を有して前記第１部材側から第２部材側へ掛け渡され、第１係止部を第１部材封印部より後側の第２係止部に係止して封印状態を得るものであることを特徴とする（１６）に記載の遊技機。
（１８）前記封印連結部材が第１係止部を前記第２部材封印部に係止する係止爪とする封印ピンであり、
前記第１部材封印部が前記封印ピンを挿通させる筒状体であって、
前記封印ピンはその外周に前記筒状体が固着して外径が拡大することを特徴とする（１７）に記載の遊技機。
連結部の切除により封印を解除して回収する封印ピンは、外周に筒状体が固着していることにより外径が拡大する。
【０２７９】
（１９）前記封印部が複数設けられ、
前記封印ピンが各封印部に順次に使用されるものとして設定され、
２番目以降の各封印部の前記筒状体の孔径が、拡大した封印ピンの外径に整合して順次拡大していることを特徴とする（１８）に記載の遊技機。
各封印部において、封印ピンを筒状体に挿入して固着することが自動的に封印ピンの外径拡大となる。
（２０）前記封印ピンは、同一の前記係止爪がすべての封印部において共通に前記第２係止部に係止することを特徴とする（１９）に記載の遊技機。
係止爪が１種のみで済むから小型に構成でき、これにより、少材料で製作できてコスト低減が図れるとともに、封印部のスペースも縮小が可能となる。
（２１）封印ピンに順次固着する各封印部の前記筒状体がそれぞれ前記係止爪を備え、
前記封印ピンは、前記２番目以降の各封印部においては、当該封印ピンに最後に固着した筒状体の前記係止爪が前記第２係止部に係止することを特徴とする（１９）に記載の遊技機。
筒状体が固着した封印ピンは係止爪もサイズが大きなものとなるので、不正入手の第１部材および第２部材における例えば１番目の封印部に使用しようとしても、その筒状体に適合しないだけでなく、係止爪も第２係止部に適合しないものとなり、不正行為を困難にする。
【０２８０】
（２２）互いに重ね合わせて結合される第１部材および第２部材が、その結合状態を封印連結部材により封印されて配設されるとともに、該封印連結部材を使用して前記第１部材および第２部材が再封印可能に構成された遊技機において、
前記第１部材に設けられた第１部材封印部と、前記第２部材に設けられた第２部材封印部とで封印部を形成し、
前記封印連結部材は、前記第１部材封印部と前記第２部材封印部とを連結して封印するとともに、封印時にその所定部位を第１部材封印部に固着して、封印を解除して前記所定部位を切除したとき外形が縮小するものであることを特徴とする遊技機。
封印連結部材は固着した第１部材封印部を取り除くことが困難であるから所定部位を第１部材封印部側に残して切除せざるを得ず、所定部位を切除した分だけ外形が縮小する。外形が縮小した封印連結部材は、不正入手の第１部材および第２部材における同一の封印部に適用することができないので、不正行為を防止することができる。
【０２８１】
（２３）前記封印連結部材は、第１係止部を有して前記第１部材側から第２部材側へ掛け渡され、第１係止部を第１部材封印部より後側の第２係止部に係止して封印状態を得るものであることを特徴とする（２２）に記載の遊技機。
（２４）前記封印連結部材が第１係止部を前記第２部材封印部に係止する係止爪とする封印ピンであり、
前記第１部材封印部が前記封印ピンを挿通させる筒状体であって、
前記封印ピンは、前記所定部位として少なくとも最外周に筒状のピン部材を有し、該筒状のピン部材と前記筒状体を固着することを特徴とする（２３）に記載の遊技機。
【０２８２】
（２５）前記封印部が複数設けられ、
前記封印ピンが各封印部に順次に使用されるものとして設定され、
２番目以降の各封印部の前記筒状体の孔径が、縮小した封印ピンの外径に整合して順次縮小していることを特徴とする（２４）に記載の遊技機。
各封印部において、封印ピンを筒状体に挿入して固着することが自動的に封印ピンの外径縮小となる。
（２６）前記封印ピンは、径が異なる筒状のピン部材を含む複数のピン部材を径方向に重ねて構成され、
各封印部の前記筒状体の孔径が順次前記ピン部材の外径に整合しており、
各封印部において、最外側のピン部材と前記筒状体の間を固着するものであり、
封印ピンは順次前記最外側のピン部材を切除して２番目以降の各封印部に使用されることを特徴とする（２５）に記載の遊技機。
【０２８３】
（２７）前記封印ピンは、同一の前記係止爪がすべての封印部において共通に前記第２係止部に係止することを特徴とする（２５）または（２６）に記載の遊技機。
係止爪が１種のみで済むから小型に構成でき、これにより、少材料で製作できてコスト低減が図れるとともに、封印部のスペースも縮小が可能となる。
（２８）前記筒状体に固着する前記ピン部材がそれぞれ前記係止爪を備え、
前記封印ピンは、各封印部において、前記筒状体に固着したピン部材の前記係止爪が前記第２係止部に係止することを特徴とする（２６）に記載の遊技機。
筒状体に固着した外側のピン部材を切除した封印ピンは係止爪もサイズが小さいものとなるので、不正入手の第１部材および第２部材における例えば１番目の封印部に使用しようとしても、その筒状体に適合しないだけでなく、係止爪も第２係止部に適合しないものとなり不正行為を困難にする。
【０２８４】
（２９）前記筒状体の孔と各ピン部材の外周の一方にはキーリブが形成され、他方には前記キーリブに対応する溝が形成されていることを特徴とする（２６）〜（２８）のいずれか１に記載の遊技機。
（３０）前記ピン部材が、外周面との間に間隙をもつ折り返しフランジを前端に備えるとともに、前記間隙にキーリブが形成され、
前記筒状体の前端面には前記キーリブに対応する溝が形成されていることを特徴とする（２６）〜（２８）のいずれか１に記載の遊技機。
キーリブと溝の係合部が表面から隠れるので、美観が向上するとともに、係合部にドライバ等を当てて抉るなどの不正行為が防止される。
【０２８５】
（３１）前記筒状体と封印ピンの互いに固着する面には脆弱な凸凹が形成されていることを特徴とする（１８）〜（２１）、（２４）〜（３０）のいずれか１に記載の遊技機。
当接係合する面積が増大して固着が強固になるとともに、凸凹が破損しやすいので外周の筒状体の削りとりが一層困難になり、不正行為防止に有効である。
（３２）前記凸凹が前記筒状体および封印ピンの前端部に設けてあることを特徴とする（３１）に記載の遊技機。
凸凹が視認容易な前端部にあるため、不正行為による凸凹の毀損が発見されやすい。
【０２８６】
（３３）前記（１）から（３２）の遊技機のいずれかにおいて、当該遊技機がパチンコ遊技機であることを特徴とする遊技機。なかでも、パチンコ遊技機の基本構成としては操作ハンドルを備え、その操作ハンドルの操作に応じて球を所定の遊技領域へ発射し、球が遊技領域内の所定の位置に配設された作動口に入賞（または作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０２８７】
（３４）前記（１）から（３２）の遊技機のいずれかにおいて、当該遊技機がスロットマシンであることを特徴とする遊技機。なかでも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０２８８】
（３５）前記（１）から（３２）の遊技機のいずれかにおいて、当該遊技機がパチンコ遊技機とスロットマシンとを融合させたものであることを特徴とする遊技機。なかでも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【０２８９】
前述の第１の実施例においては、第１ボックス２００が発明における第１部材に、そして第２ボックス３００が第２部材に該当する。
封印部３４ａ、３４ｂ、３４ｃにそれぞれ設けられた筒状体２４０が第１部材封印部に、前壁３５０に係止孔３５３を備える矩形ブロック３３８が第２部材封印部に該当し、係止爪４０８を有する封印ピン４００が封印連結部材に該当して、とくに係止爪４０８が第１係止部、矩形ブロック３３８の前壁３５０における係止孔３５３が第２係止部を構成している。
そして、封印ピン４００に収納された発光ユニット４８０が発明における点灯手段を構成し、発光ユニット４８０におけるＬＥＤ４８５が発光部、ピン側端子Ｑ３、Ｑ４が第１の接続端子に該当する。また、コンデンサ４８４が内部電源に、ピン側端子Ｑ１、Ｑ２が第２の接続端子に該当する。
第１ボックス２００と第２ボックス３００からなる基板ボックス３０に収納された主基板２３が制御基板に該当する。
【０２９０】
第２の実施例では、第１ボックス２００Ａが発明における第１部材に、そして第１、第２封印部３５、３６における可動ベース部２８Ａおよび第３封印部３７における第２ボックス３００Ａがそれぞれ第２部材に該当する。
筒状体５００、５１０、５２０が第１部材封印部に該当し、前壁１０２に係止孔１０４を備える封止ブロック部１００および前壁３４２に係止孔３４４を備える矩形ブロック３４１がそれぞれ第２部材封印部に該当する。
そして、封印ピン４３０が封印連結部材に該当して、この封印ピンを構成する第１ピン４３２の係止爪４４４が第１係止部に該当する。また、係止孔１０４および係止孔３４４がそれぞれ第２係止部を構成している。
【０２９１】
第３の実施例では、第１ボックス２００Ｂが発明における第１部材に、そして第１、第２封印部３５、３６における可動ベース部２８Ｂおよび第３封印部３７における第２ボックス３００Ｂがそれぞれ第２部材に該当する。
筒状体５００Ｂ、５１０Ｂ、５２０Ｂが第１部材封印部に該当し、前壁１０２Ｂ、１０２Ｃに係止孔１０４、１０４Ｋを備える封止ブロック部１００Ｂおよび前壁３４２Ｂに係止孔３４４Ｂを備える矩形ブロック３４１Ｂがそれぞれ第２部材封印部に該当する。
そして、封印ピン４３０が封印連結部材に該当して、この封印ピンを構成する第１ピン４３２の係止爪４４４およびこれに順次固着する筒状体５００Ｂ、５１０Ｂの係止爪５３７、５４３がそれぞれ第１係止部に該当する。また、係止孔１０４、１０４Ｋおよび係止孔３４４Ｂがそれぞれ第２係止部を構成している。
【０２９２】
第４の実施例では、第１ボックス２００Ｃが発明における第１部材に、そして第１、第２封印部３５、３６における可動ベース部２８Ｃおよび第３封印部３７における第２ボックス３００Ｃがそれぞれ第２部材に該当する。
筒状体５００Ｃ、５１０Ｃ、５２０Ｃが第１部材封印部に該当し、前壁１０２に係止孔１０４Ｃａ、１０４Ｃｂを備える封止ブロック部１００Ｃおよび後壁３４７に係止孔３４４Ｃを備える矩形ブロック３４１Ｃがそれぞれ第２部材封印部に該当する。
そして、封印ピン４６０が封印連結部材に該当して、この封印ピンを構成するピン部材４６１ａ、４６１ｂ、４６１ｃの係止爪４６４ａ、４６４ｂ、４６４ｃがそれぞれ第１係止部に該当する。また、係止孔１０４Ｃａ、１０４Ｃｂおよび係止孔３４４Ｃがそれぞれ第２係止部を構成している。
順次封印ピンの外周部材となるピン部材４６１ａ、４６１ｂが封印連結部材の所定部位に該当する。
【０２９３】
第５の実施例では、第１ボックス２００Ｄが発明における第１部材に、そして第１、第２封印部３５、３６における可動ベース部２８Ｄおよび第３封印部３７における第２ボックス３００Ｄがそれぞれ第２部材に該当する。
筒状体５００Ｄ、５１０Ｄ、５２０Ｄが第１部材封印部に該当し、前壁１０２に係止孔１０４Ｄを備える封止ブロック部１００Ｄおよび後壁３４７に係止孔３４４Ｄを備える矩形ブロック３４１Ｄがそれぞれ第２部材封印部に該当する。
そして、封印ピン６００が封印連結部材に該当して、この封印ピンを構成するピン部材６０１ｃの係止爪６０８が第１係止部に該当する。また、係止孔１０４Ｄおよび係止孔３４４Ｄがそれぞれ第２係止部を構成している。
順次封印ピンの外周部材となるピン部材６０１ａ、６０１ｂが封印連結部材の所定部位に該当する。
【産業上の利用可能性】
【０２９４】
本発明は、制御基板を収納した基板ボックスを備える種々の遊技機のセキュリティ確保に用いてとくに有用である。
【符号の説明】
【０２９５】
１    スロットマシン
２    筐体本体
３    前面扉
４    施錠機構
５    遊技パネル
６    表示窓
７    コイン投入口
８    操作部
９    コイン受け皿
１０    演出表示部
１１    ホッパ装置
１２    電源ボックス
１４    リール
１５    リールユニット
２０、２０A、２０Ｃ、２０Ｄ    主基板ユニット
２２、２２A    主制御装置
２３、２３A    主基板（制御基板）
２４    小孔
２５、２５A    台座装置
２６、２６A    固定ベース部
２８、２８A、２８Ｂ、２８Ｃ、２８Ｄ    可動ベース部
３０、３０A、３０Ｂ、３０Ｃ、３０Ｄ    基板ボックス
３２    レール
３４、３４ａ、３４ｂ、３４ｃ    封印部
３５    第１封印部
３６    第２封印部
３７    第３封印部
４０    底板部
４２    取付フランジ部
４３    穴
４４    切欠部
４６    取付フランジ部
４７    穴
４８    取付フレーム部材
５０    取付面部
５２    脚片
５４、５４ａ、５４ｂ    接合部
５５    下蓋部
５６    姿勢保持部材
５７    爪
６０    切欠部
６２    穴
６５    支持フランジ部
６７    カバーフランジ
６８    回動ストッパ
７０、７１    軸支板部
７３    軸孔
７５    錠取付穴
８０    底板部
８２    載置部
８４、８５    側板部
８６    回動軸部
８７    当接部
８８    軸孔
８９    錠取付穴
９０    スリット溝
１００、１００Ｂ、１００Ｃ、１００Ｄ    封止ブロック部
１０１ａ、１０１ｂ    区画
１０２    前壁
１０２Ｂ    第１前壁
１０２Ｃ    第２前壁
１０３    後壁
１０４、１０４Ｋ、１０４Ｃａ、１０４Ｃｂ、１０４Ｄ    係止孔
１０５、１０５Ｋ、１０５Ｃａ、１０５Ｃｂ、１０５Ｄ    切欠き
１０７    窓穴
１０８    ネジブロック
１０９    ネジ孔
１１０    スリット穴
１１２    返し部
１１３    突条段部
１１４    ガイド溝
１１６    領域
１１８    固定ブラケット部
１１９    穴
１２０    係止部
１２２    突出片
１２４、１２５    ボス板部
１２６    スリット
１２７    軸孔
１２８    支持ピン
１２９    凹部
１３０、１３０A    補強プレート
１３２    平板部
１３４    縦壁
１３６    軸支板部
１３７    孔
１３８    スリット穴
１４０    切欠穴
１４２    窓穴
１４４    ブラケット部
１４５    挿通孔
１５０    張り出し部
１５２    穴
１５４    配線パターン
１５４ａ    電源供給線
１５４ｂ    短絡線
２００、２００A、２００Ｂ、２００Ｃ、２００Ｄ    第１ボックス
２０１    主基板収容部
２０２    段部
２０３    ソケット挿通孔
２０４    貼付枠
２０５    固定面
２０６    ネジ孔
２０７    平面部
２０８    フック受け
２０９    上端壁
２１０    側壁
２１１    レール形成部
２１１ａ    帯板部
２１１ｂ    リブ
２１２    引掛部
２１３    対向壁
２１４    係合突片
２１５    連結固定部
２１６    ネジ孔
２１７    囲み壁
２１８    突出片
２１９、２１９Ａ、２１９Ｂ、２１９Ｃ    ブロック受け部
２２０    矩形凹部
２２１    切欠凹部
２２２    下端壁
２２３    底壁
２４０    筒状体
２４１    角孔部
２４２    底壁
２４３、２４３ａ、２４３ｂ    穴
２４３Ｃａ、２４３Ｃｂ    穴
２４３Ｄａ、２４３Ｄｂ、２４３Ｄｃ    穴
２４４、２４４ａ、２４４ｂ、２４４ｃ    連結部
２４５ａ、２４５ｂ、２４５ｃ    連結部
２４６    筒穴
２４９    キー溝
２６１    角孔部
２６１ａ    隔壁
２７０、２７０Ａ、２７０Ｂ、２７０Ｃ    カバー壁
２７２    突条
３００、３００A、３００Ｂ、３００Ｃ、３００Ｄ    第２ボックス
３０１    底板部
３０２    リブ
３０４    固定ブロック
３０５    穴
３０８    上端壁
３０８ａ    前端面
３１０    側壁
３１１    レール形成部
３１１ａ    縦壁部
３１２    引掛部
３１４    フック
３１６    係合穴
３１７    係合ブロック
３１８    スリット溝
３２０    切欠きスペース
３２１    上壁
３２２    側壁
３３４、３３４Ｄ    カバー板部
３３５ａ、３３５ｂ、３３５ｃ、３３５ｄ、３３５Ｄｃ、３３５Ｄｄ    切欠き
３３６    スリット
３３８    矩形ブロック
３４１、３４１Ｂ、３４１Ｃ、３４１Ｄ    矩形ブロック
３４２、３４２Ｂ、３４２Ｃ    前壁
３４３、３４３Ｂ、３４３Ｃ    枠壁
３４４、３４４Ｂ、３４４Ｃ、３４４Ｄ    係止孔
３４５、３４５Ｂ、３４５Ｃ、３４５Ｄ    切欠き
３４６    穴
３４７    後壁
３４８    円筒壁
３４９    連結部
３５０    前壁
３５１    枠壁
３５２    キャップ部
３５３    係止穴
３５４    切り欠き
３６０    堤壁
３６２、３６３    切欠き
４００    封印ピン
４０１    ピン本体
４０２    大径部
４０３    小径部
４０４    キーリブ
４０５    大径孔
４０６    小径孔
４０７    弾性部
４０８    係止爪
４０９    傾斜面
４１０    係止面
４１１    溝
４１２    スリット穴
４１３    係合凹部
４１４    紫外線硬化樹脂
４３０    封印ピン
４３２、４３２Ｌ、４３２ＬＬ、４３２Ｋ、４３２ＫＫ    第１ピン
４３３    大径部
４３４    小径部
４３５    キーリブ
４３８    筒穴
４３９    大径孔
４４０    小径孔
４４１    スリット
４４３    弾性部
４４４    係止爪
４４５    傾斜面
４４６    係止面
４４７    切欠き
４５０    第２ピン
４５１    大径部
４５２    小径部
４５３    筒孔
４５４    キーリブ
４５５    弾性部
４５６    係止爪
４５７    傾斜面
４５８    係止面
４６０、４６０Ｓ、４６０ＳＳ    封印ピン
４６１ａ、４６１ｂ、４６１ｃ    ピン部材
４６２ａ、４６２ｂ    円筒部
４６３ａ、４６３ｂ、４６３ｃ    弾性脚
４６４ａ、４６４ｂ、４６４ｃ    係止爪
４６５ａ、４６５ｂ、４６５ｃ    傾斜面
４６６ａ、４６６ｂ、４６６ｃ    係止面
４６７    円柱部
４６８ａ、４６８ｂ    連結部
４６９ａ、４６９ｂ、４６９ｃ    キーリブ
４８０    発光ユニット
４８１    基板
４８２    突起
４８３    制御回路
４８４    コンデンサ
４８５    ＬＥＤ
４８６    ダイオード
４８７    抵抗
４９０    円盤キャップ
４９１    円盤部
４９２    突起
４９３    フック片
４９４    爪
５００、５００Ｂ、５００Ｃ、５００Ｄ    筒状体
５０２、５０２Ｃ、５０２Ｄ    筒穴
５０３、５０３Ｃ、５０３Ｄ    底壁
５０４、５０４Ｃ、５０４Ｄ    小径孔
５０５Ｃ、５２５Ｄ    切欠き
５０６、５０６Ｃ    キー溝
５０８、５１８    リブ
５０９、５１９    スリット
５１０、５１０Ｂ、５１０Ｃ、５１０Ｄ    筒状体
５１２、５１２Ｃ、５１２Ｄ    筒穴
５１３、５１３Ｃ、５１３Ｄ    底壁
５１４、５１４Ｃ、５１４Ｄ    小径孔
５１６、５１６Ｃ    キー溝
５１７、５１７Ｃ    溝
５２０、５２０Ｂ、５２０Ｃ、５２０Ｄ    筒状体
５２２、５２２Ｃ、５２２Ｄ    筒穴
５２３、５２３Ｃ、５２３Ｄ    底壁
５２４、５２４Ｃ、５２４Ｄ    小径孔
５２６、５２６Ｃ、５２６Ｄ    キー溝
５２７、５２７Ｃ、５２７Ｄ    溝
５３０    大径部
５３１    小径部
５３２、５４０、５５０    筒穴
５３３    大径孔
５３４    小径孔
５３６、５４２    弾性部
５３７、５４３    係止爪
５３８、５４４    傾斜面
５３９、５４５    係止面
６００、６００Ｓ、６００ＳＳ    封印ピン
６０１ａ、６０１ｂ、６０１ｃ    ピン部材
６０２ａ、６０２ｂ    円筒部
６０３    前端壁
６０４ａ、６０４ｂ    折り返しフランジ
６０５ａ、６０５ｂ    キーリブ
６０６    円柱部
６０７    弾性脚
６０８    係止爪
６０９    傾斜面
６１０    係止面
６１１    キーリブ
６１２ａ、６１２ｂ    連結部
６１３    ２面幅部
Ｇ、Ｇ１、Ｇ２、Ｇ３、Ｇ４    固定側端子
Ｌｂ、Ｌｇ、Ｌｒ    発光素子
Ｐｂ１、Ｐｂ２    電源端子
Ｐｉ１、Ｐｏ１、Ｐｏ２、Ｐｏ３    出力端子
Ｐｉ２    入力端子
Ｑ、Ｑ１、Ｑ２、Ｑ３、Ｑ４    ピン側端子
ｓ１、ｓ２    リング状間隙
Ｚ    回動中心軸線
【図１】
0005564938.tif 000002
【図２】
0005564938.tif 000003
【図３】
0005564938.tif 000004
【図４】
0005564938.tif 000005
【図５】
0005564938.tif 000006
【図６】
0005564938.tif 000007
【図７】
0005564938.tif 000008
【図８】
0005564938.tif 000009
【図９】
0005564938.tif 000010
【図１０】
0005564938.tif 000011
【図１１】
0005564938.tif 000012
【図１２】
0005564938.tif 000013
【図１３】
0005564938.tif 000014
【図１４】
0005564938.tif 000015
【図１５】
0005564938.tif 000016
【図１６】
0005564938.tif 000017
【図１７】
0005564938.tif 000018
【図１８】
0005564938.tif 000019
【図１９】
0005564938.tif 000020
【図２０】
0005564938.tif 000021
【図２１】
0005564938.tif 000022
【図２２】
0005564938.tif 000023
【図２３】
0005564938.tif 000024
【図２４】
0005564938.tif 000025
【図２５】
0005564938.tif 000026
【図２６】
0005564938.tif 000027
【図２７】
0005564938.tif 000028
【図２８】
0005564938.tif 000029
【図２９】
0005564938.tif 000030
【図３０】
0005564938.tif 000031
【図３１】
0005564938.tif 000032
【図３２】
0005564938.tif 000033
【図３３】
0005564938.tif 000034
【図３４】
0005564938.tif 000035
【図３５】
0005564938.tif 000036
【図３６】
0005564938.tif 000037
【図３７】
0005564938.tif 000038
【図３８】
0005564938.tif 000039
【図３９】
0005564938.tif 000040
【図４０】
0005564938.tif 000041
【図４１】
0005564938.tif 000042
【図４２】
0005564938.tif 000043
【図４３】
0005564938.tif 000044
【図４４】
0005564938.tif 000045
【図４５】
0005564938.tif 000046
【図４６】
0005564938.tif 000047
【図４７】
0005564938.tif 000048
【図４８】
0005564938.tif 000049
【図４９】
0005564938.tif 000050
【図５０】
0005564938.tif 000051
【図５１】
0005564938.tif 000052
【図５２】
0005564938.tif 000053
【図５３】
0005564938.tif 000054
【図５４】
0005564938.tif 000055
【図５５】
0005564938.tif 000056
【図５６】
0005564938.tif 000057
【図５７】
0005564938.tif 000058
【図５８】
0005564938.tif 000059
【図５９】
0005564938.tif 000060
【図６０】
0005564938.tif 000061
【図６１】
0005564938.tif 000062
【図６２】
0005564938.tif 000063
【図６３】
0005564938.tif 000064
【図６４】
0005564938.tif 000065
【図６５】
0005564938.tif 000066
【図６６】
0005564938.tif 000067
【図６７】
0005564938.tif 000068
【図６８】
0005564938.tif 000069